(57)【要約】単離されたヒトＳＴＲＡ６（レチノイン酸によって刺激される（ｓｔｉｍｕｌａｔｅｄ ｂｙ ｒｅｔｉｎｏｉｃ ａｃｉｄ））ポリペプチドであって、これらのポリペプチドをコードする配列番号：２又は４の一又は両方と少なくとも８０％の配列同一性を有するアミノ酸配列を含むポリペプチド、及び該ポリペプチドに対する抗体が癌の治療に有用である。【特許請求の範囲】
【請求項１】
配列番号：２及び４の一又は両方の配列と少なくとも８０％の配列同一性を有するアミノ酸配列を含む単離されたポリペプチド。
【請求項２】
前記ポリペプチドが活性なｈＳＴＲＡ６ポリペプチドである請求項１に記載のポリペプチド。
【請求項３】
前記アミノ酸配列が、配列番号：２及び４の一又は両方の配列と少なくとも９０％の配列同一性を有する請求項２に記載のポリペプチド。
【請求項４】
前記アミノ酸配列が、配列番号：２及び４の一又は両方の配列と少なくとも９８％の配列同一性を有する請求項２に記載のポリペプチド。
【請求項５】
請求項１ないし４のいずれか一項に記載のポリペプチドをコードする単離されたポリヌクレオチド、又は前記ポリヌクレオチドの相補鎖。
【請求項６】
配列番号：１及び３の一又は両方の配列と少なくとも８０％の配列同一性を有するヌクレオチド配列を含む単離されたポリヌクレオチド、又は前記ポリヌクレオチドの相補鎖。
【請求項７】
前記ヌクレオチド配列が、配列番号：１及び３の一又は両方の配列と少なくとも９０％の配列同一性を有する請求項６に記載のポリヌクレオチド、又は前記ポリヌクレオチドの相補鎖。
【請求項８】
前記ヌクレオチド配列が、配列番号：１及び３の一又は両方の配列と少なくとも９８％の配列同一性を有する請求項６に記載のポリヌクレオチド、又は前記ポリヌクレオチドの相補鎖。
【請求項９】
請求項１ないし４のいずれか一項に記載のポリペプチドに特異的に結合する抗体。
【請求項１０】
ｈＳＴＲＡ６の活性を調節することを含む腫瘍を治療する方法。
【請求項１１】
前記ｈＳＴＲＡ６の活性を調節することがｈＳＴＲＡ６の活性を減少させることを含む請求項１０に記載の方法。
【請求項１２】
前記活性を減少させることがｈＳＴＲＡ６の発現を減少させることを含む請求項１１に記載の方法。
【請求項１３】
前記発現を減少させることが、細胞をトランスフォームして、ｈＳＴＲＡ６をコードする内在性ポリヌクレオチドの少なくとも一部分に対してアンチセンスなポリヌクレオチドを発現させることを含む、請求項１２に記載の方法。
【請求項１４】
前記活性を減少させることが、細胞をトランスフォームして、ｈＳＴＲＡ６に対するアプタマーを発現させることを含む請求項１２に記載の方法。
【請求項１５】
前記活性を減少させることが、細胞にｈＳＴＲＡ６に対するアプタマーを導入することを含む請求項１２に記載の方法。
【請求項１６】
前記活性を減少させることが、細胞にｈＳＴＲＡ６に対して選択的に結合する抗体を投与することを含む請求項１２に記載の方法。
【請求項１７】
請求項１１ないし１６に記載のいずれか一の方法により癌性の腫瘍を治療することを含む癌を治療する方法。
【請求項１８】
前記癌がメラノーマ、乳癌、及び大腸癌からなるグループから選択される請求項１７に記載の方法。
【請求項１９】
化合物がｈＳＴＲＡ６遺伝子の転写を上方制御するか又は下方制御するか決定する方法であって：
前記化合物をＲＮＡポリメラーゼ及び前記遺伝子を含む組成物と接触させ、及びｈＳＴＲＡ６遺伝子の転写量を測定することを含む方法。
【請求項２０】
前記組成物が細胞内に存在する請求項１９に記載の方法。
【請求項２１】
化合物がｈＳＴＲＡ６遺伝子の翻訳を上方制御するか又は下方制御するか決定する方法であって：
前記化合物を細胞と接触させ、該細胞が遺伝子を含有するものであって、及びｈＳＴＲＡ６遺伝子の翻訳量を測定することを含む方法。
【請求項２２】
請求項５ないし８に記載のいずれか一のポリヌクレオチドを含むベクター。
【請求項２３】
請求項２２のベクターを含む細胞。
【請求項２４】
腫瘍化の能力に関して組織サンプルをスクリーニングする方法であって：
前記組織サンプル中のｈＳＴＲＡ６の発現を測定することを含む方法。
【請求項２５】
前記測定がｈＳＴＲＡ６の量を測定することである請求項２４に記載の方法。
【請求項２６】
前記発現を測定することがｈＳＴＲＡ６をコードするｍＲＮＡの量を測定することである請求項２５に記載の方法。
【請求項２７】
少なくとも１つの破壊されたＳＴＲＡ６遺伝子を持つ遺伝子導入非ヒト動物。
【請求項２８】
非ヒト動物がマウス、ラット、イヌ、ネコ、ウシ、ブタ、ウマ、ウサギ、カエル、ニワトリ又はヒツジからなるグループから選択される、請求項２７に記載の遺伝子導入非ヒト動物。
【請求項２９】
配列番号：２及び４の一又は両方の配列と少なくとも８０％の配列同一性を有する外来性ポリヌクレオチド、又は前記ポリヌクレオチドの相補鎖を含む遺伝子導入非ヒト動物。
【請求項３０】
前記外来性ポリヌクレオチドが、配列番号：２及び４の一又は両方と少なくとも９０％の配列同一性を有するか、又は該ポリヌクレオチドの相補鎖である請求項２９に記載の遺伝子導入非ヒト動物。
【請求項３１】
前記外来性ポリヌクレオチドが、配列番号：２及び４の一又は両方と少なくとも９８％の配列同一性を有するか、又は該ポリヌクレオチドの相補鎖である請求項２９に記載の遺伝子導入非ヒト動物。
【請求項３２】
ｈＳＴＲＡ６遺伝子突然変異に関してサンプルをスクリーニングする方法であって：
サンプル中のｈＳＴＲＡ６ヌクレオチド配列を配列番号：２及び４の一又は両方と比較することを含む方法。
【請求項３３】
サンプル中のｈＳＴＲＡ６の発現をコントロールのサンプル中のｈＳＴＲＡ６の発現と比較することを含む腫瘍の臨床的段階を決定する方法。
【請求項３４】
モノクローナル抗体である請求項９の抗体。
【発明の詳細な説明】
【０００１】
（関連出願）
本出願は、２０００年３月２３に出願した米国の仮出願番号６０／１９１，５３２号に対する優先権を主張する。
（背景）
Ｗｎｔファミリーメンバーは、細胞増殖、接着、細胞極性、及び細胞の運命の確立のコントロールなど、多様な発生過程を媒介する、システインに富み、グリコシル化されたシグナルタンパク質である。Ｗｎｔシグナル経路の構成因子は家族性及び散発性大腸癌腫、乳癌、及びメラノーマにおける腫瘍形成と関連している。実験により大腸腺腫様ポリポーシス（ＡＰＣ）腫瘍サプレッサー遺伝子はβカテニンレベルを制御することによりＷｎｔシグナルにおける重要な役割も演じていることも示唆されている。ＡＰＣはＧＳＫ−３βによってリン酸化され、βカテニンに結合し、その分解を促進する。ＡＰＣ又はβカテニンのどちらかにおける突然変異は大腸癌腫及びメラノーマと関連し、これらの突然変異がこれらのタイプの癌の発生の原因になっていることが示唆され、Ｗｎｔ経路が腫瘍形成おいて関連づけられている。
過去数年間にわたりＷｎｔシグナル経路について多くのことが明らかとなってきたが、Ｗｎｔによって活性化される転写活性化の下流構成因子はほんのわずかなことしか性質決定されていない。これまで述べられていることでは、Ｗｎｔシグナルに起因する多様な機能の全てを説明することができない。
Ｗｎｔ遺伝子は、多くの発生過程に対し重要であり、Ｗｎｔシグナル経路の構成因子は腫瘍形成（Ｐｅｎｎｉｃａ等， １９９８）と関連していたため、過剰発現などの異常なＷｎｔの発現により差次的に制御される遺伝子は、癌を治療するために魅力的な治療上の標的である。インヴィボにおいて、Ｗｎｔの発現は遺伝子導入マウスにおいて乳腺癌を誘導する（Ｔｓｕｋａｍｏｔｏ等， １９８８）。Ｗｎｔ−１がマウスの乳腺上皮細胞中で過剰発現すると、細胞は部分的にトランスフォームされる。尖端−基底極性が失われ、細胞は複数層を形成する（Ｂｒｏｗｎ等， １９８６；Ｄｉａｔｃｈｅｎｋｏ等， １９９６）。このインヴィトロのモデルにおいて、Ｗｎｔ−１の過剰発現により差次的に制御される遺伝子は、野生型又は非トランスフォームＷｎｔ−４発現細胞と比較した場合、腫瘍形成過程に関与する候補遺伝子を表す。
Ｗｎｔシグナルによって制御されるであろう候補遺伝子は、形態形成の手がかりに応答性のものを含む。そのような手がかりの一つ、レチノイン酸（ＲＡ）は細胞増殖及び分化において重要な役割を演じる。ＲＡに誘導される細胞分化のインヴィトロモデルにおいて、ｍＳＴＲＡ６（マウスでレチノイン酸により刺激される）は上方制御されるものとして同定された（Ｂｏｕｉｌｌｅｔ等， １９９５）。ｍＳＴＲＡ６は新しいタイプの非常に疎水的な膜タンパク質をコードし、すでに特徴付けされている膜結合タンパク質と類似性を示さない（Ｂｏｕｉｌｌｅｔ等， １９９７）。
マウスの肢発生の間のｍＳＴＲＡ６の発現分析は細胞増殖及び分化におけるＳＴＲＡ６の重要な役割を示す。インサイツ分析（Ｃｈａｚａｕｄ等， １９９６）は、ｍＳＴＲＡ６が肢芽の成長に先立ち側板間充織において発現されたことを示した。９．５受胎経過日（ｄｐｃ）まで、発現は基部及び背側前肢芽中胚葉に限定された。次の妊娠２日間、ｍＳＴＲＡ６発現は、その最末端領域又は進行ゾーンを除いて未分化の前肢及び後肢パッドの背側中胚葉中に特異的であった。しかしながら、新規基部−腹側発現ドメインは１１．０−１１．５ｄｐｃまでに現れた。また、ｍＳＴＲＡ６は隣接中胚葉でも発現された状態のままであった。１１．５から１３．５ｄｐｃにかけて、ｍＳＴＲＡ６の発現は軟骨形成芽体を取り巻く表層間充織に限定され、進行ゾーンの消失により、肢の末梢尖端まで次第に伸長した。ＳＴＲＡ６発現の軟骨膜及び発生中の筋肉への進行的限定は、１３．５−１４．５ｄｐｃにおいて見られた。軟骨膜骨化（１５．５−１６．５ｄｐｃ）の開始において、ｍＳＴＲＡ６の発現は、高い代謝及び増殖活性（伸展ゾーン）の細胞とは逆の軟骨膜領域に限定された。
また、ｍＳＴＲＡ６は血液−組織バリアーのレベルにおいても強く発現される（Ｂｏｕｉｌｌｅｔ等， １９９７）。ｍＳＴＲＡ６は、精巣セルトリー細胞中で精子形成サイクル依存的な発現を示し、全ての尿細管においてｍＳＴＲＡ６が発現されるレチノイン酸受容体（ＲＡＲ）α欠損突然変異体の精巣中で失われる。
【０００２】
概要
本発明は一部において新規ポリペプチドをコードする新規核酸配列の発見に基づくものである。本発明において開示されるポリペプチドをコードする核酸及びそれらの誘導体と断片は、今後、集合的に「ｈＳＴＲＡ６」（ヒトでレチノイン酸により刺激される）核酸又はポリペプチド配列と称する。
第１の態様において、本発明は配列番号：２及び４の一又は両方の配列と少なくとも８０％の配列同一性を持つアミノ酸配列を含む単離されたポリペプチドである。
第２の態様において、本発明は該ポリペプチドをコードする単離されたポリヌクレオチドである。
第３の態様において、本発明は配列番号：１及び３の一又は両方の配列と少なくとも８０％の配列同一性を持つポリヌクレオチド、又は該ポリヌクレオチドの相補鎖である。
第４の態様において、本発明は該ポリペプチドに特異的に結合する抗体である。
第５の態様において、本発明はｈＳＴＲＡ６の活性を調節することを含む、腫瘍を治療する方法である。
第６の態様において、本発明は本方法によって癌性腫瘍を治療することを含む、癌を治療する方法である。
第７の態様において、本発明は化合物がｈＳＴＲＡ６遺伝子転写を上方制御又は下方制御するか否かを決定するための方法であって、該化合物をＲＮＡポリメラーゼ及びその遺伝子を含む組成物と接触させ、ｈＳＴＲＡ６遺伝子の転写量を測定することを含む方法である。
第８の態様において、本発明は化合物がｈＳＴＲＡ６遺伝子転写を上方制御又は下方制御するか否かを決定するための方法であって、該化合物を、細胞を含む組成物、遺伝子を含む細胞と接触させ、ｈＳＴＲＡ６遺伝子の翻訳量を測定することを含む方法である。
第９の態様において、本発明はポリヌクレオチドを含むベクターである。
第１０の態様において、本発明は腫瘍形成能力に関し組織サンプルをスクリーニングする方法であって、その組織サンプル中でのｈＳＴＲＡ６の発現を測定することを含む方法である。
第１１の態様において、本発明は少なくとも一の破壊されたｈＳＴＲＡ６遺伝子を有する遺伝子導入非ヒト動物である。
第１２の態様において、本発明は遺伝子導入非ヒト動物であって、配列番号：２及び４の一又は両方と少なくとも８０％の配列同一性を持つ外来性ポリヌクレオチド、又は該ポリヌクレオチドの相補鎖である。
第１３の態様において、本発明はｈＳＴＲＡ６遺伝子突然変異に関しサンプルをスクリーニングする方法であって、サンプル中のｈＳＴＲＡ６ヌクレオチド配列を配列番号：２及び４の一又は両方と比較することを含む方法である。
第１４の態様において、本発明はサンプル中のｈＳＴＲＡ６発現とコントロールサンプル中のｈＳＴＲＡ６発現を比較することを含む、腫瘍の臨床段階を決定する方法である。
ここで記述されるものと類似又は均等な方法及び材料が本発明の実施又はテストにおいて用いることが可能であるが、適切な方法及び材料が以下に記述される。さらに、材料、方法及び実施は例示的なものであって、限定することは意図されない。
【０００３】
詳細な説明
ｈＳＴＲＡ６は発生段階、特に胚発生初期において果たす重要な役割によって、それが多くの遺伝子に影響を及ぼし、それ故、発生を調節するための魅力的な標的であることが示される。現在、ｈＳＴＲＡ６がＷｎｔ−１によって調節され、細胞のトランスフォーメーションにおける役割を演じ、それ故、癌などの異常な分化及び増殖を有する疾病及び疾患を治療するための非常に魅力的な治療上の標的であることが明らかにされている。発明者等は、ｈＳＴＲＡ６は細胞のトランスフォーメーションのインヴィトロモデルにおいて差次的に上方制御されることを見出していた。
トランスフォームされた細胞表現型に関連するＷｎｔシグナル経路における更なる下流の遺伝子を同定するために、発明者等は正常Ｃ５７ＭＧ及びＷｎｔ−４発現Ｃ５７ＭＧ細胞において見出される遺伝子発現パターンと比較して、Ｗｎｔ−１発現Ｃ５７ＭＧマウス乳腺上皮細胞中での遺伝子発現を観察した。Ｗｎｔ−４はＷｎｔ−１が誘起するような腫瘍及び自己細胞トランスフォーメーションを誘導することができない。
Ｗｎｔ−１発現細胞はインヴィトロにおいて脱分化し、インヴィボにおいて乳腺上皮腫瘍を引き起こすため、またメラノーマ、乳癌及び大腸癌とのＷｎｔ−１の関連性により、Ｗｎｔ−１発現細胞において上方制御される遺伝子は、癌などの細胞増殖疾患を治療するための魅力的な標的である。そのような遺伝子のヒトの相同体、ｈＳＴＲＡ６が本発明中に記載される。
発明者等はｈＳＴＲＡ６ポリペプチドのアミノ−及びカルボキシ−末端、同様にその遺伝子の５’及び３’末端のみを同定していたが、より十分な配列が本遺伝子の有用性を利用するために開示される。例えば、十分な配列情報は宿主中で免疫原性である融合ペプチドを調製するのに役立ち、従って、ヒト特異的抗体を得ることができる。同様に、十分なヌクレオチド配列はプローブ、プライマーをデザインし、相同組換え（「ノックアウト」及び他の遺伝子導入動物のための）及びｈＳＴＲＡ６の発現を下方制御するためのアンチセンス発現に対するベクターを含む、種々の目的のためのベクターを調製するために開示される。さらに、十分なポリヌクレオチド及びポリペプチド配列は以下に記載されるように種々のアッセイを可能ならしめるように開示される。
【０００４】
定義
他に定義しない限り、全ての技術及び化学用語は本発明の属する技術分野における当業者によって通常理解されるのと同一の意味を持つ。以下の定義は明確にするために示されるものである。
遺伝学に関係する（Ｄｅｍｅｒｅｃ等， １９６６）の推奨をここに適用させる。遺伝子（及び関連核酸）とそれらがコードするタンパク質とを区別するために、遺伝子に対する略語はイタリック体（又は下線）で示され、一方タンパク質に対する略語は大文字で開始し、イタリック体ではない。従って、ｈＳＴＲＡ６又はｈＳＴＲＡ６はｈＳＴＲＡ６をコードする核酸配列を意味する。
分子を指す場合に「単離された」とは、同定され、天然環境の成分から分離及び／又は回収された分子を指す。天然環境の夾雑成分とは診断又は治療上の使用を妨害する物質である。
「容器」とは物質又は試薬を保持するための何らかの貯蔵器を意味するために広く用いられる。容器はガラス、プラスチック、セラミック、金属又は試薬を保持することができる何れか他の物質から加工され得る。受容可能な材質は内容物と有害に反応しない。
１．核酸関連の定義
（ａ）コントロール配列
コントロール配列は特定の宿主生物において作用可能に結合されたコード化配列の発現を可能ならしめるＤＮＡ配列のことである。原核生物のコントロール配列にはプロモーター、オペレーター配列、及びリボソーム結合部位が含まれる。真核細胞はプロモーター、ポリアデニル化シグナル、及びエンハンサーを利用する。
（ｂ）作用可能に結合され
核酸が他の核酸配列と機能的に関連のある状態に配置される場合、作用可能に結合されている。例えば、プロモーター又はエンハンサーが配列の転写に影響を与える場合、コード化配列と作用可能に結合されており、又、リボソーム結合部位が翻訳を促進するために配置されている場合、コード化配列と作用可能に結合されている。一般に、「作用可能に結合され」とは、結合されているＤＮＡ配列が隣接しており、分泌リーダーの場合には隣接し、読み枠が合っていることを意味する。しかし、エンハンサーは隣接する必要はない。結合は従来の組換ＤＮＡ法によって達成される。
（ｃ）単離された核酸
単離された核酸分子は天然に見出される環境から精製され、少なくとも１つの夾雑核酸分子から分離される。単離されたｈＳＴＲＡ６分子は、細胞内に存在する特定のｈＳＴＲＡ６分子とは区別される。しかし、単離されたｈＳＴＲＡ６分子は、例えば、核酸分子が天然の細胞とは異なる染色体上の位置に存在し、普通にｈＳＴＲＡ６を発現している細胞内に含まれるｈＳＴＲＡ６分子を含む。
【０００５】
２．タンパク質関連の定義
（ａ）精製されたポリペプチド
分子が精製されたポリペプチドである場合、該ポリペプチドは（１）少なくともＮ末端又は内部アミノ酸配列の１５残基を配列決定装置を用いて得るために、又は（２）クマシーブルー又は銀染色を用いた非還元又は還元条件下でのＳＤＳ−ＰＡＧＥにより均一になるまで精製されるであろう。ｈＳＴＲＡ６の天然環境の少なくとも１つの成分は存在していないため、単離されたポリペプチドには、遺伝学的に操作された細胞において異種結合的に発現され、又はインヴィトロにおいて発現されたものが含まれる。一般に、単離されたポリペプチドは少なくとも１つの精製段階によって調製される。
（ｂ）活性なポリペプチド
活性なｈＳＴＲＡ６又はｈＳＴＲＡ６断片は、天然の又は天然に生じるｈＳＴＲＡ６の生物学的及び／又は免疫学的活性を保持している。免疫学的活性とは、天然ｈＳＴＲＡ６によって保持される抗原性エピトープに対する抗体の生産を誘導する能力を意味する；生物学的活性とは免疫学的活性を除いた天然ｈＳＴＲＡ６によって引き起こされる、阻害又は刺激の何れかの機能を指す。ｈＳＴＲＡ６の生物学的活性には、例えば、Ｗｎｔ−１発現細胞における上方制御が含まれる。
（ｃ）Ａｂｓ
抗体とは、単一の抗ｈＳＴＲＡ６モノクローナルＡｂｓ（アゴニスト、アンタゴニスト、及び中和Ａｂｓを含む）、複数エピトープ特異的抗ｈＳＴＲＡ６抗体組成物、単鎖抗ｈＳＴＲＡ６ Ａｂｓ、及び抗ｈＳＴＲＡ６ Ａｂｓの断片であり得る。「モノクローナル抗体」とは、実質的に均一なＡｂｓ、即ち少量存在する天然に生じる変異を除いて同一である集団を含む個々のＡｂｓを意味する。
（ｄ）エピトープタグ
エピトープタグ化ポリペプチドとは、「タグポリペプチド」と融合したキメラポリペプチドを意味する。このようなタグは、Ａｂｓが作製され又利用可能であるが、ポリペプチドの活性を阻害しないエピトープを提供する。内在性エピトープと抗タグ抗体の反応性を減少させるために、タグポリペプチドは好ましくはユニークである。一般に、好適なタグポリペプチドは少なくとも６アミノ酸残基を有し、一般に、約８から５０アミノ酸残基の間であり、好ましくは８から２０アミノ酸残基の間である。エピトープタグ配列の例にはインフルエンザＡウィルス由来のＨＡ及びＦＬＡＧが含まれる。
【０００６】
本発明の新規ｈＳＴＲＡ６にはその配列が表１又は３、又はその両方の中に提供される核酸、又はその断片が含まれる。また、本発明には突然変異又は変異ｈＳＴＲＡ６、その塩基がｈＳＴＲＡ６断片の活性及び生理学的機能を維持するタンパク質を依然としてコードするが表１又は３に示される対応する塩基を変化させた何れかのもの、又はそのような核酸の断片が含まれる。さらに本発明には、相補的な核酸断片を含む、配列が正に記載された配列に対して相補的である核酸が含まれる。さらに、本発明には、構造が化学的修飾を含むような核酸又は核酸断片、又はそれらの相補鎖が含まれる。このような修飾には、非限定的な例を挙げると、修飾された塩基、及び糖リン酸骨格が修飾され誘導化された核酸が含まれる。これらの修飾は、例えば、患者における治療的適用においてアンチセンス結合核酸として使用される得るように、少なくとも一部において修飾された核酸の化学的安定性を促進するために行われる。突然変異体又は変異核酸、及びそれらの相補体において、２０％又はそれより多くの塩基がそのように変更されてもよい。
また、本発明には、配列番号：１−４と８１， ８２， ８３， ８４， ８５， ８６， ８７， ８８， ８９， ８９．２， ９０， ９１， ９２， ９３， ９４， ９５， ９６， ９７， ９８ 及び９９％を含む、８０−１００％の配列同一性を持つポリペプチド並びにこれらのポリペプチドの何れかをコードするヌクレオチド、及びこれらのヌクレオチドの相補鎖も含まれる。これに代わる実施態様において、配列番号：１−４のいずれか１つ又は２つ以上と同一なポリペプチド及び／又はヌクレオチド（及びその相補鎖）は除外される。さらに他の実施態様において、配列番号：１−４と８１， ８２， ８３， ８４， ８５， ８６， ８７， ８８， ８９， ８９．２， ９０， ９１， ９２， ９３， ９４， ９５， ９６， ９７， ９８ 及び９９％を含む、８１−１００％の配列同一性を持つポリペプチド及び／又はヌクレオチド（及びその相補鎖）は除外される。
本発明の新規ｈＳＴＲＡ６にはその配列が表２（配列番号：２）又は４（配列番号：４）、又は両方の配列中に提供されるタンパク質断片が含まれる。また、本発明にはｈＳＴＲＡ６突然変異体又は変異タンパク質、その塩基が天然の活性及び生理学的機能を維持するタンパク質を依然としてコードするが表２及び４中に示される対応する残基を変化させた何れかのもの、又はその断片も含まれる。突然変異体又は変異ｈＳＴＲＡ６において、２０％又はそれより多くの残基がそのように変更されてもよい。さらに、本発明には、本発明のｈＳＴＲＡ６の何れかに対して免疫特異的に結合するＦａｂ又は（Ｆａｂ）’２などのＡｂｓ及び抗体断片が含まれる。
ｈＳＴＲＡ６のヒト配列はマウスｍＳＴＲＡ６を用いて、ＧｅｎＢａｎｋ ＡＣ０２３３００（配列番号：５；最初の２００ａａをコードする）及びＧｅｎＢａｎｋ ＡＣ０２３５４５（配列番号：６；最後の３１５ａａをコードする）を見出すＴｂｌａｓｔＮ（Ａｌｔｓｃｈｕｌ及びＧｉｓｈ、１９９６）より、構築された。
【０００７】
表１中に示される配列は、ｈＳＴＲＡ６の５’領域についてコードする。開始コドンは太文字と下線によって示される。
2004519250.tif 000002
【０００８】
配列番号：１でコードされるポリペプチド、ｈＳＴＲＡ６の５’領域は表２に示される。
2004519250.tif 000003
【０００９】
表３中に示される配列はｈＳＴＲＡ６の３’領域についてコードする。ストップコドンは太文字及び下線で表される。
2004519250.tif 000004
【００１０】
配列番号：３でコードされるポリペプチド、ｈＳＴＲＡ６の３’領域は表４に示される。
2004519250.tif 000005
2004519250.tif 000006
【００１１】
表５はマウスｍＳＴＲＡ６（ｍＳＴＲＡ６）（配列番号：７）と共にアラインされた新規タンパク質断片を示す。アライメントはヒト遺伝子が不完全であり、それが中間部の約１５０ａａ領域を欠している可能性を示すが、ゲノム又はＥＳＴ中にカバーするものは存在しない。ヒト配列はマウス配列と比較して長いＣ末端の伸展を有する。
2004519250.tif 000007
【００１２】
マウス及びヒトの両タンパク質はＰＳＯＲＴ分析（Ｎａｋａｉ及びＨｏｒｔｏｎ， １９９９）によって、原形質膜へＰ＝０．６０００で局在化される。他の相同性には、シナプトフォリン、Ｇタンパク質共役レセプターファミリーのメンバー及び腫瘍壊死因子（ＴＮＦ）レセプターに対するものが含まれる。さらに、ヒト配列は、バクテリアにおいてビタミンＢ１２の生合成に関与するコバルトトランスポーターであるＣｂｉＭとの相同性を見出し、伸展における成長因子結合シグナル伝達タンパク質であるＧＲＢ−１０と相同性を有する。マウス配列はペプチドホルモンに結合する７回膜貫通レセプタードメインと相同である。
疎水性分析（図１）は、７回膜貫通ペプチドホルモンレセプターとの相同性を有するマウス配列によって示されるように、ヒト（左のパネル）又はマウス（右のパネル）共に、潜在的に７−８膜貫通配列ドメインタンパク質を有することを示す。親水性のセグメントは、おそらく細胞外であり、免疫特異的抗体がそれに対して調製されるエピトープを構築する。そのような抗体は、ｈＳＴＲＡ６の活性を阻害又は抑止するための治療上の適用を有するであろう；他の抗体はｈＳＴＲＡ６のエフェクター機能に結合し、ｈＳＴＲＡ６の機能を活性化する。
ＧＲＢ−１０などのＧＲＢタンパク質、及び膜カルシウム及びグルコーストランスポーターは癌に関与する（Ｔａｎａｋａ等， １９９８）。従って、ｈＳＴＲＡ６は腫瘍、特に乳及び大腸腫瘍を治療することに対して優れた治療物の候補である。
【００１３】
本発明の核酸及びタンパク質は大腸癌、乳癌、及びメラノーマを含む癌の治療に有用である。例えば、ｈＳＴＲＡ６をコードするｃＤＮＡは遺伝子治療において有用であり、ｈＳＴＲＡ６タンパク質は必要とする患者に投与する場合有用である。ｈＳＴＲＡ６をコードする新規核酸、及び本発明のｈＳＴＲＡ６タンパク質、又はその断片は、さらに診断上の適用において有用であり、その場合核酸又はタンパク質の存在または量が評価される。これらの材料は、さらに治療上又は診断上の方法における使用のために、本発明の新規物質に免疫特異的に結合するＡｂｓの生産において有用である。
ｈＳＴＲＡ６  ポリヌクレオチド
本発明の一態様は、ｈＳＴＲＡ６又はその生物学的に活性な部分をコードする単離された核酸分子に関する。また、本発明には、ｈＳＴＲＡ６コード化核酸（例えば、ｈＳＴＲＡ６ ｍＲＮＡｓ）を同定するハイブリダイゼーションプローブとしての使用に十分な核酸断片、及びｈＳＴＲＡ６分子の増幅及び／又は突然変異導入のためのポリメラーゼ鎖反応（ＰＣＲ）のプライマーとしての使用に対する断片も含まれる。「核酸分子」には、ＤＮＡ分子（例えば、ｃＤＮＡ又はゲノムＤＮＡ）、ＲＮＡ分子（例えば、ｍＲＮＡ）、核酸類似体及び誘導体を用いて生成されるＤＮＡ又はＲＮＡの類似体、断片及び相同体が含まれる。該核酸分子は一本鎖又は二本鎖であってもよいが、好ましくは二本鎖ＤＮＡを含む。
【００１４】
１．プローブ
プローブは可変な長さの核酸配列であり、好ましくは特定の使用に依存して、少なくとも約１０ヌクレオチド（ｎｔ）、１００ｎｔ、又は多数（例えば、６，０００ｎｔ）の間である。プローブは同一、類似又は相補的核酸配列を検出するために使用される。より長いプローブは天然又は組換体の原料から得ることが可能で、非常に特異的であって、より短い長さのオリゴマープローブよりハイブリダイズするのが遅い。プローブは一本又は二本鎖であり、ＰＣＲ、メンブレンを用いたハイブリダイゼーション技術、又はエライザのような技術において特異性を持つようにデザインされる。プローブは、少なくとも至適には１２， ２５， ５０， １００， １５０， ２００， ２５０， ３００， ３５０， 又は４００の連続した配列番号：１又３のセンス鎖ヌクレオチド配列；又は配列番号：１又は３のアンチセンス鎖ヌクレオチド配列；又は配列番号：１又は３の天然に生じる突然変異体のヌクレオチド配列を緊縮性の条件下においてハイブリダイズするであろう実質的に精製されたオリゴマーである。
全体又は部分的長さの天然配列ｈＳＴＲＡ６は、；（１）何れかの種（例えば、ヒト、マウス、ネコ、イヌ、バクテリア、ウィルス、レトロウィルス、酵母）に由来するｃＤＮＡライブラリーからのｈＳＴＲＡ６ ｃＤＮＡの全長又は断片、（２）細胞又は組織に由来する、（３）種内の変異体、及び（４）他の種由来の相同体及び変異体などの類似な（相同な）配列を「取り出す」ために使用される（Ａｕｓｕｂｅｌ等， １９８７；Ｓａｍｂｒｏｏｋ， １９８９）。関連遺伝子をコードする関連配列を見出すために、プローブはユニークな配列又は縮重配列をコードするようにデザインされている。また、配列は天然配列ｈＳＴＲＡ６のプロモーター、エンハンサーエレメント及びイントロンを含むゲノム配列であってもよい。
例えば、他の種におけるｈＳＴＲＡ６コード化領域はそのようなプローブを用いて単離することが可能である。約４０ベースのプローブは、ｈＳＴＲＡ６に基づいてデザインされ、作製される。ハイブリダイゼーションを検出するために、プローブは、例えば、３２Ｐ又は３５Ｓなどの放射ヌクレオチド、又はプローブにアルカリホスファターゼを結合させたアビジン−ビオチンシステムによるような酵素ラベルを用いて標識される。標識化プローブは、所望の種のｃＤＮＡ、ゲノムＤＮＡライブラリー又はｍＲＮＡにおいて、ｈＳＴＲＡ６の配列と相補的な配列を持つ核酸を検出するために使用される。
そのようなプローブは、患者由来の細胞サンプル中のｈＳＴＲＡ６レベルを測定することにより、例えば、ｈＳＴＲＡ６ ｍＲＮＡレベルを検出し又はゲノムｈＳＴＲＡ６が変異を起こしているか又は欠失しているかどうかを決定することにより、ｈＳＴＲＡ６を間違って発現させている細胞又は組織を同定するための診断テストキットの構成として使用することができる。
【００１５】
２．単離された核酸
単離された核酸分子は、核酸の天然原料中に存在する他の核酸分子から分離される。好ましくは、単離された核酸は、核酸が由来する生物のゲノムＤＮＡ中の核酸と元来隣接する配列（即ち、核酸の５’−及び３’−末端に位置する配列）が除かれ得る。例えば、種々の実施態様において、単離されたｈＳＴＲＡ６分子は、核酸が由来する細胞／組織（例えば、脳、心臓、肝臓、脾臓、等）のゲノムＤＮＡ中の核酸分子と元来隣接するヌクレオチド配列の約５ｋｂ， ４ｋｂ， ３ｋｂ， ２ｋｂ， １ｋｂ， ０．５ｋｂ又は０．１ｋｂ未満を包含することができる。さらに、ｃＤＮＡ分子などの単離された核酸分子は、組換体技術によって生産される場合の他の細胞内物質又は培地、又は化学的に合成される場合の化学的前駆体または他の化学物質が実質的に除かれ得る。
本発明の核酸分子、例えば、配列番号：２又は４のヌクレオチド配列又は当該前述の相補鎖を有する核酸分子などは、標準的な分子生物学的技術及び提示される配列情報を用いて単離することができる。配列番号：２又は４の核酸配列の全て又は部分をハイブリダイゼーションプローブとして用いて、ｈＳＴＲＡ６分子を標準的ハイブリダイゼーション及びクローニング技術（Ａｕｓｕｂｅｌ等， １９８７；Ｓａｍｂｒｏｏｋ， １９８９）を用いて単離することができる。
ＰＣＲ増幅技術はｃＤＮＡ、ｍＲＮＡ又は或いはゲノムＤＮＡをテンプレート及び適当なオリゴヌクレオチドプライマーとして用いて、ｈＳＴＲＡ６を増幅するために使用することができる。そのような核酸は適当なベクター中にクローン化することができ、ＤＮＡ配列解析によって性質決定を行うことができる。さらに、ｈＳＴＲＡ６配列に相当するオリゴヌクレオチドは、標準的な合成技術、例えば、自動ＤＮＡ合成装置などによって調製することができる。
【００１６】
３．オリゴヌクレオチド
オリゴヌクレオチドは、一連の連結されたヌクレオチド残基を含み、オリゴヌクレオチドはＰＣＲ反応又は他の適用において使用されるのに十分な数のヌクレオチドベースを有する。短いオリゴヌクレオチド配列は、ゲノム又はｃＤＮＡ配列に基づき又はデザインされ、特定の細胞又は組織中の同一、類似又は相補的なＤＮＡ又はＲＮＡの存在を増幅し、確証し、又は明らかにするために用いられる。オリゴヌクレオチドは長さが約１０ｎｔ、５０ｎｔ、又は１００ｎｔで、好ましくは長さが約１５ｎｔから３０ｎｔである核酸の部分を含む。本発明の一実施態様において、長さが１００ｎｔ未満の核酸分子を含むオリゴヌクレオチドがさらに配列番号：１又は３、又はその相補鎖の少なくとも６つの連続するヌクレオチドを含む。オリゴヌクレオチドは化学的に合成され、プローブとして使用されてもよい。
４．相補的核酸配列；結合
他の実施態様において、本発明の単離された核酸分子は配列番号：１又は３に示されるヌクレオチド配列、又はこのヌクレオチド配列の一部（例えば、プローブ又はプライマー又はｈＳＴＲＡ６の生物学的に活性な部分をコードする断片として使用され得る断片）と相補的である核酸分子を含む。配列番号：１又は３に示されるヌクレオチド配列と相補的な核酸分子は、配列番号：１又は３に示されるヌクレオチド配列と十分相補的であるもの、つまり配列番号：１又は３に示されるヌクレオチド配列と殆ど又は全くミスマッチな水素結合を形成せず、それにより安定な二重鎖を形成する。
「相補的」とは、核酸分子のヌクレオチドユニット間のワトソン−クリック又はフーグスチンベース対形成のことを指し、「結合」という用語は、２つのポリペプチド、化合物又は関連するポリペプチド又は化合物又はそれらの組み合わせ間の物理的又は化学的相互作用を意味する。結合には、イオン的、非イオン的、ファンデルワールス的、疎水的、相互作用及びこれに類似するものが含まれる。物理的相互作用は直接的又は間接的のどちらかである可能性がある。間接的相互作用は、他のポリペプチド又は化合物の効果を通じ又は依存する可能性がある。直接的結合とは、他のポリペプチド又は化合物の効果を通じて又はその結果として起こらず、その代わりに他の実質的な化学的中間体無しでは起こらない相互作用のことを意味する。
核酸断片は少なくとも６（連続した）の核酸又は少なくとも４（連続した）のアミノ酸であって、核酸配列の場合には特異的なハイブリダイゼーション、又はアミノ酸の場合にはエピトープの特異的な認識をそれぞれ可能ならしめるのに十分な長さであり、長くても全長配列未満のある部分である。断片は選択された核酸又はアミノ酸配列の何れかの連続する部分に由来する。
【００１７】
５．誘導体、及び類似体
誘導体は、天然化合物から直接、又は修飾により、又は部分置換によって形成される核酸配列又はアミノ酸配列である。類似体は、天然配列と同一ではないが構造類似性を持ち、ある構成成分又は側鎖に関して異なる核酸配列又はアミノ酸配列である。類似体は、合成されるか又は異なる進化的起源に由来し、野生型と比較して類似の又は逆の代謝活性を持つ。相同体は異なる種から派生する特定の遺伝子の核酸配列又はアミノ酸配列のことである。
誘導体及び類似体は全長であり、又は誘導体又は類似体が以下に記述されるような修飾された核酸又はアミノ酸を含むならば、全長ではない。本発明の核酸又はタンパク質の誘導体又は類似体には、限定はしないが、本発明の核酸又はタンパク質と、種々の実施態様において、同じサイズの核酸又はアミノ酸配列に対して少なくとも７０％， ８０％， 又は９５％の同一性（好ましい同一性８０−９５％を有し）により、又はアライメントが当該技術分野において既知のコンピューターホモロジープログラムによって行われる整列配列と比較される場合、又はそのコード化核酸が緊縮性のストレンジェンシー、又は中程度のストレンジェンシー又は低いストレンジェンシーの条件下で前述のタンパク質をコードする配列の相補鎖とハイブリダイズ化することができるような（Ａｕｓｕｂｅｌ等， １９８７）、実質的に相同である領域を含む分子が含まれる。
６．相同性
「相同な核酸配列」又は「相同なアミノ酸配列」又はその変異は、上述のようなヌクレオチドレベル又はアミノ酸レベルでの相同性によって特徴付けられる配列のことを指す。相同なヌクレオチド配列はｈＳＴＲＡ６のアイソフォームをコードする配列をコードする。アイソフォームは、例えば、ＲＮＡの選択的スプライシングの結果同一の生物の異なる組織において発現し得る。或いは、異なる遺伝子がアイソフォームをコードすることもあり得る。本発明において、相同なヌクレオチド配列は、限定はしないが：脊椎動物、従って、例えば、カエル、マウス、ラット、ウサギ、イヌ、ネコ、ウシ、ウマ、及び他の生物を含むヒト以外の種のｈＳＴＲＡ６をコードするヌクレオチド配列を含む。また、相同なヌクレオチド配列には、限定はしないが、天然に生じる対立遺伝子の変異及びここで記載した核酸配列の突然変異も含まれる。しかしながら、相同なヌクレオチド配列にはヒトｈＳＴＲＡ６をコードするヌクレオチド配列そのものは含まれない。相同な核酸配列には配列番号：２又は４中の保存的なアミノ酸置換（以下を参照）、並びにｈＳＴＲＡ６の生物学的活性を持つポリペプチドをコードするこれらの核酸配列が含まれる。ｈＳＴＲＡ６の種々の生物学的活性は以下に記載する。
７．オープンリーディングフレーム
ｈＳＴＲＡ６遺伝子のオープンリーディングフレーム（ＯＲＦ）はｈＳＴＲＡ６をコードする。ＯＲＦは開始コドン（ＡＴＧ）を持ち、３つの「ストップ」コドン（ＴＡＡ， ＴＡＧ， 又はＴＧＡ）の一つによって終結する。しかしながら、本発明において、ＯＲＦは開始コドン及びストップコドンを含むか若しくは含まないコード化配列の何れかの部分であり得る。ユニークな配列を達成するために、好ましいｈＳＴＲＡ６ ＯＲＦｓは少なくとも５０アミノ酸をコードする。
【００１８】
ＳＴＲＡ６ポリペプチド
１．成熟
ｈＳＴＲＡ６は成熟ｈＳＴＲＡ６をコードする。当該発明で開示されるポリペプチド又はタンパク質の「成熟」形態は、天然に生じるポリペプチド又は前駆体形態又はプロタンパク質である。天然に生じるポリペプチド、前駆体又はプロタンパク質には、非限定的な例として、対応する遺伝子によってコードされる全長遺伝子産物が含まれる。或いは、ここで記載されるオープンリーディングフレームによってコードされるポリペプチド、前駆体又はプロタンパク質として定義される。「成熟」形態産物は、再度非限定的な例示によると、その遺伝子産物が生じる細胞又は宿主細胞内で起こる一又は複数の天然に発生するプロセッシングのステップの結果生じる。そのようなポリペプチド又はタンパク質の「成熟」形態へと誘導するプロセッシングステップの例には、オープンリーディングフレームの開始コドンによってコードされるＮ末端メチオニン残基の切断、又はシグナルペプチドもしくはリーダー配列のタンパク質分解性の切断が含まれる。従って、残基１がＮ末端のメチオニンである残基１〜Ｎからなる前駆体ポリペプチド又はタンパク質から生じる成熟形態は、Ｎ末端メチオニンを除去した残りの残基２〜Ｎを持つ。或いは、残基１〜残基Ｍに由来するＮ末端シグナル配列が切断される残基１〜Ｎを持つ前駆体ポリペプチド又はタンパク質から生じる成熟形態は、残りの残基Ｍ＋１〜残基Ｎに百合する残基を持つであろう。さらに、ここで使用されるように、ポリペプチド又はタンパク質の「成熟」形態は、タンパク質分解性切断よりもむしろ翻訳後修飾のステップから生じる可能性がある。このような更なるプロセスには、非限定的な例示によるが、グリコシル化、ミリストイル化又はリン酸化が含まれる。一般に、成熟ポリペプチド又はタンパク質はこれらのプロセスの一つだけ、又はそれらの何れかの組み合わせによる操作の結果生じる。
２．活性な
活性なｈＳＴＲＡ６ポリペプチド又はｈＳＴＲＡ６ポリペプチド断片は、成熟形態を含む本発明の天然に生じる（野生型）ｈＳＴＲＡ６の活性と必ずしも同一ではないが類似の生物学的及び／又は免疫学的活性を保持する。容量依存性を持つ又は持たない特定の生物学的アッセイは、ｈＳＴＲＡ６活性を決定するのに用いることができる。ｈＳＴＲＡ６の生物学的に活性な部分をコードする核酸断片は、ｈＳＴＲＡ６の生物学的活性（ｈＳＴＲＡ６の生物学的活性は以下に記載されている）を持つポリペプチドをコードする配列番号：１又は３の部分を単離し、ｈＳＴＲＡ６のコード化部分（例えば、インヴィトロにおける組換体発現）を発現し、ｈＳＴＲＡ６のコードされる部分の活性を評価することによって調製することができる。免疫学的活性とは、天然のｈＳＴＲＡ６によって保持される抗原性エピトープに対する抗体の産生を誘導するための能力を指し；生物学的活性とは、免疫学的活性を除く天然ｈＳＴＲＡ６によって誘起される、阻害性又は刺激性のいずれかの機能のことを指す。
【００１９】
ｈＳＴＲＡ６核酸変異体及びハイブリダイゼーション
１．変異体ポリヌクレオチド、遺伝子及び組換体遺伝子
さらに本発明は、遺伝子コードの縮重によって配列番号：１又は３に示されるヌクレオチド配列とは異なるが、配列番号：１又は３に示される核酸配列によってコードされるものと同一のｈＳＴＲＡ６をコードする核酸分子をも包含する。本発明の単離された核酸分子は、配列番号：２又は４に示されるアミノ酸配列を持つタンパク質をコードする核酸配列を有する。
配列番号：１又は３に示されるｈＳＴＲＡ６配列に加えて、ｈＳＴＲＡ６のアミノ酸配列を変化させるＤＮＡ配列の多型が集団の中に存在する。例えば、個々の対立遺伝子変異がｈＳＴＲＡ６中の遺伝的多型を示すであろう。「遺伝子」及び「組換遺伝子」という用語は、ｈＳＴＲＡ６、好ましくは脊椎動物のｈＳＴＲＡ６をコードするオープンリーディングフレーム（ＯＲＦ）を含む核酸分子のことを意味する。このような天然の対立遺伝子の変異は、典型的にはｈＳＴＲＡ６中に１−５％の変動が生じる可能性がある。ｈＳＴＲＡ６中のこのような何れか及び全てのヌクレオチド変異と結果的に生じるアミノ酸多型は、天然の対立遺伝子変異の結果であり、ｈＳＴＲＡ６の機能的活性を変更しないものであって、本発明の範囲内のものである。
さらに、配列番号：１又は３のヒト配列とは異なるヌクレオチド配列を持つ他の種由来のｈＳＴＲＡ６が考慮される。本発明のｈＳＴＲＡ６ ｃＤＮＡの天然の対立遺伝子変異及び相同体に相当する核酸分子は、緊縮性の条件下で相同なｈＳＴＲＡ６配列とハイブリダイズするｃＤＮＡ由来のプローブを用いて配列番号：１又は３のｈＳＴＲＡ６との相同性に基づいて単離することができる。
「ｈＳＴＲＡ６変異体ポリヌクレオチド」又は「ｈＳＴＲＡ６変異体核酸配列」とは、（１）全長の天然ｈＳＴＲＡ６、（２）シグナルペプチドを欠く全長天然ｈＳＴＲＡ６、（３）シグナルペプチドを持つか又は持たないｈＳＴＲＡ６の細胞外ドメイン、又は（４）全長ｈＳＴＲＡ６の他の何れかの断片をコードする核酸配列と少なくとも約８０％の核酸配列同一性を持つ活性なｈＳＴＲＡ６をコードする核酸分子を意味する。一般に、ｈＳＴＲＡ６変異体ポリヌクレオチドは、全長の天然ｈＳＴＲＡ６をコードする核酸配列と少なくとも約８０％核酸配列同一性、より好ましくは少なくとも約８１％， ８２％， ８３％， ８４％， ８５％， ８６％， ８７％， ８８％， ８９％， ９０％， ９１％， ９２％， ９３％， ９４％， ９５％， ９６％， ９７％， ９８％の核酸配列同一性、さらにより好ましくは少なくとも約９９％の核酸配列同一性を持つであろう。ｈＳＴＲＡ６変異体ポリヌクレオチドは、シグナルペプチドを欠く全長天然ｈＳＴＲＡ６、シグナル配列を持つか又は持たないｈＳＴＲＡ６の細胞外ドメイン、又は全長ｈＳＴＲＡ６の他の何れかの断片をコードする可能性がある。変異体は天然ヌクレオチド配列を包含しない。
一般に、ｈＳＴＲＡ６変異体ポリヌクレオチドは少なくと長さが約３０ヌクレオチドであり、しばしば少なくとも長さが約６０， ９０， １２０， １５０， １８０， ２１０， ２４０， ２７０， ３００， ４５０， ６００ヌクレオチドであり、さらにしばしば少なくと長さが約９００ヌクレオチド又はそれより長い。
【００２０】
ここで同定されるｈＳＴＲＡ６コード化核酸配列に対する「パーセント（％）核酸配列同一性」は、配列を整列させ、最大のパーセント配列同一性を得るために必要ならば間隙を導入し、対象のｈＳＴＲＡ６配列中のヌクレオチドと同一である候補配列中のヌクレオチドのパーセントとして定義される。パーセント核酸配列同一性を決定する目的のためのアライメントは、当業者の知る範囲にある種々の方法、例えばＢＬＡＳＴ、ＢＬＡＳＴ−２、ＡＬＩＧＮ又はＭｅｇａｌｉｇｎ（ＤＮＡＳＴＡＲ）ソフトウエアのような公に入手可能なコンピュータソフトウエアを使用することにより達成可能である。当業者であれば、比較される配列の全長に対して最大のアライメントを達成するために必要な任意のアルゴリズムを含む、アライメントを測定するための適切なパラメータを決定することができる。
核酸配列を整列させる場合、与えられた核酸配列Ｃの、与えられた核酸配列Ｄとの、又はそれに対する％核酸配列同一性（あるいは、与えられたアミノ酸配列Ｄと、又はそれに対して或る程度の％核酸配列同一性を持つ又は含む与えられた核酸配列Ｃと言うこともできる）は次のように計算される：
％核酸配列同一性＝Ｗ／Ｚ・１００
ここで、
ＷはＣ及びＤの配列アラインメントプログラム又はアルゴリズムのアライメントによって同一に一致したとコアされた核酸残基の数であり、
ＺはＤの全核酸残基数である。
核酸配列Ｃの長さが核酸配列Ｄの長さと等しくない場合、ＣのＤに対する％核酸配列同一性は、ＤのＣに対する％核酸配列同一性とは異なる。
２．緊縮性
相同体（即ち、ヒト以外の種に由来するＳＴＲＡ６をコードする核酸）又は他の関連配列（例えば、パラログ）は、核酸ハイブリダイゼーション及びクローニングに関する技術分野において周知の方法を用いて、プローブとして特定のヒト配列の全体又は部分を使用し、低い、中程度又は高い緊縮性のハイブリダイゼーションにより得ることができる。
相補性断片とハイブリダイズする一本鎖ＤＮＡの特異性は、反応条件の「緊縮性」によって決められる。ＤＮＡ二重鎖を形成させる傾向が低下すると、ハイブリダイゼーションの緊縮性は増大する。核酸ハイブリダイゼーション反応において、緊縮性は、いずれかの好ましい特異性のハイブリダイゼーション（高い緊縮性）になるように選択することが可能であり、例えば、ライブラリーから全長クローンを同定するために用いることができる。より低い特異性のハイブリダイゼーション（低い緊縮性）は、関連性はあるが正確ではないＤＮＡ分子（相同体ではあるが同一ではない）又はセグメントを同定するために用いることができる。
【００２１】
ＤＮＡ二重鎖は、（１）相補的な塩基対の数、（２）塩基対のタイプ、（３）反応混合液の塩濃度（イオン強度）、（４）反応温度、及び（５）ＤＮＡ二重鎖の安定性を低下させるホルムアミドなどのある種の有機溶媒の存在によって安定化される。一般に、プローブが長くなれば、適切なアニーリングのためにより高い温度が必要である。通常のアプローチは温度を変化させることである：より高い相対温度はより緊縮性のある反応条件となる。（Ａｕｓｕｂｅｌ等， １９８７）には、ハイブリダイゼーション反応の緊縮性に関する優れた説明が提示されている。
「緊縮性の条件」下でハイブリダイズするとは、互いに少なくとも６０％の相同性を持つヌクレオチド配列がハイブリダイズした状態にあるようなハイブリダイズプロトコルのことである。一般に、緊縮性の条件は、設定されたイオン強度及びｐＨにおける特異的配列に対する熱融点（Ｔｍ）より約５℃低いように選択される。Ｔｍは標的の配列と相補的なプローブの５０％が標的配列と平衡を保ってハイブリダイズする温度である（設定されたイオン強度、ｐＨ及び核酸濃度）。標的配列は一般に過剰に存在するため、Ｔｍではプローブの５０％が平衡状態となる。
（ａ）高い緊縮性
「緊縮性条件」条件では、プローブ、プライマー又はオリゴヌクレオチドがその標的配列にのみハイブリダイズすることができる。緊縮性条件は配列依存的で、相違する。「緊縮性条件」には、（１）低いイオン強度及び高い温度での洗浄（例えば、５０℃において、１５ ｍＭの塩化ナトリウム、１．５ ｍＭのクエン酸ナトリウム、０．１％のドデシル硫酸ナトリウム）；（２）ハイブリッド形成中に変性剤、（例えば、５０％（ｖ／ｖ）ホルムアミド、０．１％ウシ血清アルブミン、０．１％フィコール、０．１％のポリビニルピロリドン、５０ｍＭのリン酸ナトリウムバッファー（ｐＨ６．５；７５０ｍＭの塩化ナトリウム、７５ｍＭクエン酸ナトリウム、４２℃）；又は（３）５０％ホルムアミド。典型的には、洗浄にも、５ ｘ ＳＳＣ（０．７５Ｍ ＮａＣｌ、７５ｍＭ クエン酸ナトリウム）、５０ｍＭのリン酸ナトリウム（ｐＨ ６．８）、０．１％のピロリン酸ナトリウム、５ｘデンハード液、超音波処理サケ精子ＤＮＡ（５０μｇ／ｍｌ）、０．１％ＳＤＳ、及び１０％のデキストラン硫酸が含まれ、４２℃における０．２ｘ ＳＳＣ（塩化ナトリウム／クエン酸ナトリウム）中の洗浄及び５５℃でのホルムアミド、次いで５５℃におけるＥＤＴＡを含む０．１ｘ ＳＳＣからなる高い緊縮性洗浄が含まれる。好ましくは、条件は、少なくと約６５％， ７０％， ７５％， ８５％， ９０％， ９５％， ９８％， 又は９９％の相同性を持つ配列が、典型的には互いにハイブリダイズした状態にあるような条件である。これらの条件は、実施例に示してあるが、限定することが意味されるものではない。
（ｂ）中程度の緊縮性
「中程度の緊縮性条件」は、ポリヌクレオチドが配列番号：１、３、５又は７の全長、断片、誘導体又は類似体とハイブリダイズするような、より低い緊縮性の洗浄溶液及びハイブリダイゼーション条件を用いる（Ｓａｍｂｒｏｏｋ， １９８９）。一実施例には、５５℃において、６Ｘ ＳＳＣ、５ｘデンハード液、０．５％ ＳＤＳ及び１００ ｍｇ／ｍｌ 変性サケ精子ＤＮＡ中でのハイブリダイゼーション、次いで３７℃において１Ｘ ＳＳＣ、０．１％ ＳＤＳ中での一又は複数回の洗浄が含まれる。温度、イオン強度等は、プローブ長などの実験的要因を至適化させるように調整することができる。他の中程度の緊縮性条件は（Ａｕｓｕｂｅｌ等， １９８７；Ｋｒｉｅｇｌｅｒ， １９９０）中に記載されている。
（ｃ）低い緊縮性
「低い緊縮性条件」は、ポリヌクレオチドが配列番号：１、３、５又は７の全長、断片、誘導体又は類似体とハイブリダイズするような、中程度の緊縮性よりも低い緊縮性の洗浄溶液及びハイブリダイゼーション条件を用いる（Ｓａｍｂｒｏｏｋ， １９８９）。低い緊縮性条件の非限定的な実施例は、４０℃において、３５％のホルムアミド、５Ｘ ＳＳＣ、５０ ｍＭ Ｔｒｉｓ−ＨＣｌ（ｐＨ７．５）、５ ｍＭ ＥＤＴＡ、０．０２％ ＰＶＰ、０．０２％ フィコール、０．２％ ＢＳＡ、１００ ｍｇ／ｍｌ 変性サケ精子ＤＮＡ、１０％（ｗｔ／ｖｏｌ） 硫酸デキストラン中でのハイブリダイゼーション、次いで５０℃において２Ｘ ＳＳＣ、２５ ｍＭ Ｔｒｉｓ−ＨＣｌ（ｐＨ７．４）、５ｍＭ ＥＤＴＡ、及び０．１％ ＳＤＳ中での一又は複数回の洗浄である。種間ハイブリダイゼーションなどの他の低い緊縮性条件は、（Ａｕｓｕｂｅｌ等， １９８７；Ｋｒｉｅｇｌｅｒ， １９９０；Ｓｈｉｌｏ及びＷｅｉｎｂｅｒｇ， １９８１）中に記載されている。
【００２２】
３．保存的変異
天然に生じるｈＳＴＲＡ６対立遺伝子変異に加えて、ｈＳＴＲＡ６をコードするアミノ酸配列中のｈＳＴＲＡ６の機能を変えない変更を受ける変化は配列番号：１又は３の配列中に突然変異により導入することができる。例えば、「本質的でない」アミノ酸残基においてアミノ酸置換を誘起するヌクレオチド置換を、配列番号：２又は４の配列中に作製することができる。「本質的でない」アミノ酸残基とは、生物学的活性を変更することなくｈＳＴＲＡ６の野生型配列から変更され得る残基のことであり、「本質的な」アミノ酸残基は、そのような生物学的活性にとって必要である。例えば、本発明のｈＳＴＲＡ６中で保存されるアミノ酸残基は、特に変更を受けいれ難いものであると予測される。保存的置換が行われ得るアミノ酸は当該技術において周知である。
有用な保存的置換は、表Ａの「好ましい置換」中に示される。１クラスのアミノ酸が同じタイプの他のアミノ酸と置換される保存的置換は、当該置換が物質的に化合物の生物学的活性を変更しない限りにおいて、当該発明の範囲内に入る。そのような置換によって生物学的活性に変化が生じる場合、その時は、例として表Ｂに示される、より本質的変化が導入されており、生成物はｈＳＴＲＡ６ポリペプチドの生物学的活性に対してスクリーニングされる。
2004519250.tif 000008
【００２３】
（１）β−シート又はα−へリックスコンフォメーションなどのポリペプチド骨格の構造、（２）荷電又は（３）疎水性、又は（４）標的部位の側鎖部分に影響を与える非保存的な置換は、ｈＳＴＲＡ６ポリペプチドの機能又は免疫学的同一性を修飾することができる。残基は、表Ｂ中に示される一般的な側鎖の特性に基づいてグループに分類される。非保存的置換は、必然的にこれらのクラスの１メンバーを他のクラスと置換えることを伴うものである。
2004519250.tif 000009
変異体ポリペプチドはオリゴヌクレオチド媒介（部位特異的）突然変異導入法、アラニンスキャンニング、及びＰＣＲ突然変異導入法などの当該技術分野において既知の方法を用いて行うことができる。部位特異的突然変異導入法（Ｃａｒｔｅｒ， １９８６；Ｚｏｌｌｅｒ及びＳｍｉｔｈ， １９８７）、カセット突然変異導入法、限定的選択突然変異導入法（Ｗｅｌｌｓ等， １９８５）又は他の既知の技術は、ｈＳＴＲＡ６変異ＤＮＡを生産するために、クローン化されたＤＮＡ上で実施することができる（Ａｕｓｕｂｅｌ等， １９８７；Ｓａｍｂｒｏｏｋ， １９８９）。
一実施態様において、単離された核酸分子には、タンパク質をコードするヌクレオチド配列であって、該タンパク質が配列番号：２又は４と少なくとも約４５％、好ましくは６０％、より好ましくは７０％、８０％、９０％、及び最も好ましくは約９５％の相同なアミノ酸配列を含むタンパク質を包含する。
４．アンチセンス核酸
アンチセンス及びセンスｈＳＴＲＡ６オリゴヌクレオチドは、ｈＳＴＲＡ６ポリペプチドの発現を阻止することができる。これらのオリゴヌクレオチドは標的核酸配列と結合し、二重鎖の分解を促進し、未成熟な転写又は翻訳を終結させ、又は他の方法によって標的配列の転写又は翻訳をブロックする二重鎖を形成する。
アンチセンス又はセンスのオリゴヌクレオチドは、ＲＮＡ又はＤＮＡどちらかの一本鎖核酸であり、標的ｈＳＴＲＡ６ ｍＲＮＡ（センス）又はｈＳＴＲＡ６ ＤＮＡ（アンチセンス）配列と結合することができる。アンチセンス核酸はワトソン−クリック又はフーグスチンの塩基対ルールに従ってデザインすることができる。アンチセンス核酸分子はｈＳＴＲＡ６ ｍＲＮＡの全コード化領域に対して相補的で、より好ましくは、ｈＳＴＲＡ６ ｍＲＮＡのコード化又は非コード化領域の一部分だけに相補であり得る。例えば、アンチセンスオリゴヌクレオチドはｈＳＴＲＡ６ ｍＲＮＡの翻訳開始部位を囲む領域に対して相補的であり得る。アンチセンス又はセンスオリゴヌクレオチドは、少なくとも約１４ヌクレオチド、好ましくは約１４から３０ヌクレオチドのｈＳＴＲＡ６ ＤＮＡコード化領域の断片を含む可能性がある。一般に、アンチセンスＲＮＡ又はＤＮＡ分子は少なくとも長さが５， １０， １５， ２０， ２５， ３０， ３５， ４０， ４５， ５０， ５５， ６０， ６５， ７０， ７５， ８０， ８５， ９０， ９５， １００のベース又はそれより長いものを含む可能性がある。特に、（Ｓｔｅｉｎ及びＣｏｈｅｎ， １９８８；ｖａｎ ｄｅｒ ｋｒｏｌ等， １９８８ａ）には、任意のｃＤＮＡ配列からアンチセンス又はセンスオリゴヌクレオチドを誘導させる方法が記載されている。
【００２４】
アンチセンス核酸を生成するのに用いることができる修飾されたヌクレオチドの例として、：５−フルオロウラシル、５−ブロモウラシル、５−クロロウラシル、５−ヨードウラシル、ヒポキサンチン、キサンチン、４−アセチルシトシン、５−（カルボキシヒドロキシルメチル）ウラシル、５−カルボキシメチルアミノメチル−２−チオウリジン、５−カルボキシメチルアミノメチルウラシル、ジヒドロウラシル、β−Ｄ−ガラクトシルクエオシン、イノシン、Ｎ６−イソペンテニルアデニン、１−メチルグアニン、１−メチルイノシン、２，２−ジメチルグアニン、２−メチルアデニン、２−メチルグアニン、３−メチルシトシン、５−メチルシトシン、Ｎ６−アデニン、７−メチルグアニン、５−メチルアミメチルウラシル、５−メトキシアミノメチル−２−チオウラシル、β−Ｄ−マンノシルクエオシン、５’−メトキシカルボキシメチルウラシル、５−メトキシウラシル、２−メチルチオ−Ｎ６−イソペンテニルアデニン、ウラシル−５−オキシ酢酸（Ｖ）、ワイブトキソシン、シュードウラシル、キュエオシン、２−チオシトシン、５−メチル−２−チオウラシル、２−チオウラシル、４−チオウラシル、５−メチルウラシル、ウラシル−５−オキシ酢酸メチルエステル、ウラシル−５−オキシ酢酸（Ｖ）、５−メチル−２−チオウラシル、３−（３−アミノ−３−Ｎ−２−カルボキシプロピル）ウラシル、（ａｃｐ３）ｗ、及び２，６−ジアミノプリンが含まれる。或いは、アンチセンス核酸は、転写されたＲＮＡが対象の標的核酸に対して相補的になるようなアンチセンスの方向でサブクローン化された発現ベクターを用いて生物学的に発現させることができる。
アンチセンス又はセンスのオリゴヌクレオチドを標的細胞（標的核酸配列を含む細胞）中へ導入するためには、何らかの遺伝子導入法が用いられる。遺伝子導入法の例には、（１）エプステイン−バーウィルスなどの遺伝子導入ベクター、又は外来性のＤＮＡをリガンド結合分子に結合させることなどの、生物学的な、（２）エレクトロポレーション及びインジェクションなどの物理的な、（３）ＣａＰＯ４沈殿及びオリゴヌクレオチド−複合体などの化学的なものが含まれる。
【００２５】
アンチセンス又はセンスオリゴヌクレオチドは適切な遺伝子導入レトロウィルスベクター中へ挿入される。標的核酸配列を含む細胞を、インヴィボ又はエクスヴィボにおいて組換体レトロウィルスベクターと接触させる。適当なレトロウィルスベクターの例には、マウスレトロウィルス Ｍ−ＭｕＬＶ、Ｎ２（Ｍ−ＭｕＬＶに由来するレトロウィルス）、又はＤＣＴ５Ａ、ＤＣＴ５Ｂ及びＤＣＴ５Ｃと表される二重コピーベクターが含まれる（国際公開第９０／１３６４１号， １９９０）。十分な核酸分子の転写を達成するためには、アンチセンス核酸分子の転写が強力なｐｏｌ ＩＩ又はｐｏｌ ＩＩＩによってコントロールされるベクターコンストラクトが好ましい。
細胞の混合集団中の標的細胞を特定するために、標的細胞に対して特異的な細胞表面レセプターを開発することができる。アンチセンス及びセンスオリゴヌクレオチドを、（国際公開第 ９１／０４７５３号， １９９１）中に記載されるように、リガンド結合分子と結合させる。リガンドは標的細胞に特異的なレセプターに対して選択される。適切なリガンド結合分子の例には、細胞表面レセプター、成長因子、サイトカイン、又は細胞表面レセプター又は分子と結合する他のリガンドが含まれる。好ましくは、リガンド結合分子の結合は、実質的に、レセプター又は分子のリガンド結合分子結合体と結合する能力を妨害せず、又はセンス又はアンチセンスオリゴヌクレオチド又はその結合体形態の細胞内への侵入を阻止しない。
リポソームは効率的にセンス又はアンチセンスオリゴヌクレオチドを細胞へ導入する（国際公開第９０／１０４４８号， １９９０）。センス又はアンチセンスオリゴヌクレオチド−脂質複合体は、内在性のリパーゼによって細胞内で好適に分離される。  本発明のアンチセンス核酸分子は、α−アノマー核酸分子であってもよい。α−アノマー核酸分子は、通常のα−ユニットとは反対に、ストランドが互いに平行に走るように、相補的ＲＮＡと特異的な二重鎖ハイブリッドを形成する（Ｇａｕｔｉｅｒ等， １９８７）。アンチセンス核酸分子は、２’−Ｏ−メチルリボヌクレオチド（Ｉｎｏｕｅ等， １９８７ａ）又はキメラＲＮＡ−ＤＮＡ類似体（Ｉｎｏｕｅ等， １９８７ｂ）も含み得る。
一実施態様において、本発明のアンチセンス核酸はリボザイムである。リボザイムは、相補的な領域を持つ、ｍＲＮＡなどの一本鎖核酸を切断することができるリボヌクレアーゼ活性を持つ触媒性のＲＮＡである。従って、ハンマーヘッドリボザイム（Ｈａｓｅｌｏｆｆ及びＧｅｒｌａｃｈ， １９８８）などのリボザイムは、ｈＳＴＲＡ６ ｍＲＮＡ転写産物を触媒的に切断するために用いることができ、その結果翻訳を阻害する。ｈＳＴＲＡ６−コード化核酸に対して特異的なリボザイムは、ｈＳＴＲＡ６ ｃＤＮＡのヌクレオチド配列（即ち、配列番号：１又は３）に基づいてデザインすることができる。例えば、活性部位のヌクレオチド配列がｈＳＴＲＡ６コード化ｍＲＮＡ中で切断されるヌクレオチド配列と相補的であるテトラヒメナ Ｌ−１９ ＩＶＳ ＲＮＡの誘導体を構築することができる（Ｃｅｃｈ等， 米国特許第５，１１６，７４２号， １９９２；Ｃｅｃｈ等， 米国特許第４，９８７，０７１号， １９９１）。また、ｈＳＴＲＡ６ ｍＲＮＡは、ＲＮＡ分子のプールから特異的なリボヌクレアーゼ活性を持つ触媒性ＲＮＡを選択するためにも使用することができる（Ｂａｒｔｅｌ及びＳｚｏｓｔａｋ， １９９３）。
【００２６】
或いは、ｈＳＴＲＡ６の発現は、標的細胞中でのｈＳＴＲＡ６の転写を阻害する三重らせん構造を形成するためのｈＳＴＲＡ６の制御領域（例えば、ｈＳＴＲＡ６プロモーター及び／又はエンハンサー）と相補的な標的ヌクレオチド配列によって阻害することもできる（Ｈｅｌｅｎｅ， １９９１；Ｈｅｌｅｎｅ等， １９９２；Ｍａｈｅｒ， １９９２）。
アンチセンス及びセンスオリゴヌクレオチドの修飾は、それらの有効性を増大することができる。修飾された糖−ホスホジエステル結合又は他の糖連鎖（国際公開第９１／０６６２９号， １９９１）は、標的配列に対する結合特異性を損なうことなく内在性ヌクレアーゼに対する抵抗性を与えることによりインヴィボにおける安定性を増大させる。他の修飾は、標的に対するオリゴヌクレオチドの親和性を増大することができ、例えば、共有結合性有機体部分（国際公開第９０／１０４４８号， １９９０）又はポリ−（Ｌ）−リジンなどである。他の結合は、標的に対するオリゴヌクレオチドの結合特異性を修飾し、金属複合体又はインターカレート（例えば、エリプチシン）及びアルキル化剤を含む。
例えば、核酸のデオキシリボースリン酸骨格は、ペプチド核酸を生産するために修飾することができる（Ｈｙｒｕｐ及びＮｉｅｌｓｅｎ， １９９６）。「ペプチド核酸」又は「ＰＮＡｓ」は、デオキシリボースリン酸骨格が疑似ペプチド骨格によって置換され、４つの元来のヌクレオ塩基のみが保持される核酸模倣体（例えば、ＤＮＡ模倣体）を指す。ＰＮＡの中性の骨格は、低イオン強度条件下において、ＤＮＡ及びＲＮＡに対する特異的なハイブリダイゼーションを可能にする。ＰＮＡオリゴマーの合成は、標準的固相ペプチド合成手順を用いて実施することができる（Ｈｙｒｕｐ及びＮｉｅｌｓｅｎ， １９９６；Ｐｅｒｒｙ−Ｏ’Ｋｅｅｆｅ等， １９９６）。
ｈＳＴＲＡ６のＰＮＡｓは、治療的及び診断上の適用において使用することができる。例えば、ＰＮＡｓは、転写又は翻訳停止を誘導し、又は複製を阻害することにより遺伝子発現の配列特異的な修飾のためのアンチセンス又は抗遺伝子剤として使用することができる。ｈＳＴＲＡ６ ＰＮＡｓは、単一塩基対変異の解析（例えば、ＰＣＲクランピングによるＰＮＡにおいて；他の酵素、例えば、Ｓ１ヌクレアーゼ（Ｈｙｒｕｐ及びＮｉｅｌｓｅｎ， １９９６）と組合わせて使用するとき、人工的な制限酵素として；又はＤＮＡ配列及びハイブリダイゼーションのためのプローブ又はプライマーとして（Ｈｙｒｕｐ及びＮｉｅｌｓｅｎ， １９９６；Ｐｅｒｒｙ−Ｏ’ｋｅｅｆｅ等， １９９６）用いることも可能であろう。
【００２７】
ｈＳＴＲＡ６のＰＮＡｓはそれらの安定性または細胞内への取込みを増強するために修飾することができる。親油性又は他のヘルパーグループがＰＮＡｓ、ＰＮＡ−ＤＮＡ二量体構造に付着してもよく、又はリポソーム又は他の薬剤デリバリー技術の使用でもよい。例えば、ＰＮＡとＤＮＡの有利な特性を兼ね備えるＰＮＡ−ＤＮＡキメラを生成することができる。このようなキメラは、ＤＮＡ認識酵素（例えば、ＲＮａｓｅ Ｈ及びＤＮＡポリメラーゼ）がＤＮＡ部分と相互作用し、一方ＰＮＡ部分は高い結合親和性及び特異性を提供することを可能にする。ＰＮＡ−ＤＮＡキメラは、塩基のスタッキング、ヌクレオ塩基間の結合数、及び配向性という観点から選択される適切な長さのリンカーを用いて連結することができる（Ｈｙｒｕｐ及びＮｉｅｌｓｅｎ， １９９６）。ＰＮＡ−ＤＮＡキメラの合成は実施可能である（Ｆｉｎｎ等， １９９６；Ｈｙｒｕｐ及びＮｉｅｌｓｅｎ， １９９６）。例えば、ＤＮＡ鎖を固体支持体上で標準的なホスホラミダイト共役化学反応を用いて合成することができ、修飾されたヌクレオチド類似体、例えば、５’−（４−メトキシトリチル）アミノ−５’−デオキシ−チミジン ホスホラミダイトなどはＰＮＡとＤＮＡの５’末端との間で用いることができる。その後、ＰＮＡ単量体は、５’ ＰＮＡセグメントと３’ ＤＮＡセグメントとのキメラ分子を生成するために段階的な方法で共役される（Ｆｉｎｎ等， １９９６）。或いは、キメラ分子は５’ ＤＮＡセグメント及び３’ ＰＮＡセグメントにより合成することができる（Ｐｅｔｅｒｓｅｎ等， １９７６）。
オリゴヌクレオチドは、ペプチド（例えば、インヴィボにおいて宿主細胞レセプターを標的するために）、又は細胞膜（Ｌｅｍａｉｔｒｅ等， １９８７；Ｌｅｔｓｉｎｇｅｒ等， １９８９）又はＰＣＴ発行 国際公開第８８／０９８１０号）若しくは脳血管関門（例えば、ＰＣＴ発行 国際公開第８９／１０１３４号）を越えた輸送を促進させる薬剤などの他の付加されたグループを含み得る。さらに、オリゴヌクレオチドはハイブリダイゼーション トリガー切断剤（ｖａｎ ｄｅｒ ｋｒｏｌ等， １９８８ａ）又はインターカレート剤（Ｚｏｎ， １９８８）によって修飾することができる。オリゴヌクレオチドは他の分子、例えば、ペプチド、ハイブリダイゼーション トリガークロスリンク剤、輸送剤、ハイブリダイゼーション トリガー切断剤、その他同種類の分子に結合させてもよい。
【００２８】
ｈＳＴＲＡ６ポリペプチド
本発明の一態様は、単離されたｈＳＴＲＡ６、及びそれらの生物学的活性な部分の誘導体、断片、類似体、又は相同体に関する。また、抗ｈＳＴＲＡ６ Ａｂｓを作製するための免疫原としての使用に対して適するポリペプチド断片も提供される。一実施態様において、天然ｈＳＴＲＡ６は標準的なタンパク質精製技術を用いて適切な精製計画によって細胞又は組織源から単離することができる。他の実施態様において、ｈＳＴＲＡ６は組換体ＤＮＡ技術により生産される。組換体発現の代わりに、ｈＳＴＲＡ６又はポリペプチドは標準的なペプチド合成技術を用いて化学的に合成することができる。
１．ポリペプチド
ｈＳＴＲＡ６ポリペプチドには、配列が配列番号：２又は４中に提供されるｈＳＴＲＡ６のアミノ酸配列が含まれる。また、本発明には、何れかの残基が配列番号：２又は４に示される対応する残基から変化しているが、依然としてそのｈＳＴＲＡ６活性及び生理学的機能を維持するタンパク質又はその機能的断片をコードしている、突然変異体又は変異タンパク質が含まれる。
２．変異体ｈＳＴＲＡ６ポリペプチド
一般に、ｈＳＴＲＡ６様機能を維持し、配列中の特定の位置の残基が他のアミノ酸によって置換されている何らかの変異を含み、さらに、親タンパク質の２残基間に更なる残基又は残基群を挿入する可能性、並びに親配列から一又は複数の残基を欠失させる可能性を含むｈＳＴＲＡ６変異体。いずれのアミノ酸置換、挿入又は欠失も本発明によって包含される。好ましい状況において、置換は上述した保存的置換である。
「ｈＳＴＲＡ６ポリペプチド変異体」とは、少なくとも：（１）全長天然配列ｈＳＴＲＡ６と、（２）シグナルペプチドを欠失したｈＳＴＲＡ６ポリペプチドと、（３）シグナルペプチドを持つか又は持たないｈＳＴＲＡ６ポリペプチドの細胞外ドメインと、又は（４）全長ｈＳＴＲＡ６ポリペプチド配列の何れか他の配列と約８０％のアミノ酸配列同一性を持つ活性なｈＳＴＲＡ６ポリペプチドを意味する。例えば、ｈＳＴＲＡ６ポリペプチド変異体には、一又は複数のアミノ酸残基が全長天然アミノ酸配列のＮ又はＣ末端で付加又は欠失したｈＳＴＲＡ６ポリペプチド配列が含まれる。ｈＳＴＲＡ６ポリペプチド変異体は、ｈＳＴＲＡ６ポリペプチド配列の全長天然配列と少なくとも約８０％のアミノ酸同一性、好ましくは少なくとも約８１％のアミノ酸配列同一性、さらに好ましくは少なくとも約８２％， ８３％， ８４％， ８５％， ８６％， ８７％， ８８％， ８９％， ９０％， ９１％， ９２％， ９３％， ９４％， ９５％， ９６％， ９７％， ９８％のアミノ酸配列同一性、最も好ましくは少なくとも約９９％のアミノ酸配列同一性を有するであろう。ｈＳＴＲＡ６ポリペプチド変異体は、シグナル配列を欠いた配列、シグナルペプチドを持つか又は持たないｈＳＴＲＡ６ポリペプチドの細胞外ドメイン、又は全長ｈＳＴＲＡ６ポリペプチド配列の何れか他の断片を有する。一般に、ｈＳＴＲＡ６変異体ポリペプチドは少なくとも長さが約１０アミノ酸、しばしば少なくとも長さが約２０アミノ酸、さらにしばしば少なくとも長さが約３０， ４０， ５０， ６０， ７０， ８０， ９０， １００， １５０， ２００， 又は３００アミノ酸、又はそれより長い。
【００２９】
「パーセント（％）核酸配列同一性」は、２つの配列を整列させるとき、開示されるｈＳＴＲＡ６ポリペプチド配列中のアミノ酸残基と同一である候補配列中のアミノ酸残基のパーセントとして定義される。パーセントアミノ酸同一性を決定するために、配列を整列させ、必要ならば、最大の％配列同一性を達成するためにギャップが導入され；保存的置換は配列同一性の一部として考慮されない。パーセント同一性を決定するためのアミノ酸アライメント方法は、当業者にとって周知である。ＢＬＡＳＴ、ＢＬＡＳＴ−２、ＡＬＩＧＮ２又はＭｅｇａｌｉｇｎ（ＤＮＡＳＴＡＲ）ソフトウエアなどの公に入手可能なコンピュータソフトウエアが、しばしばペプチド配列をアラインするために使用される。当業者であれば、比較される配列の全長に対して最大のアライメントを達成するために必要な任意のアルゴリズムを含む、アライメントを測定するための適切なパラメータを決定することができる。
アミノ酸配列を整列させる場合、与えられたアミノ酸配列Ａの、与えられたアミノ酸配列Ｂとの、又はそれに対する％アミノ酸配列同一性（あるいは、与えられたアミノ酸配列Ｂと、又はそれに対して或る程度の％核酸配列同一性を持つ又は含む与えられた核酸配列Ａと言うこともできる）は次のように計算される：
％アミノ酸配列同一性＝Ｘ／Ｙ・１００
ここで、
ＸはＡ及びＢの配列アラインメントプログラム又はアルゴリズムのアライメントによって同一であると一致したスコアのアミノ酸残基の数であり、
ＹはＢの全アミノ酸残基数である。
アミノ酸配列Ａの長さがアミノ酸配列Ｂの長さと異なる場合、ＡのＢに対する％アミノ酸配列同一性は、ＢのＡに対する％アミノ酸配列同一性とは異なる。
【００３０】
３．単離された／精製されたポリペプチド
「単離された」又は「精製された」ポリペプチド、タンパク質又生物学的に活性な断片は、その自然環境の成分から分離され及び／又は回収される。夾雑成分には、ポリペプチドに対する診断又は治療上の使用を典型的に阻害する物質が含まれ、酵素、ホルモン、及び他のタンパク質様又は非タンパク質様溶質が含まれる。好ましくは、ポリペプチドは少なくとも１５残基のＮ末端あるいは内部アミノ酸配列を得るのに充分な程度にまで精製される。実質的に単離されるためには、乾燥重量で３０％未満の非ｈＳＴＲＡ６夾雑物質（夾雑物）、より好ましくは２０％未満、１０％未満、及び最も好ましくは５％未満の夾雑物を有する標品である。単離された組換体として生産されたｈＳＴＲＡ６又は生物学的に活性な部分は、好ましくは実質的に、培地からフリーである、即ち、培地がｈＳＴＲＡ６標品の体積の２０％未満、より好ましくは約１０％未満、最も好ましくは約５％未満である。夾雑物の例には、細胞壊死片、培地、及びｈＳＴＲＡ６のインヴィトロにおける合成の間に使用され、生産された物質が含まれる。
４．生物学的に活性な
ｈＳＴＲＡ６の生物学的に活性な部分には、全長ｈＳＴＲＡ６の配列より少ないアミノ酸を含み、少なくともｈＳＴＲＡ６の１の活性を示すｈＳＴＲＡ６アミノ酸配列（配列番号：２又は４）と十分相同であるか、これから誘導されたアミノ酸配列を含むペプチドを包含する。生物学的に活性な部分は天然ｈＳＴＲＡ６の少なくとも１の活性を持つドメイン又はモチーフを含む。ｈＳＴＲＡ６の生物学的に活性な部分は、例えば、長さが１０， ２５， ５０， １００又はそれより長いアミノ酸残基であるポリペプチドであり得る。他の生物学的に活性な部分は、タンパク質の他の領域が欠失されており、組換え技術により調製することができ、天然のｈＳＴＲＡ６の一又は複数の機能的活性に関して評価することができる。
ｈＳＴＲＡ６の生物学的に活性な部分は、配列番号：２又は４、又は配列番号：２又は４に実質的に相同な配列中に示されるアミノ酸配列を有し、配列番号：２又は４のタンパク質の機能的活性を保持するが、天然の対立遺伝子変異又は突然変異導入によるアミノ酸配列とは異なる。他の生物学的に活性なｈＳＴＲＡ６は、配列番号：２又は４のアミノ酸配列と少なくとも４５％相同なアミノ酸配列を含み、天然ｈＳＴＲＡ６の機能的活性を保持する。
【００３１】
５．２又は複数配列間の相同性の決定
「ｈＳＴＲＡ６変異体」とは、少なくとも：（１）全長天然配列ｈＳＴＲＡ６と、（２）シグナルペプチドを欠失したｈＳＴＲＡ６ポリペプチドと、（３）シグナルペプチドを持つか又は持たないｈＳＴＲＡ６ポリペプチドの細胞外ドメインと、又は（４）全長ｈＳＴＲＡ６ポリペプチド配列の何れか他の配列と約８０％のアミノ酸配列同一性を持つ活性なｈＳＴＲＡ６ポリペプチドを意味する。例えば、ｈＳＴＲＡ６変異体には、一又は複数のアミノ酸残基が全長天然アミノ酸配列のＮ又はＣ末端で付加又は欠失したｈＳＴＲＡ６配列が含まれる。ｈＳＴＲＡ６変異体は、ｈＳＴＲＡ６配列の全長天然配列と少なくとも約８０％のアミノ酸同一性、好ましくは少なくとも約８１％のアミノ酸配列同一性、さらに好ましくは少なくとも約８２％， ８３％， ８４％， ８５％， ８６％， ８７％， ８８％， ８９％， ９０％， ９１％， ９２％， ９３％， ９４％， ９５％， ９６％， ９７％， ９８％のアミノ酸配列同一性、最も好ましくは少なくとも約９９％のアミノ酸配列同一性を有するであろう。ｈＳＴＲＡ６変異体は、シグナル配列を欠いた配列、シグナルペプチドを持つか又は持たないｈＳＴＲＡ６ポリペプチドの細胞外ドメイン、又は全長ｈＳＴＲＡ６ポリペプチド配列の何れか他の断片を有する。一般に、ｈＳＴＲＡ６変異体ポリペプチドは少なくとも長さが約１０アミノ酸、しばしば少なくとも長さが約２０アミノ酸、さらにしばしば少なくとも長さが約３０， ４０， ５０， ６０， ７０， ８０， ９０， １００， １５０， ２００， 又は３００アミノ酸、又はそれより長い。
「パーセント（％）アミノ酸配列同一性」は、２つの配列を整列させるとき、開示されるｈＳＴＲＡ６ポリペプチド配列中のアミノ酸残基と同一である候補配列中のアミノ酸残基のパーセントとして定義される。パーセントアミノ酸同一性を決定するために、配列を整列させ、必要ならば、最大の％配列同一性を達成するためにギャップが導入され；保存的置換は配列同一性の一部として考慮されない。パーセント同一性を決定するためのアミノ酸アライメント方法は、当業者にとって周知である。ＢＬＡＳＴ、ＢＬＡＳＴ−２、ＡＬＩＧＮ２又はＭｅｇａｌｉｇｎ（ＤＮＡＳＴＡＲ）ソフトウエアなどの公に入手可能なコンピュータソフトウエアが、しばしばペプチド配列をアラインするために使用される。当業者であれば、比較される配列の全長に対して最大のアライメントを達成するために必要な任意のアルゴリズムを含む、アライメントを測定するための適切なパラメータを決定することができる。
アミノ酸配列を整列させる場合、与えられたアミノ酸配列Ａの、与えられたアミノ酸配列Ｂとの、又はそれに対する％アミノ酸配列同一性（あるいは、与えられたアミノ酸配列Ｂと、又はそれに対して或る程度の％核酸配列同一性を持つ又は含む与えられた核酸配列Ａと言うこともできる）は次のように計算される：
％アミノ酸配列同一性＝Ｘ／Ｙ・１００
ここで、
ＸはＡ及びＢの配列アラインメントプログラム又はアルゴリズムのアライメントによって同一であると一致したスコアのアミノ酸残基の数であり、
ＹはＢの全アミノ酸残基数である。
アミノ酸配列Ａの長さがアミノ酸配列Ｂの長さと異なる場合、ＡのＢに対する％アミノ酸配列同一性は、ＢのＡに対する％アミノ酸配列同一性とは異なる。
【００３２】
６．キメラ及び融合タンパク質
融合ポリペプチドは、発現研究、細胞内局在、バイオアッセイ、及びｈＳＴＲＡ６の精製において有用である。ｈＳＴＲＡ６「キメラタンパク質」又は「融合タンパク質」には、非ｈＳＴＲＡ６ポリペプチドに融合したｈＳＴＲＡ６が含まれる。非ｈＳＴＲＡ６ポリペプチドは実質的にｈＳＴＲＡ６と相同ではない（配列番号：２又は４）。ｈＳＴＲＡ６融合タンパク質は、幾つかの生物学的に活性な部分を含む、ｈＳＴＲＡ６全長の何れかの部分を含む。ｈＳＴＲＡ６はＧＳＴ（グルタチオンＳ−トランスフェラーゼ）配列のＣ末端に融合される。このような融合タンパク質は、組換体ｈＳＴＲＡ６の精製を促進する。ある宿主細胞において、（例えば、哺乳類）異種結合性シグナル配列融合体は、ｈＳＴＲＡ６発現及び／又は分泌を改善する。特に有用な融合タンパク質はヒトアミノ−（配列番号：２）をマウスＳＴＲＡ６由来の内部断片（配列番号：７）へ、ヒトカルボキシ端（配列番号：４）へ連結し、結果として、全長ｈＳＴＲＡ６ポリペプチドを創出する。更なる例示的な融合が表Ｃ中に示される。
他の融合相手が、治療上、ｈＳＴＲＡ６に適用することが可能である。イムノグロブリン（Ｉｇ）タンパク質ファミリーのメンバーとの融合は、ｈＳＴＲＡ６リガンド又は基質の相互作用を阻害し、結果的に、インヴィボにおけるｈＳＴＲＡ６媒介シグナル伝達を抑制するような治療において有用である。ｈＳＴＲＡ６−Ｉｇ融合ポリペプチドも、患者中で抗ｈＳＴＲＡ６ Ａｂｓを生産させ、ｈＳＴＲＡ６リガンドを精製し、及び他の分子とｈＳＴＲＡ６の相互作用を阻害する分子をスクリーニングするための抗原としても使用可能である。
融合タンパク質は、組換え法を用いることで容易に作り出すことができる。ｈＳＴＲＡ６をコードする核酸は、ｈＳＴＲＡ６のＮＨ２−もしくはＣＯＯ−末端、又は内部に対して非ｈＳＴＲＡ６コード化核酸をインフレームにて融合させることができる。また、融合遺伝子は、自動ＤＮＡ合成装置を含む従来の技術により合成してもよい。また、引き続いてキメラ遺伝子配列を生成させるためにアニール及び再増幅され得る２つの連続的な遺伝子断片間に、相補的なオーバーハングを生じさせるアンカープライマーを用いたＰＣＲ増幅（Ａｕｓｕｂｅｌ等， １９８７）も有用である。ｈＳＴＲＡ６を融合部分とインフレームでサブクローニングすることを促進させる多くのベクターは購入可能である。
2004519250.tif 000010
【００３３】
ｈＳＴＲＡ６の治療的適用
１．アゴニスト及びアンタゴニスト
「アンタゴニスト」には、内在性ｈＳＴＲＡ６の生物学的活性を一部又は完全に阻害し又は中和させる分子の何れもが含まれる。同様に、「アゴニスト」には、内在性ｈＳＴＲＡ６の生物学的活性を模倣する分子の何れもが含まれる。アゴニスト又はアンタゴストとして作用し得る分子には、Ａｂｓ又は抗体断片、内在性ｈＳＴＲＡ６の断片又は変異体、ペプチド、アンチセンス、オリゴヌクレオチド、小有機分子、などが含まれる。
２．アンタゴニスト及びアゴニストの同定
アンタゴニストをアッセイするために、ｈＳＴＲＡ６特定の活性に対してスクリーニングされる化合物と共に細胞に添加され、又は細胞中で発現される。ｈＳＴＲＡ６の存在下において、対象活性を化合物が阻害する場合、その化合物は、ｈＳＴＲＡ６に対するアンタゴニストである；ｈＳＴＲＡ６活性が促進される場合、該化合物はアゴニストである。
ｈＳＴＲＡ６発現細胞は開示の方法の何れかを用いることにより容易に同定することができる。例えば、ヒトＳＴＲＡ６のアミノ−又はカルボキシ−端を認識する抗体は、免疫沈降、ウェスタンブロット、及び免疫組織化学的技術によって候補細胞をスクリーンするのに用いることができる。同様に配列番号１及び３は細胞中又は細胞由来のサンプル中のｈＳＴＲＡ６ ｍＲＮＡを検出することができるプライマー及びプローブを設計するのに使用され得る。
（ａ）潜在的アンタゴニスト及びアゴニストの特異的な例
ｈＳＴＲＡ６の細胞内での効果を変更する何れかの分子は、アンタゴニスト又はアゴニストの候補である。当業者にとって周知のスクリーニング技術により、これらの分子を同定することができる。アンタゴニスト及びアゴニストの例には：（１）小有機及び無機化合物、（２）小ペプチド、（３）Ａｂｓ及び誘導体、（４）ｈＳＴＲＡ６に極めて関連性の強いポリペプチド、（５）アンチセンスＤＮＡ及びＲＮＡ、（６）リボザイム、（７）三重鎖ＤＮＡらせん、及び（８）核酸アプタマー、が含まれる。
ｈＳＴＲＡ６の活性部位又は該ペプチドの他の関連部分に結合し、及びｈＳＴＲＡ６の生物学的活性を阻害する小分子は、アンタゴニストである。小分子アンタゴニストの例には、小ペプチド、ペプチド様分子、好ましくは可溶であり、及び合成非ペプチジル有機もしくは無機化合物が含まれる。もしこれらがｈＳＴＲＡ６活性を促進するならば、これらと同一の分子がアゴニストの例となる。
ｈＳＴＲＡ６機能に影響を及ぼす何れかの抗体のほとんどが、アンタゴニストの候補であり、時にはアゴニストの候補である。抗体アンタゴニストの例には、ポリクローナル、モノクローナル、単一鎖、抗イディオタイプ、キメラＡｂｓ、又はこのようなＡｂｓ又は断片のヒト化型が含まれる。Ａｂｓは免疫応答が生じ得る何れかの種由来である。また、ヒト化Ａｂｓも考慮される。
或いは、潜在的アンタゴニスト又はアゴニストは、極めて関連性のあるタンパク質、例えば、ｈＳＴＲＡ６相互作用タンパク質を認識するｈＳＴＲＡ６の突然変異型であるが、なんら効果を示さず、そのためｈＳＴＲＡ６の作用を競合的に阻害するものである。或いは、突然変異ｈＳＴＲＡ６は構成的に活性化され、アゴニストとして作用するかもしれない。
【００３４】
アンチセンスＲＮＡ又はＤＮＡコンストラクトは有効なアンタゴニストであり得る。アンチセンスＲＮＡ又はＤＮＡ分子は標的のｍＲＮＡに対してハイブリダイズして翻訳を阻害することにより機能を阻止する。アンチセンス技術は、三重鎖へリックス形態、又は共にＤＮＡ又はＲＮＡに対するポリヌクレオチド結合に依存するようなアンチＤＮＡ又はＲＮＡを通じて遺伝子発現のコントロールをするために使用することができる。例えば、ｈＳＴＲＡ６配列の５’コード化部分は、長さが約１０から４０塩基対であるアンチセンスＲＮＡオリゴヌクレオチドをデザインするために使用される。ＤＮＡオリゴヌクレオチドは、転写に関与する遺伝子領域に対して相補的であり（三重鎖へリックス）（Ｂｅａｌ及びＤｅｒｖａｎ， １９９１； Ｃｏｏｎｅｙ等， １９８８；Ｌｅｅ等， １９７９）そのため、転写及びｈＳＴＲＡ６の生産を阻害するようにデザインされる。アンチセンスＲＮＡオリゴヌクレオチドは、インヴィボにおいてｍＲＮＡとハイブリダイズし、ｍＲＮＡのｈＳＴＲＡ６への翻訳を阻止する（アンチセンス）（Ｃｏｈｅｎ， １９８９；Ｏｋａｎｏ等， １９９１）。また、これらのオリゴヌクレオチドもアンチセンスＲＮＡ又はＤＮＡがｈＳＴＲＡ６の生産を阻害するようにインヴィボにおいて発現し得るように細胞へ導入することができる。アンチセンスＤＮＡが用いられる場合、翻訳開始部位、例えば標的遺伝子ヌクレオチド配列の約−１０と＋１０の間の位置から誘導されるオリゴデオキシリボヌクレオチドが好ましい。
リボザイムは、ＲＮＡの特異的な切断を触媒することができる酵素的ＲＮＡ分子である。リボザイムは、相補的標的ＲＮＡに対する配列特異的ハイブリダイゼーション、次いで、ヌクレオチド内的切断により作用する。潜在的ＲＮＡ標的における特異的リボザイム切断部位は、既知の技術によって同定され得る（国際公開第９７／３３５５１号， １９９７；Ｒｏｓｓｉ， １９９４）。
転写を阻害するために、一本鎖化される、デオキシヌクレオチドを含む三重鎖へリックス核酸は有用なアンタゴニストである。これらのオリゴヌクレオチドはフーグスチン塩基対ルールを介した三重鎖へリックスが促進されるようにデザインされ、一般に、プリン又はピリミジンのストレッチを必要とする（国際公開第９７／３３５５１号， １９９７）。
アプタマーは、ほぼ如何なる分子も認識し、特異的に結合するように用いることができる短いオリゴヌクレオチド配列である。指数関数的濃縮によるリガンドの体系的進化（ＳＥＬＥＸ）過程（Ａｕｓｕｂｅｌ等， １９８７；Ｅｌｌｉｎｇｔｏｎ及びＳｚｏｓｔａｋ， １９９０；Ｔｕｅｒｋ及びＧｏｌｄ， １９９０）は強力で、そのようなアプタマーを見つけるために使用可能である。アプタマーは多くの診断及び臨床的な使用を有する；臨床上、診断上使用されてきたほぼ全ての使用であって、アプタマーも使用され得るもの。さらに、一度同定されれば、より安価に作製され、製薬的な組成物、バイオアッセイ、診断テストにおいての投与を含む様々な形式において容易に適用することができる（Ｊａｙａｓｅｎａ， １９９９）。
【００３５】
抗ｈＳＴＲＡ６ Ａｂｓ
本発明は、何れかのｈＳＴＲＡ６エピトープと免疫特異的に結合するＦａｂ又は（Ｆａｂ）２などのようなＡｂｓ及び抗体断片を含む。
「抗体」（Ａｂ）はｈＳＴＲＡ６（抗ｈＳＴＲＡ６ Ａｂ；アゴニスト、アンタゴニスト、及び中和Ａｂｓを含む）に対する単一Ａｂｓ、ポリエピトープ特異的な抗ｈＳＴＲＡ６ Ａｂ組成物、単一鎖抗Ａｂｓ、及び抗ｈＳＴＲＡ６ Ａｂｓ断片を含む。「モノクローナル抗体」は、実質的に均一な集団から得られる、即ち、該集団を含む個々のＡｂｓは少量存在するであろう起こりえる自然発生的な突然変異を除いて同一である。例として、Ａｂｓには、ポリクローナル（ｐＡｂ）、モノクローナル（ｍＡｂ）、ヒト化、二重特異的な（ｂｓＡｂ）、及び異種結合性Ａｂｓが含まれる。
１．ポリクローナル Ａｂｓ（ｐＡｂｓ）
ポリクローナルＡｂｓは哺乳類ホスト中で、例えば、免疫原、及び所望であればアジュバントの一又は複数回のインジェクションによって生産される。典型的には、免疫原及び／又はアジュバントは複数回の皮下又は腹腔内へのインジェクションによってインジェクトされる。免疫原は、ｈＳＴＲＡ６又は融合タンパク質を含む。アジュバントの例には、完全フロイト及びモノホスホリル脂質Ａ合成−トレハロース  ジコリノミコレート（ＭＰＬ−ＴＤＭ）が含まれる。免疫応答を改善するために、免疫原は、キーホールリンペットヘモシアニン（ＫＬＨ）、血清アルブミン、ウシチログロブリン、及び大豆トリプシンインヒビターなどのホスト中での免疫原性のタンパク質に結合させてもよい。抗体産生のためのプロトコールは、（Ａｕｓｕｂｅｌ等， １９８７；Ｈａｒｌｏｗ及びＬａｎｅ， １９８８）によって記述されている。或いは、ｐＡｂｓは、ＩｇＹ分子を生産するニワトリ中で作製されてもよい（Ｓｃｈａｄｅ等， １９９６）。
２．モノクローナルＡｂｓ（ｍＡｂｓ）
抗ｈＳＴＲＡ６ ｍＡｂｓは、ハイブリドーマ法を用いて調製される（Ｍｉｌｓｔｅｉｎ及びＣｕｅｌｌｏ， １９８３）。ハイブリドーマ法は少なくとも４段階を含む：（１）ホストまたは、ホスト由来のリンパ球を免疫する；（２）ｍＡｂ分泌性（又は潜在的に分泌性）のリンパ球を収集し（３）リンパ球を不死化した細胞に融合させ、及び（４）所望のｍＡｂ（抗ｈＳＴＲＡ６）を分泌させる細胞を選択する。
マウス、ラット、モルモット、ハムスター、又は他の適当なホストが、免疫原に特異的に結合するはずのＡｂｓを生産し又は生産することができるリンパ球を誘発させるために免疫される。或いは、リンパ球はインヴィトロで免疫化してもよい。ヒト細胞が所望の場合、末梢血リンパ球（ＰＢＬｓ）が一般に使用される；しかしながら、他の哺乳類ソース由来の脾臓細胞又はリンパ球が好ましい。免疫原は典型的にはｈＳＴＲＡ６又は融合タンパク質を含む。
その後、リンパ球はハイブリドーマ細胞を樹立するために不死化細胞株と融合されが、ポリエチレングリコールなどの融合剤によって促進される（Ｇｏｄｉｎｇ， １９９６）。トランスフォーメーションによって不死化された齧歯類、ウシ、又はヒトのミエローマ細胞が使用されるか、ラットもしくはマウスのミエローマ細胞株が使用される。ハイブリドーマ細胞及び非融合不死化細胞ではない純粋な集団が好ましいため、融合後、非融合、不死化細胞の成長又は生存を阻害する一又は複数の基質を含む適切な培地中で、細胞を成長させる。通常の技術では、酵素のヒポキサンチングアニンホスホリボシルトランスフェラーゼ（ＨＧＰＲＴ又はＨＰＲＴ）を欠く親細胞を使用する。この場合、ヒポキサンチン、アミノプテリン及びチミジンがＨＧＰＲＴ欠損細胞の成長を阻害し、ハイブリドーマの成長を許容する培地（ＨＡＴ培地）に添加される。
【００３６】
好ましい不死化細胞は効率よく融合し；ＨＡＴなどの培地中で選択することにより混合集団から単離することができ；及び融合後、安定で高レベルの抗体の発現をサポートする。好ましい不死化細胞株はマウスミエローマ株で、アメリカンタイプカルチャーコレクション（Ｍａｎａｓｓａｓ， ＶＡ）より入手可能である。ヒトミエローマ及びマウス−ヒトヘテロミエローマ細胞株についても、ヒトｍＡｂｓ産生に関し記述されている（Ｋｏｚｂｏｒ等， １９８４；Ｓｃｈｏｏｋ， １９８７）。
ハイブリドーマ細胞は細胞外に抗体を分泌するため、ｈＳＴＲＡ６に対するｍＡｂｓ（抗ｈＳＴＲＡ６ ｍＡｂｓ）の存在をアッセイすることが可能である。ラジオイムノアッセイ（ＲＩＡ）又は酵素結合免疫吸着検定法（ＥＬＩＳＡ）などの免疫沈降又はインヴィトロでの結合アッセイは、ｍＡｂｓの結合特異性を測定し（Ｈａｒｌｏｗ及びＬａｎｅ， １９８８；Ｈａｒｌｏｗ及びＬａｎｅ， １９９９）、スキャッチャード解析を含む（Ｍｕｎｓｏｎ及びＲｏｄｂａｒｄ， １９８０）。
抗ｈＳＴＲＡ６ ｍＡｂｓ分泌性ハイブリドーマ細胞は限界希釈法及びサブカルチャーにより単一クローンとして単離され得る（Ｇｏｄｉｎｇ， １９９６）。適切な培地にはダルベッコ改変イーグル培地、ＲＰＭＩ−１６４０、又は所望ならば、タンパク質−フリー又は−低減又は血清−フリー培地が含まれる（例えば、Ｕｌｔｒａ ＤＯＭＡ ＰＦ 又はＨＬ−１；Ｂｉｏｗｈｉｔｔａｋｅｒ；Ｗａｌｋｅｒｓｖｉｌｌｅ， ＭＤ）。ハイブリドーマ細胞は、腹水中でのインヴィボにおいて増殖させてもよい。
ｍＡｂｓは培地又は腹水からプロテインＡセファロース、ハイドロキシアパタイトクロマトグラフィー、ゲル電気泳動、透析、硫安沈殿又はアフィニティークロマトグラフィー（Ｈａｒｌｏｗ及びＬａｎｅ， １９８８；Ｈａｒｌｏｗ及びＬａｎｅ， １９９９）などの従来のＩｇ精製方法によって単離又は精製される。
また、ｍＡｂｓは組換え技術によっても作製される（米国特許第４１６６４５２号， １９７９）。ＤＮＡコード化抗ｈＳＴＲＡ６ ｍＡｂｓは、抗ｈＳＴＲＡ６分泌ｍＡｂハイブリドーマ細胞株から好ましいＤＮＡをプローブするために、従来の方法、例えば、マウスの重及び軽鎖抗体遺伝子と特異的に結合するオリゴヌクレオチドプローブを用いることにより容易に単離され、配列決定することができる。一度単離されると、単離されたＤＮＡ断片は、ｍＡｂｓを発現させるために、他にＩｇタンパク質を生産しないｓｉｍｉａｎ ＣＯＳ−７細胞、チャイニーズハムスター卵巣（ＣＨＯ）細胞、又はミエローマ細胞などのホスト細胞中へトランスフェクトさせる発現ベクター中へサブクローニングされる。単離されたＤＮＡ断片は、例えば、ヒト重及び軽鎖定常ドメインに対するコード化配列を相同なマウス配列の代わりに置換することにより（米国特許第４８１６５６７号， １９８９；Ｍｏｒｒｉｓｏｎ等， １９８７）、又は非Ｉｇポリペプチドをコードする配列の全て又は一部に対するＩｇコード化配列を融合することにより、修飾することができる。そのような非Ｉｇポリペプチドは、キメラ二価抗体を創作するために、抗体の定常ドメインと置換することが可能であり、又は一抗原結合部位の定常ドメインと置換することができる。
【００３７】
３．一価Ａｂｓ
Ａｂｓはお互いに結果的にはクロスリンクしない一価Ａｂｓでもよい。例えば、ある方法には、Ｉｇ軽鎖及び修飾された重鎖の組換体発現が関与する。Ｆｃ領域中の何れかのポイントにおける通常の重鎖切断は、重鎖のクロスリンクを妨げる。或いは、それに関わるシステイン残基が他のアミノ酸残基で置換されるか又は除去され、クロスリンクするのを妨げる。インヴィトロの方法も、一価Ａｂｓの調製に適する。ＡｂｓはＦａｂ断片などの断片を生産するように消化することができる（Ｈａｒｌｏｗ及びＬａｎｅ， １９８８；Ｈａｒｌｏｗ及びＬａｎｅ， １９９９）。
４．ヒト化及びヒトＡｂｓ
抗ｈＳＴＲＡ６ Ａｂｓにはさらにヒト化又はヒトＡｂｓが含まれる。非ヒトＡｂｓのヒト化形態は、非ヒトＩｇ由来の最小配列を含むキメラＩｇｓ、Ｉｇ鎖又は断片（Ｆｖ， Ｆａｂ， Ｆａｂ’， Ｆ（ａｂ’）２又は他のＡｂｓの抗原結合サブ配列など）である。
一般に、ヒト化抗体は非ヒト由来から導入された一又は複数のアミノ酸残基を持つ。これらの非ヒトアミノ酸残基はしばしば「移入」残基と称され、典型的には「移入」可変ドメインから選ばれる。ヒト化は齧歯類のＣＤＲｓ又はＣＤＲ配列と対応するヒト抗体配列とを置換することにより達成される（Ｊｏｎｅｓ等， １９８６；Ｒｉｅｃｈｍａｎｎ等， １９８８；Ｖｅｒｈｏｅｙｅｎ等， １９８８）。そのような「ヒト化」ＡｂｓはキメラＡｂｓであり（米国特許第４８１６５６７号， １９８９）、実質的に無傷のヒト可変ドメインより少ない部分が非ヒト種由来の対応する配列によって置換されている。実際には、ヒト化Ａｂｓは、典型的には、あるＣＤＲ残基及びおそらくあるＦＲ残基が齧歯類Ａｂｓ中の類似部位由来の残基と置換されているヒトＡｂｓである。ヒト化Ａｂｓには、マウス、ラット又はウサギなどの非ヒト種のＣＤＲであって、所望の特異的な親和性及び能力を持つ残基により、レシピエントの相補性決定領域（ＣＤＲ）由来の残基が置換されるヒトＩｇｓ（レシピエント抗体）が含まれる。ある場合には、対応する非ヒト残基がヒトＩｇのＦｖフレームワーク残基を置換する。ヒト化Ａｂｓは、レシピエント抗体中にも移入ＣＤＲ又はフレームワーク配列中にも見出されない残基を含んでもよい。一般に、ヒト化抗体には、全てではないがＣＤＲ領域のほとんどが非ヒトＩｇのものに対応し、全てではないがＦＲ領域のほとんどがヒトＩｇコンセンサス配列のものに対応する、少なくとも１つ、及び典型的には２つの可変領域が含まれる。また、ヒト化抗体には少なくともＩｇ定常領域（Ｆｃ）の少なくとも一部分、典型的には、ヒトＩｇの一部分も、最適に含まれる（Ｊｏｎｅｓ等， １９８６；Ｐｒｅｓｔａ， １９９２；Ｒｉｅｃｈｍａｎｎ等， １９８８）。
また、ヒトＡｂｓは、ファージディスプレイライブラリー（Ｈｏｏｇｅｎｂｏｏｍ等， １９９１；Ｍａｒｋｓ等， １９９１）及びヒトｍＡｂｓの調製（Ｂｏｅｒｎｅｒ等， １９９１；Ｒｅｉｓｆｅｌｄ及びＳｅｌｌ， １９８５）を含む、種々の技術を使用しても生産できる。同様に、内在性Ｉｇ遺伝子が部分的に又は完全に不活性化された遺伝子導入動物へヒトＩｇ遺伝子を導入することが、ヒトＡｂｓを合成するために利用される。チャレンジすると、ヒト抗体産生が観察され、遺伝子再編成、構築、及びレパートリーを含む全ての面においてヒトにおいて見られるような状況に酷似している
［，１９９７＃１０４；，１９９７＃１０２；，１９９７＃１０３；，１９９６＃１００；，１９９６＃９９；Ｆｉｓｈｗｉｌｄ， １９９６＃９；Ｌｏｎｂｅｒｇ， １９９４＃２２；Ｌｏｎｂｅｒｇ， １９９４＃８３；Ｍａｒｋｓ， １９９２）＃２３］。
【００３８】
５．二重特異的ｍＡｂｓ
二重特異的Ａｂｓは、少なくとも２つの異なる抗原に対する結合特異性を持つモノクローナルであり、好ましくはヒト又はヒト化である。例えば、結合特異性は、ｈＳＴＲＡ６；他は選択された何れかの抗原、好ましくは細胞表面タンパク質又はレセプター又はレセプターサブユニット。
伝統的には、二重特異的Ａｂｓの組換体産生は、２つのＩｇ重鎖／軽鎖対の共発現に基づいており、２つの重鎖は異なる特異性を有する（Ｍｉｌｓｔｅｉｎ及びＣｕｅｌｌｏ， １９８３）。Ｉｇ重鎖及び軽鎖のランダムな一揃いにより、生じるハイブリドーマ（クアドローマ）は１０の異なる抗体分子の潜在的混合物を生産し、その内の一つだけが所望の二重特異的構造を持つ。所望の抗体は親和性クロマトグラフィー又は他の技術を用いて精製することができる（国際公開第９３／０８８２９号，１９９３；Ｔｒａｕｎｅｃｋｅｒ等， １９９１）。
二重特異的抗体（Ｓｕｒｅｓｈ等， １９８６）を製造するために、所望の抗体−抗原結合部位を持つ可変ドメインをＩｇの定常ドメイン配列と融合させる。融合は好ましくは、ヒンジの少なくとも一部分、ＣＨ２及びＣＨ３領域を含むＩｇ重鎖定常ドメインと行われる。好ましくは、軽鎖結合に必要な部位を含む第一の重鎖定常領域（ＣＨ１）は、少なくとも融合体の一つの中に存在する。Ｉｇ重鎖融合体をコードするＤＮＡ及び、所望であれば、Ｉｇ軽鎖は別々の発現ベクター中に挿入され、適切なホスト生物へ同時形質移入される。
抗体分子対間の接点は、組換体細胞培養から回収されるヘテロ二量体の割合を最大にするように設計される（国際公開第９６／２７０１１号， １９９６）。好ましい接点には少なくとも抗体定常ドメインのＣＨ３領域の一部が含まれる。この方法において、第一の抗体分子の接点に由来する一又は複数の小アミノ酸側鎖は、より大きな側鎖（例えば、チロシン又はトリプトファン）と置換される。大きな側鎖と同一又は同じサイズの代償性の「空洞」が、大きなアミノ酸側鎖をより小さなもの（例えば、アラニン又はスレオニン）で置換することにより第二の抗体分子の接点上に創られる。このメカニズムは、ホモ二量体のような望まれない最終産物以上にヘテロ二量体の収量を増大させる。
二重特異的なＡｂｓは全長Ａｂｓ又は抗体断片として調製される（例えば、Ｆ（ａｂ’）２二重特異的Ａｂｓ）。二重特異的Ａｂｓを生産するための技術の一つは、化学結合を利用する。無傷のＡｂｓは、Ｆ（ａｂ’）２断片を生産するためにタンパク質分解的に切断され得る（Ｂｒｅｎｎａｎ等， １９８５）。近接するジチオールを安定化させ、分子間のジスルフィド形成を妨げるために、亜ヒ酸塩ナトリウムなどのジチオール複合化剤により断片を還元させる。その後、生じたＦａｂ’断片はチオニトロ安息香酸（ＴＮＢ）誘導体へ変換される。その後、Ｆａｂ’−ＴＮＢ誘導体の一つは、メルカプトエチルアミンによる還元によってＦａｂ’−チオールへ再変換され、二重特異的抗体を作るために他のＦａｂ’−ＴＮＢ誘導体と等モル量で混合される。生産された二重特異的Ａｂｓは酵素の選択的固定化に対する薬剤として使用することができる。
Ｆａｂ’断片は大腸菌から直接回収され、二重特異的Ａｂｓを作るために化学的にカップルされる。例えば、完全にヒト化された二重特異的Ｆ（ａｂ’）２Ａｂｓを生産することができる（Ｓｈａｌａｂｙ等， １９９２）。各Ｆａｂ’断片は、大腸菌から別々に分泌され、インヴィトロにおいて直接化学的にカップルされ、二重特異的抗体を作る。
組換体細胞培養に直接由来する二重特異的抗体断片を作製し単離するための様々な技術も記述されている。例えば、ロイシンジッパーモチーフを利用することができる（Ｋｏｓｔｅｌｎｙ等， １９９２）。Ｆｏｓ及びＪｕｎタンパク質由来のペプチドは、遺伝子融合により２つの異なるＡｂｓのＦａｂ’部分と連結される。抗体のホモ二量体は、ヒンジ領域において、モノマーを形成させた後抗体ヘテロ二量体を形成させるために再び酸化される。この方法も抗体ホモ二量体を作り得る。「ダイアボディー」技術（Ｈｏｌｌｉｇｅｒ等， １９９３）は二重特異的抗体断片を生産するための代わりの方法を提供する。断片には、短すぎて同一鎖上の２つのドメイン間の対形成を許容しないリンカーによって軽鎖可変ドメイン（ＶＬ）に結合された重鎖可変領域（ＶＨ）が含まれる。一つの断片のＶＨ及びＶＬドメインは、他の断片の相補的なＶＨ及びＶＬドメインとの対形成を余儀なくされ、２つの抗原結合部位を形成する。二重特異的抗体を調製するための他の方策は、単一鎖ＦＶ（ｓＦＶ）ダイマーの使用である（Ｇｒｕｂｅｒｔ等， １９９４）。三重特異的Ａｂｓなどの二価以上のＡｂｓも考慮される（Ｔｕｔｔ等， １９９１）。
典型例である二重特異的Ａｂｓは、任意のｈＳＴＲＡ６上の２つの異なるエピトープに結合する。或いは、細胞防御機構を、特定のｈＳＴＲＡ６を発現する特定の細胞に限定することができる：抗ｈＳＴＲＡ６のアームは、Ｔ細胞レセプター分子（例えば、ＣＤ２， ＣＤ３， ＣＤ２８， 又はＢ７）などの白血球が誘因する分子、又はＦＣγＲＩ（ＣＤ６４）、ＦＣγＲＩＩ（ＣＤ３２）及びＦＣγＲＩＩＩ（ＣＤ１６）などのＩｇＧ（ＦＣγＲ）に対するＦＣレセプターと結合するアームと組合わされる。また、二重特異的Ａｂｓは、特定のｈＳＴＲＡ６を発現させる細胞に対して細胞毒性剤を標的するためにも使用される。これらのＡｂｓはｈＳＴＲＡ６結合アーム及び細胞毒性剤又は放射性核種キレーターと結合するアームを持つ。
【００３９】
６．ヘテロ結合性Ａｂｓ
ヘテロ結合性Ａｂｓは、２つの共有結合性Ａｂｓから構成され、免疫系細胞を不要な細胞にターゲットさせること（４，６７６，９８０， １９８７）及びヒト免疫欠損ウィルス（ＨＩＶ）感染の治療（国際公開第９１／００３６０号， １９９１；国際公開第９２／２０３７３号， １９９２）のために提唱されてきた。クロスリンク剤に関与することを含む合成タンパク質化学方法を用いてインヴィトロにおいて調製されるＡｂｓが考慮される。例えば、免疫毒は、ジスルフィド交換反応を使用し、又はチオエーテル結合を形成させることにより構築される。適切な試薬の例には、イミノチオレート及びメチル−４−メルカプトブチリミデートが含まれる（４，６７６，９８０， １９８７）。
７．免疫複合体
免疫複合体は、化学療法剤などの細胞毒性剤、毒素（例えば、バクテリア、真菌、植物、又は動物起源の酵素学的に活性な毒素又は断片）、又は放射活性アイソトープ（即ち、放射結合体）。
有用な酵素学的に活性な毒素及び断片には、ジフテリアＡ鎖、ジフテリア毒素の非結合性活性断片、緑膿菌由来のエクソトキシンＡ鎖、リシンＡ鎖、アブリンＡ鎖、モデシンＡ鎖、α−サルシン、シナアブラギリタンパク質、ジアンシン（Ｄｉａｎｔｈｉｎ）タンパク質、ヨウシュヤマゴボウタンパク質、ツルレイシインヒビター、クルシン、クロチン、サパオナリア・オフィシナリス（ｓａｐａｏｎａｒｉａ ｏｆｆｉｃｉｎａｌｉｓ）インヒビター、ゲロニン、ミトゲリン（ｍｉｔｏｇｅｌｌｉｎ）、レストリクトシン（ｒｅｓｔｒｉｃｔｏｃｉｎ）、フェノマイシン（ｐｈｅｎｏｍｙｃｉｎ）、エノマイシン（ｅｎｏｍｙｃｉｎ）及びトリコテセン（ｔｒｉｃｏｔｈｅｃｅｎｅ）が含まれる。２１２Ｂｉ， １３１Ｉ， １３１Ｉｎ， ９０Ｙ， 及び１８６Ｒｅなどの様々な放射性ヌクレオチドが放射性結合Ａｂｓの生成に利用可能である。
抗体及び細胞障害薬の結合体は、種々の二官能性タンパク質カップリング剤、例えば、Ｎ−スクシンイミジル−３−（２−ピリジルジチオール）プロピオネート（ＳＰＤＰ）、イミノチオラン（ＩＴ）、イミドエステルの二官能性誘導体（ジメチルアジピミデートＨＣｌ等）、活性エステル（ジスクシンイミジルスベレート等）、アルデヒド（グルタルアルデヒド等）、ビス−アジド化合物（ビス（ｐ−アジドベンゾイル）ヘキサンジアミン等）、ビス−ジアゾニウム誘導体（ビス−（ｐ−ジアゾニウムベンゾイル）−エチレンジアミン等）、ジイソシアネート（トリエン２，６−ジイソシアネート等）、及びビス−活性フッ素化合物（１，５−ジフルオロ−２，４−ジニトロベンゼン等）を用いて作成できる。例えば、リシン免疫毒素を、調製することができる（Ｖｉｔｅｔｔａ等， １９８７）。１４Ｃ−標識１−イソチオシアナトベンジル−３−メチルジエチレントリアミン五酢酸（ＭＸ−ＤＴＰＡ）は、放射性核種の抗体への結合のためのキレート剤の例である（国際公開第９４／１１０２６号， １９９４）。
他の実施態様では、腫瘍の予備標的化で使用するために、抗体は「レセプター」（ストレプタビジン等）に結合されてもよく、抗体−レセプター結合体は患者に投与され、次いで清澄化剤を用いて未結合結合体を循環から除去し、次に細胞障害薬（放射性核種等）に結合されたストレプタビジン「リガンド」（ビオチン等）を投与する。
８．エフェクター機能の設計
本抗体は、癌などの疾病の治療における抗体の有効性を向上させるために改変することができる。例えば、システイン残基をＦＣ領域に導入し、それにより、この領域に鎖間ジスルフィド結合を形成させるようにしてもよい。そのようなホモダイマーＡｂｓは、向上した内部移行能力及び／又は増加した補体媒介細胞殺傷及び抗体−依存性細胞性細胞毒性（ＡＤＣＣ）を有しうる（Ｃａｒｏｎ等， １９９２；Ｓｈｏｐｅｓ， １９９２）。増強した抗腫瘍活性を持つホモダイマーＡｂｓは、異種二官能性架橋を用いても調製しうる（Ｗｏｌｆｆ等， １９９３）。あるいは、抗体は、２つのＦＣ領域を有するように設計し、補体溶解を向上させることもできる（Ｓｔｅｖｅｎｓｏｎ等， １９８９）。
【００４０】
９．免疫リポソーム
また、抗体を含むリポソームが調製されてもよい（米国特許第４４８５０４５号， １９８４；米国特許第４５４４５４５号， １９８５；米国特許第５０１３５５６号， １９９１；Ｅｐｐｓｔｅｉｎ等， １９８５；Ｈｗａｎｇ等， １９８０）。有用なリポソームは、ホスファチジルコリン、コレステロール及びＰＥＧ−誘導ホスファチジルエタノールアミン（ＰＥＧ−ＰＥ）を含む脂質組成物での逆相蒸発法によって生成される。このような調製物は、所望の径を有するリポソームが生成されるように定められた孔サイズのフィルターを通して押し出される。抗体のＦａｂ’断片は、ジスルフィド交換反応を介してリポソームに結合され得る（Ｍａｒｔｉｎ及びＰａｐａｈａｄｊｏｐｏｕｌｏｓ， １９８２）。また、ドキソルビシンなどの化学療法剤もリポソーム中に含まれてもよい（Ｇａｂｉｚｏｎ等， １９８９）。他に異なる組成の有用なリポソームが考慮される。
１０．ｈＳＴＲＡ６に対するＡｂｓの診断上の適用
抗ｈＳＴＲＡ６ Ａｂｓは、ｈＳＴＲＡ６を限局化させ及び／又は定量するために使用することができる（例えば、組織サンプル中のｈＳＴＲＡ６レベルの測定における使用のため又は診断上の方法における使用のため等）。抗ｈＳＴＲＡ６エピトープＡｂｓは薬剤的に活性な化合物として利用することができる。
抗ｈＳＴＲＡ６ Ａｂｓは、イムノアフィニティークロマトグラフィー又は免疫沈降などの標準的な技術によりｈＳＴＲＡ６を単離するために使用することができる。これらのアプローチは、細胞及び組織から内在性のｈＳＴＲＡ６抗原を含むポリペプチドの精製を促進する。これらのアプローチ並びに他のアプローチは、抗原性タンパク質の発現の量及びパターンを評価するため、サンプル中のｈＳＴＲＡ６を検出するために使用することができる。抗ｈＳＴＲＡ６ Ａｂｓは臨床的なテスト手順の一部として組織中のタンパク質レベルをモニターするのに使用することができる；例えば、任意の治療計画の有効性を決定するため。抗体を検出可能な基質（標識）とカップリングさせることにより、Ａｂ−抗原複合体の検出が可能となる。標識のクラスには、蛍光性、発光性、生物発光性、及び放射活性物質、酵素、及び補欠分子族が含まれる。有用な標識には、西洋ワサビペルオキシダーゼ、アルカリホスファターゼ、β−ガラクトシダーゼ、アセチルコリンエステラーゼ、ストレプタビジン／ビオチン、アビジン／ビオチン、ウンベリフェロン、フルオレセイン、フルオレセイン  イソチオシアナート、ローダミン、ジクロロトリアジニルアミン  フルオレセイン、ダンシル  クロライド、フィコエリスリン、ルミノール、ルシフェラーゼ、ルシフェリン、エクオリン、及び１２５Ｉ， １３１Ｉ， ３５Ｓ又は３Ｈが含まれる。
【００４１】
１１．抗体治療
本発明のＡｂｓには、ポリクローナル、モノクローナル、ヒト化及び完全体ヒトＡｂｓが含まれ、治療上使用され得る。このような薬剤は、一般に、患者の疾病又は病態を治療又は予防するために用いられるであろう。抗体調製物は、好ましくは高い抗原特異性及び親和性を有しており、一般に標的エピトープ（群）に結合することにより効果を媒介する。一般に、そのようなＡｂｓの投与は２つの効果のうち１つを媒介する：（１）抗体はリガンドの結合を妨げ、内在性のリガンド結合及びそれに続くシグナル伝達を除去する、又は（２）抗体が標的分子のエフェクター部位に結合することによる生理学的な結果を誘発し、シグナル伝達を開始させる。
治療上有効な量の抗体は、一般に、治療目的を達成するのに必要な量、エピトープ結合親和性、投与速度、及び患者からの抗体の除去速度と関係する。治療上有効な用量に関する通常の範囲は、限定はしないが、例えば、約０．１ ｍｇ／ｋｇ体重から約５０ ｍｇ／ｋｇ体重である。投薬頻度は、例えば、一日二回から週に一回である。
１２．Ａｂｓの薬剤的組成
抗ｈＳＴＲＡ６ Ａｂｓ並びに他のアッセイで同定されたｈＳＴＲＡ６相互作用分子（アプタマーなど）は、種々の障害を治療するための薬剤的組成物中にて投与される。そのような組成物を調製することに関与する原則及び考慮並びに構成成分の選択における指針は（ｄｅ Ｂｏｅｒ， １９９４；Ｇｅｎｎａｒｏ， ２０００；Ｌｅｅ， １９９０）中に見出すことができる。
Ａｂｓの完全体がインヒビターとして用いられる場合、細胞内移行するＡｂｓが好ましい。また、リポソームが細胞内への導入のための送達媒体として使用されてもよい。抗体断片が使用される場合、エピトープと特異的に結合する最小の阻害断片が好ましい。例えば、有用な抗体の可変領域配列に基づいて好適なエピトープに結合するペプチド分子を設計することができる。このようなペプチドは、化学的に合成し、及び／又は組換えＤＮＡ技術によって合成することができる（Ｍａｒａｓｃｏ等， １９９３）。また、製剤には、１より多い特定の治療のための活性な化合物、好ましくは互いに悪影響を及ぼさない活性を伴うものも含まれる。組成物には、細胞毒性剤、サイトカイン、化学療法剤、又は成長阻害剤などの機能を増強させる薬剤が含まれる。
また、活性成分は、コアセルベーション技術により又は界面重合により調製されたマイクロカプセル中に包括させることもできる；例えば、各々ヒドロキシメチルセルロース又はゼラチン−マイクロカプセル及びポリ（メタクリル酸メチル）マイクロカプセル中、コロイド状薬物送達系（例えば、リポソーム、アルブミン小球、マイクロエマルション、ナノ粒子及びナノカプセル）中、又はマクロエマルション中。
インビボ投与に使用される製剤は無菌であることが極めて好ましい。これは、滅菌濾過膜を通した濾過又は多くの何れかの技術により容易に達成される。
抗体を含有する固体疎水性ポリマーの半透過性マトリクスを含み、マトリクスが成形された物品、例えばフィルム、又はマイクロカプセルの形状であるような、徐放性製剤を調製してもよい。徐放性マトリクスの例は、ポリエステル、ヒドロゲル（例えば、ポリ（２−ヒドロキシエチル−メタクリレート）又はポリ（ビニルアルコール））、ポリアクチド（Ｂｏｓｗｅｌｌ及びＳｃｒｉｂｎｅｒ， 米国特許第３，７７３，９１９号， １９７３）、Ｌ−グルタミン酸及びγ−エチル−Ｌ−グルタメート、非分解性エチレン−酢酸ビニル、乳酸−グリコール酸コポリマー、及びポリ−（Ｄ）−３−ヒドロキシブチル酸酢から構成される注射可能な小球などの分解性乳酸−グリコール酸コポリマーを含む。エチレン−酢酸ビニル及び乳酸−グリコール酸などのポリマーは分子を１００日に渡って放出することができるが、ある種のヒドロゲルはより短時間でタンパク質を放出してしまう。
【００４２】
ｈＳＴＲＡ６組換体発現ベクター及び宿主細胞
ベクターは宿主細胞間でＤＮＡをシャトルするため、又はヌクレオチド配列を発現させる方法として用いられる道具である。幾つかのベクターは原核生物でのみ機能するが、他は原核生物と真核生物の両方で機能し、真核生物中での発現のために原核生物からの大規模ＤＮＡ調製を可能にする。対象のＤＮＡ、ｈＳＴＲＡ６核酸配列又は断片などの挿入は、ライゲーション技術及び／又は当業者において周知の接合方法により達成される。そのようなＤＮＡは、その組み込みがベクターの何れか必要な構成成分を破壊しないように挿入される。挿入されたＤＮＡをタンパク質に発現させるために使用されるベクターの場合、導入されたＤＮＡは、その転写及び翻訳を支配するベクターエレメントに作用可能に連結される。
ベクターは、２つの一般的なクラスに分配される：クローニングベクターは、適切な宿主細胞中での伝播には必須ではなく、外来のＤＮＡを挿入し得る領域を持つ複製可能なプラスミド又はファージである；外来ＤＮＡは、まるでベクターの構成成分であるかの如く、複製され、伝播される。発現ベクター（プラスミド、酵母、又は動物ウィルスゲノムなど）は、外来ＤＮＡを転写及び翻訳するために外来性の遺伝学的物質を宿主細胞又は組織中へ導入するために用いられる。発現ベクターにおいて、導入されたＤＮＡは、挿入ＤＮＡを転写するために宿主細胞へシグナルを送るためのプロモーターのようなエレメントに作用可能に連結される。特異的な因子に応答して遺伝子の転写をコントロールする誘導可能なプロモーターのような幾つかのプロモーターは非常に有用である。作用可能に連結するｈＳＴＲＡ６又はアンチセンスコンストラクトは、ｈＳＴＲＡ６又は断片、又はアンチセンスコンストラクトの発現をコントロールすることができる。古典的な誘導可能なプロモーターの例には、α−インターフェロン、ヒートショック、重金属イオン、及びグルココルチコイドなどのステロイド（Ｋａｕｆｍａｎ， １９９０）及びテトラサイクリンに応答するものが含まれる。他の望ましい誘導可能なプロモーターには、コンストラクトが存在する細胞には内在しないものではあるが、誘導剤が外から供給された場合には細胞内で応答するものが含まれる。
ベクターは、多くの異なる徴候を持つ。「プラスミド」は、付加的なＤＮＡセグメントが導入され得る環状二重鎖ＤＮＡ分子のことである。ウィルスベクターは、付加的なＤＮＡセグメントをウィルスゲノム中に受け入れることができる。ある種のベクターは宿主細胞中で自律複製することができる（例えば、バクテリアの複製起点を持つバクテリアのベクターと、エピソームである哺乳類のベクター）。他のベクター（例えば、非エピソーム性哺乳類ベクター）は宿主細胞中に導入されると宿主細胞のゲノム中へ組込まれ、それにより宿主ゲノムと一緒に複製される。一般に、有用な発現ベクターはしばしばプラスミドである。しかしながら、発現ベクターの他の形態、ウィルスベクター（例えば、複製欠損レトロウィルス、アデノウィルス及びアデノ関連ウィルス）などが考慮される。
ｈＳＴＲＡ６（又は断片）を含む組換体発現ベクターは、ｈＳＴＲＡ６と作用可能に結合された一又は複数の宿主細胞応答（又はインヴィトロで操作可能な）制御配列を利用することにより、ｈＳＴＲＡ６の転写を制御する。「作用可能に結合された」とは、対象のヌクレオチド配列がヌクレオチド配列の発現が達成されるように制御配列と結合されていることを意味する。
【００４３】
ベクターを種々の生物及び／又は細胞中に導入することができる（表Ｄ）。或いは、該ベクターは、例えば、Ｔ７プロモーター制御配列とＴ７ポリメラーゼを用いて、インヴィトロで転写及び翻訳することができる。
2004519250.tif 000011
2004519250.tif 000012
【００４４】
ベクターの選択は、用いられる生物又は細胞及びベクターの望まれる運命によって影響される。ベクターは、標的細胞中で一度複製するか、又は「自殺」ベクターであり得る。一般に、ベクターはシグナル配列、複製起点、マーカー遺伝子、エンハンサーエレメント、プロモーター、及び転写終結配列を含む。これらのエレメントの選択は、ベクターが使用される生物に依存して、容易に決定される。これらのエレメントの幾つかは、誘導可能又は条件が整うと「オン」になる条件的プロモーターのような、条件的なものである。誘導可能なプロモーターの例には、組織特異的で、ある種の細胞型に対しては発現を低下させるもの、ステロイド応答性のもの、又はヒートショックに反応するものが含まれる。ｌａｃオペロンなどのある種のバクテリアの抑制システムは、哺乳類細胞及び遺伝子操作動物中で利用される（Ｆｉｅｃｋ等， １９９２；Ｗｙｂｏｒｓｋｉ等， １９９６；Ｗｙｂｏｒｓｋｉ及びＳｈｏｒｔ， １９９１）。ベクターはベクターが取り込まれた細胞の同定を促進するためにしばしば選択マーカーを使用する。多くの選択マーカーは原核生物の使用に関する技術において周知であり、通常、抗生物質耐性遺伝子又は独立栄養性及び栄養要求性突然変異である。
アンチセンス及びセンスのｈＳＴＲＡ６オリゴヌクレオチドを用いると、ｈＳＴＲＡ６ポリペプチド発現を妨げることができる。これらのオリゴヌクレオチドは標的核酸配列に結合し、二重鎖の分解を増強し、未成熟な転写又は翻訳を終結させること、又はその他の方法によって標的配列の転写又は翻訳を阻止する二重鎖を形成する。
アンチセンス又はセンスのオリゴヌクレオチドは、ＲＮＡ又はＤＮＡの何れかである単一鎖核酸であり、標的ｈＳＴＲＡ６ ｍＲＮＡ（センス）又はｈＳＴＲＡ６ ＤＮＡ（アンチセンス）配列と結合することができる。当該発明によると、アンチセンス又はセンスオリゴヌクレオチドは、少なくとも約１４ヌクレオチド、好ましくは約１４から３０ヌクレオチドのｈＳＴＲＡ６ ＤＮＡのコード化領域の断片を含む。一般に、アンチセンスＲＮＡ又はＤＮＡ分子は、少なくとも５， １０， １５， ２０， ２５， ３０， ３５， ４０， ４５， ５０， ５５， ６０， ６５， ７０， ７５， ８０， ８５， ９０， ９５， １００塩基の長さ又はそれより長い塩基を含み得る。特に、（Ｓｔｅｉｎ及びＣｏｈｅｎ， １９８８；ｖａｎ ｄｅｒ Ｋｒｏｌ等， １９８８ｂ）は任意のｃＤＮＡ配列に由来するアンチセンスまたはセンスのオリゴヌクレオチドを導き出す方法を記述する。
アンチセンス及びセンスのオリゴヌクレオチドの修飾は、それらの効果を増大させる。修飾された糖−リン酸ジエステル結合又は他の糖結合（国際公開第９１／０６６２９号， １９９１）は、標的配列に対する結合特異性は破壊せずに内在性のヌクレアーゼに対する耐性を付与することにより、インヴィボにおける安定性を増加させる。共有結合された有機的部分（国際公開第９０／１０４４８号， １９９０）又はポリ−（Ｌ）−リジンのような他の修飾は、標的に対するオリゴヌクレオチドの親和性を増加させることができる。他の吸着物は標的に対するオリゴヌクレオチドの結合特異性を修飾し、金属複合体又はインターカレート化（例えば、エリプチシン）又はアルキル化剤が含まれる。
【００４５】
アンチセンス又はセンスのオリゴヌクレオチドを標的細胞（標的核酸配列を含む細胞）中へ導入するために、何れかの遺伝子転移法が使用され、当業者において周知である。遺伝子転移法の例には、１）エプステイン−バーウィルス様遺伝子転移ベクター又は外来性のＤＮＡをリガンド結合分子に結合させる（国際公開第９１／０４７５３号， １９９１）などの、生物学的方法、２）エレクトロポレーションのような物理的な方法、及び３）ＣａＰＯ４沈殿及びオリゴヌクレオチド−脂質複合体（国際公開第９０／１０４４８号， １９９０）などの化学的な方法が含まれる。
「宿主細胞」及び「組換体宿主細胞」という用語は、互いに交換可能に使用される。これらの用語は、特定の対象細胞だけではなく、これらの細胞の子孫又は潜在的な子孫をも意味する。突然変異又は環境による影響のどちらかによりある種の修飾が、次の世代で生じるため、実際は、このような子孫は親細胞と同一ではない可能性があるが、やはり発明の範囲に含まれる。
真核細胞のトランスフェクション及び原核細胞のトランスフォーメーションは、当該技術において周知である。宿主細胞の選択は対象の核酸を導入するための好適な技術を決定する。表Ｅには、限定を意味するものではないが、当該技術において多くの周知技術をまとめてある。また、生物への核酸の導入、もしあれば特定の生物に対してインヴィトロのトランスフェクション技術、並びに確立された遺伝学的技術を用いるエキソヴィボの技術によっても行われる可能性がある。
【００４６】
2004519250.tif 000013
2004519250.tif 000014
2004519250.tif 000015
【００４７】
ベクターは、該ベクターが取り込まれた細胞の同定を促進するためにしばしば選択マーカーが用いられる。多くの選択マーカーは、原核生物の使用、通常は、抗生物質耐性遺伝子又は独立栄養性及び栄養要求性突然変異の使用に関する技術分野において周知である。表Ｆには哺乳動物細胞のトランスフェクションに対するしばしば利用される選択マーカーが列挙されている。
2004519250.tif 000016
【００４８】
原核細胞の又は真核細胞の宿主培養細胞などの本発明における宿主細胞は、ｈＳＴＲＡ６を生産するために使用することができる。従って、本発明は本発明の宿主細胞を用いてｈＳＴＲＡ６を生産するための方法を提供する。一実施態様において、本方法は、ｈＳＴＲＡ６が発現されるような適切な培地中で、本発明の宿主細胞（ｈＳＴＲＡ６をコードする組換体発現ベクターが導入される）を培養することを含む。他の実施態様において、本方法には、さらにｈＳＴＲＡ６を培地又は宿主細胞から単離することが含まれる。
遺伝子導入ｈＳＴＲＡ６動物
遺伝子導入動物は、ｈＳＴＲＡ６の機能及び／又は活性を研究し、ｈＳＴＲＡ６活性の修飾因子を同定し及び／又は評価するために有用である。「遺伝子導入動物」は、非ヒト動物であり、好ましくは、哺乳動物、更に好ましくは、ラット又はマウスなどの齧歯類であって、その細胞の一又は複数は導入遺伝子を包含する。他の遺伝子導入動物には、霊長類、ヒツジ、イヌ、ウシ、ヤギ、チキン、両生類などが含まれる。「導入遺伝子」は遺伝子導入動物が発育する細胞のゲノム中に組込まれ、成熟した動物のゲノム中にも残存する外来性のＤＮＡである。遺伝子導入は、好ましくは一又は複数の細胞型又は組織中で天然にコードされる遺伝子産物の発現を妨げる（ノックアウト遺伝子導入動物）、又は組み込み、染色体上での配置、又は組換え領域のマーカー又は指示薬として役立つ（例えばｃｒｅ／ｌｏｘＰマウス）目的を持って、遺伝子導入動物の一又は複数の細胞型又は組織中でコードする遺伝子産物の発現を導く。「相同組換え動物」は、齧歯類のような非ヒト動物であり、動物を発育させる前に（例えば、胎児性の）細胞中で内在性のｈＳＴＲＡ６と相同的に組換わる外来性ＤＮＡ分子によって内在性ｈＳＴＲＡ６が変えられてきた。外来性のｈＳＴＲＡ６を持つ、ｈＳＴＲＡ６コード化配列が導入された受精後の卵母細胞又は胎児性の幹細胞などの宿主細胞は、遺伝子導入非ヒト動物を生産するために使用される。その後、このような宿主細胞は遺伝子導入非ヒト動物又は相同組換え動物を創造するために用いることができる。
【００４９】
１．遺伝子導入動物の生産へのアプローチ
遺伝子導入動物は、ｈＳＴＲＡ６を受精後の卵母細胞中のオスの前核中に導入し（例えば、マイクロインジェクション、レトロウィルス感染によって）、卵母細胞が疑似妊娠したメスの養育動物（ｐｆｆａ）中で発育することを可能にすることにより創り出すことができる。ｈＳＴＲＡ６ ｃＤＮＡ配列（配列番号：１又は３）は、非ヒト動物のゲノム中に導入遺伝子として導入することができる。或いは、ｈＳＴＲＡ６の相同体は導入遺伝子として用いることができる。また、介在配列及びポリアデニル化シグナルも導入遺伝子の発現を増加させるために導入遺伝子中に含まれることが可能である。組織特異的な制御配列は、特定の細胞でｈＳＴＲＡ６の発現を導くようにｈＳＴＲＡ６導入遺伝子と作用可能に結合させることができる。胎児の操作及びマイクロインジェクションを介した遺伝子導入動物、特にマウスなどの動物を生産するための方法は、当該技術分野において通常の方法、例えば、（Ｅｖａｎｓ等， 米国特許第４，８７０，００９号， １９８９；Ｈｏｇａｎ， ０８７９６９３８４３， １９９４；Ｌｅｄｅｒ及びＳｔｅｗａｒｔ， 米国特許第４，７３６，８６６号， １９８８；Ｗａｇｎｅｒ及びＨｏｐｐｅ， 米国特許第 ４，８７３，１９１号， １９８９）となっている。他の非マウス遺伝子導入マウスは、類似の方法によって作製され得る。遺伝子導入創出動物は、更なる遺伝子導入動物を繁殖させるために用いることができ、そのゲノム中での導入遺伝子の存在及び／又は動物の組織又は細胞中での導入ｍＲＮＡの発現に基づいて同定することができる。遺伝子導入（例えば、ｈＳＴＲＡ６）動物は、他の導入遺伝子を保有する遺伝子導入動物を繁殖させることができる。
２．遺伝子導入動物を作製するためのベクター
相同組換え動物を産み出すために、欠損、付加又は置換が、例えば、機能的にｈＳＴＲＡ６を破壊するような変更を行うように導入されたｈＳＴＲＡ６の少なくとも一部を含むベクター。ｈＳＴＲＡ６はマウス遺伝子（配列番号：１）、又は天然に生じる変異体（配列番号：３）などの他のｈＳＴＲＡ６相同体であり得る。一つのアプローチは、ノックアウトベクターは、相同組換えによって、内在性ｈＳＴＲＡ６遺伝子を機能的に破壊し、その結果、たとえあるにしても非機能的なｈＳＴＲＡ６タンパク質が発現される。
或いは、ベクターは、相同組換えにおいて、内在性ｈＳＴＲＡ６が変異され、さもなくば変更されるが、依然として機能的なタンパク質をコードするように設計することができる（例えば、上流の制御領域は、結果的に内在性のｈＳＴＲＡ６の発現を変更するように変更することができる）。このタイプの相同組換えベクターにおいて、ｈＳＴＲＡ６の変更された部分は、ベクターによって運ばれる外来性のｈＳＴＲＡ６と胎児性幹細胞中の内在性ｈＳＴＲＡ６との間に生じる相同組換えを可能ならしめるために、ｈＳＴＲＡ６の付加的な核酸によってその５’及び３’末端に隣接される。付加的な隣接するｈＳＴＲＡ６核酸は、内在性ｈＳＴＲＡ６と相同組換えを引き起こすために十分なものである。典型的には、数キロベースの隣接ＤＮＡ（５’及び３’の両末端における）は、ベクター中に包含される（Ｔｈｏｍａｓ及びＣａｐｅｃｃｈｉ， １９８７）。その後、ベクターは、胎児性幹細胞株中に導入され（例えば、エレクトロポレーションにより）、導入されたｈＳＴＲＡ６が相同的に内在性のｈＳＴＲＡ６と組換わった細胞が選択される（Ｌｉ等， １９９２）。
【００５０】
３．ｈＳＴＲＡ６導入遺伝子の発生中の細胞への導入
選択された細胞は、その後、集合キメラを形成させるために動物（例えば、マウス）の胚盤胞中へインジェクトされる（Ｂｒａｄｌｅｙ， １９８７）。その後、キメラ胎児は偽妊娠の雌性乳母中へ移植され、胎児には名前が付けられる。胚細胞に相同的に組換えられたＤＮＡを有する子孫は、導入遺伝子の生殖系列伝達によって相同的に組換えられたＤＮＡを動物の全細胞において含む動物を繁殖させるために使用される。相同組換えベクター及び相同組換え動物を構築するための方法が記述されている（Ｂｅｒｎｓ等， 国際公開第９３／０４１６９号， １９９３；Ｂｒａｄｌｅｙ， １９９１；Ｋｕｃｈｅｒｌａｐａｔｉ等， 国際公開第９１／０１１４０号， １９９１；Ｌｅ Ｍｏｕｅｌｌｉｃ及びＢｒｕｌｌｅｔ， 国際公開第９０／１１３５４号， １９９０）。
或いは、導入遺伝子の制御された発現を可能ならしめるような選択された系を含む遺伝子導入動物が産み出され得る。そのような系の例として、バクテリオファージＰ１のｃｒｅ／ｌｏｘＰリコンビナーゼ系がある（Ｌａｋｓｏ等， １９９２）。他のリコンビナーゼの系は、出芽酵母のＦＬＰリコンビナーゼの系である（Ｏ’Ｇｏｒｍａｎ等， １９９１）。ｃｒｅ／ｌｏｘＰリコンビナーゼ系が導入遺伝子の発現を制御するために用いられる場合、Ｃｒｅリコンビナーゼ及び選択されたタンパク質の両方をコードする導入遺伝子を持った動物が必要となる。そのような動物は、選択されたタンパク質をコードする導入遺伝子を持つ動物と、リコンビナーゼをコードする導入遺伝子を持つ動物とを交尾させることによって、「二重」遺伝子導入動物として作製することが可能である。
また、遺伝子導入動物のクローンも作製することができる（Ｗｉｌｍｕｔ等， １９９７）。簡単に述べると、遺伝子導入動物由来の細胞は単離することができ、増殖サイクルを脱出してＧ０期に移行するように誘導することができる。その後、静止期の細胞は、該静止期細胞が単離された種と同一の動物由来の徐核卵母細胞と融合させることができる。再構成された卵母細胞は、その後、桑実胚又は未分化胚芽細胞に発生するまで培養し、次いで偽妊娠の雌性乳母中へ導入される。該雌の乳母から生まれた子孫は、「親」遺伝子導入動物のクローンとなる。
【００５１】
薬剤的組成物
本発明のｈＳＴＲＡ６の核酸分子、ｈＳＴＲＡ６のポリペプチド及び抗ｈＳＴＲＡ６Ａｂｓ（活性化合物）、及びその誘導体、断片、類似体及び相同体は、薬剤的組成物中へ取り込まれ得る。典型的に、そのような組成物には、核酸分子、タンパク質又は抗体及び製薬的に受容可能な坦体が含まれる。「製薬的に受容可能な坦体」は、何れかの及び全ての溶媒、分散媒、コーティング剤、抗菌及び抗真菌剤、アイソトニックで吸着を遅らせる薬剤、及びその類似物を含み、薬剤的投与に適合する（Ｇｅｎｎａｒｏ， ２０００）。そのような担体又は希釈剤の好ましい例には、限定はしないが、水、生理食塩水、フィンガー溶液、デキストロース溶液、及び５％のヒト血清アルブミンが含まれる。リポソーム及び不揮発性油などの非水溶性媒体も用いられる。従来の培地又は薬剤が活性な化合物に適合しない場合以外は、これらの組成物の使用が考慮される。補充性の活性化合物も該組成物中に取り込まれる。
１．一般的な検討事項
本発明の薬剤的な組成物は、静脈内、皮内、皮下、経口（例えば、吸入など）、経皮性（即ち、局所的な）、経粘膜、及び直腸の投与を含む、意図された投与経路に適合するように製剤化される。非経口、皮内、又は皮下への適用のために使用される溶液又は懸濁液は：注射用の水などの滅菌的希釈液、生理食塩水溶液、不揮発性油、ポリエチレングリコール、グリセリン、プロピレングリコール、又は他の合成溶媒；ベンジルアルコール又は他のメチルパラベンなどの抗菌剤；アスコルビン酸又は亜硫酸水素ナトリウムなどの抗酸化剤；エチレンジアミンテトラ酢酸（ＥＤＴＡ）などのキレート剤；酢酸塩、クエン酸塩、又はリン酸塩などのバッファー、及び塩化ナトリウム又はデキストロースなどの張性の調製のための薬剤を含み得る。ｐＨは塩酸又は水酸化ナトリウムなどの酸又は塩基で調製され得る。非径口的標品はアンプル、ガラスもしくはプラスチック製の使い捨てシリンジ又は複数回投与用バイアル中に収納される。
２．注射可能な製剤
注射に適する薬剤的組成物には、滅菌的な注射可能な溶液又は分散媒を即座に調製するための滅菌的水溶液（水溶性の）又は分散媒及び滅菌性のパウダーが含まれる。静脈内の投与に関し、適切な担体には生理食塩水、静菌水、ＣＲＥＭＯＰＨＯＲ ＥＬＴＭ（ＢＡＳＦ， Ｐａｒｓｉｐｐａｎｙ， Ｎ．Ｊ．）、又はリン酸緩衝化生理食塩水（ＰＢＳ）が含まれる。全ての場合において、組成物は滅菌的であって、シリンジを用いて投与されるために流動的でなくてはならない。このような組成物は、調剤及び保存の間、安定であるべきで、バクテリア及び真菌などの微生物由来のコンタミネーションから保護されなくてはならない。担体は、例えば、水、エタノール、ポリオール（グリセロール、プロピレングリコール、及び液体ポリエチレングリコールなど）、及び適切な混合物を含む溶媒又は分散媒培地であり得る。例えば、レクチンなどのコーティング剤を用い、分散媒においては必要とされる粒子サイズを維持し、界面活性剤を用いることにより適度な流動性が維持される。種々の抗菌剤及び抗真菌剤、例えば、パラベン、クロロブタノール、フェノール、アスコルビン酸、及びチメロサールなどは、微生物のコンタミネーションを含み得る。例えば、糖、マンニトール、ソルビトールなどのポリアルコール及び塩化ナトリウムのような等張性を保つ薬剤が組成物中に含まれ得る。吸着を遅らせることができる組成物には、モノステアリン酸アルミニウム及びゼラチンなどの薬剤が含まれる。
滅菌的な注射可能溶液は、必要な成分の一又は組み合わせとともに適切な溶媒中に必要量の活性化合物（例えば、ｈＳＴＲＡ６又は抗ｈＳＴＲＡ６抗体）を取り込み、次に滅菌することで調製することができる。一般に、分散媒は、基本的な分散培地及び上述したその他の必要成分を含む滅菌的媒体中に活性化合物を取り込むことにより調製される。滅菌的な注射可能な溶液の調製のための滅菌的なパウダーの調製方法には、活性な成分及び滅菌溶液に由来する何れかの所望な成分を含むパウダーをもたらす真空乾燥及び凍結乾燥が含まれる。
【００５２】
３．経口組成物
通常、経口組成物には、不活性な希釈剤又は食用に適する担体が含まれる。それらは、ゼラチンのカプセル中に包含されるか、加圧されて錠剤化される。経口治療的な投与の目的には、活性化合物は賦形剤と共に取り込まれ、錠剤、トローチ又はカプセルの形態で使用される。また、経口組成物は、うがい薬としての使用のための流動性担体を用いて調製することも可能であり、流動性担体中の該組成物は経口的に適用される。製薬的に適合する結合剤、及び／又はアジュバント物質が包含され得る。錠剤、丸薬、カプセル、トローチ及びその類似物は以下の成分又は類似の性質を持つ化合物の何れかを含み得る：微結晶性セルロース、ガム  トラガガント又はゼラチンなどの結合剤；スターチ又はラクトースなどの賦形剤、アルギン酸などの崩壊性剤、ＰＲＩＭＯＧＥＬ、又はコーンスターチ；ステアリン酸マグネシウム又はＳＴＲＲＯＴＥＳなどの潤滑剤；コロイド性シリコン二酸化物などの滑剤（ｇｌｉｄａｎｔ）；スクロース又はサッカリンなどの甘味剤；又はペパーミント、メチルサリシル酸又はオレンジフレイバーなどの香料添加剤。
４．吸入用組成物
吸入による投与に対して、化合物は、例えば、二酸化炭素などのガスのような適切な噴霧剤を含むネブライザー又は加圧容器からのエアロゾルスプレーとして提供される。
５．全身投与
また、全身投与は経粘膜的又は経皮的でもあり得る。経粘膜的又は経皮的投与について、標的のバリアー（群）を透過することができる浸透剤が選択される。経粘膜浸透剤は界面活性剤、胆汁酸塩、及びフシジン酸誘導体が含まれる。経鼻スプレー又は坐薬は経粘膜的な投与に対して使用することができる。経粘膜的投与に対して、活性化合物はオイントメント、軟膏、ジェル又はクリーム中へ製剤化される。
また、化合物は、直腸への送達に対して、坐薬（例えば、ココアバター及び他のグリセリドなどの基剤と共に）又は滞留性の浣腸の形態で調製することもできる。
６．担体
一実施態様において、活性化合物は、植込錠及びマイクロカプセルに封入された送達システムを含む制御放出製剤などの、体内からすぐに除去されることから化合物を保護する担体で調製される。エチレンビニル酢酸塩、ポリ酸無水物、ポリグリコール酸、コラーゲン、ポリオルトエステル、及びポリ乳酸などの、生物分解性、生物適合性ポリマーが使用され得る。このような材料は、ＡＬＺＡ Ｃｏｒｐｏｒａｔｉｏｎ（Ｍｏｕｎｔａｉｎ Ｖｉｅｗ， ＣＡ）及びＮＯＶＡ  Ｐｈａｒｍａｃｅｕｔｉｃａｌｓ， Ｉｎｃ．（Ｌａｋｅ Ｅｌｓｉｎｏｒｅ， ＣＡ）から入手可能であり、当業者によって調製されることが可能である。また、リポソームの懸濁液も製薬的に受容可能な坦体として使用することができる。これらは、（Ｅｐｐｓｔｅｉｎ等， 米国特許第４，５２２，８１１号， １９８５）にあるように当業者にとって既知の方法に従って調製することができる。
【００５３】
７．単位投与量
単位投与量の形での経口製剤又は非経口製剤は、投与及び投与量の均一性を促進するように作成される。単位投与量形態は、治療されるべき患者に対する一回の投与量に適した物理的に別個の単位であって、必要とされる製薬的な担体と共に活性化合物の治療上の有効量を含む単位を意味する。本発明の単位投与量形態に対する特定化は、活性化合物のユニークな特徴及び特に所望される治療上の効果、及び活性化合物を化合物化すること固有の限界によって影響され、直接依存する。
８．遺伝子治療組成物
本発明の核酸分子は、ベクター中に挿入することができ、遺伝子治療ベクターとして使用することができる。遺伝子治療ベクターは、患者へ、例えば、静脈内注射、局所的投与（Ｎａｂｅｌ及びＮａｂｅｌ， 米国特許第５，３２８，４７０号， １９９４）又は定位的な注射（Ｃｈｅｎ等， １９９４）によって送達させることができる。遺伝子治療ベクターの製薬的調剤物は、受容可能な希釈剤を包含することができ、又は遺伝子送達媒体が組込まれた緩徐放出マトリックスを含むことができる。或いは、完全な遺伝子送達ベクターは、例えばレトロウィルスベクターのように、組換え体細胞から無傷で生産されるが、製薬的な調剤には、遺伝子送達系を生み出す一又は複数の細胞を包含し得る。
９．投与量
さらに、本発明の製薬的組成物及び方法は、ここで述べた通常上述の病態の治療において適用される他の治療上活性な化合物を含む。
ｈＳＴＲＡ６の調節を必要とする状態の治療又は予防において、適切な投与量レベルは、一般に、一回又は複数の投与において投与され得る、一日に患者の体重あたり約０．０１から５００ｍｇ／ｋｇであろう。好ましくは、投与量レベルは、一日に約０．１〜約２５０ｍｇ／ｋｇであろう；より好ましくは一日に約０．５〜約１００ｍｇ／ｋｇである。適切な投与量レベルは、一日に約０．０１〜約２５０ｍｇ／ｋｇ、一日に約０．０５〜約１００ｍｇ／ｋｇ、又は一日に約０．１〜約５０ｍｇ／ｋｇであってもよい。この範囲内において、投与量は一日に０．０５から０．５、０．５から５、又は５から５０ｍｇ／ｋｇであってもよい。経口投与に対して、組成物は、好ましくは１．０から１０００ｍｇの活性成分を含む錠剤の形態で提供され、好ましくは治療されるべき患者に対する投与量の症候調節に対する活性成分の１．０， ５．０， １０．０， １５．０， ２０．０， ２５．０， ５０．０， ７５．０， １００．０， １５０．０， ２００．０， ２５０．０， ３００．０， ４００．０， ５００．０， ６００．０， ７５０．０， ８００．０， ９００．０，及び１０００．０ｍｇである。化合物は一日に１〜４回の投与計画で、好ましくは一日に一回又は二回投与される。
しかしながら、何れかの特定の患者に対する特異的な投与量レベル及び投与頻度は、変動され、用いられる特異的な化合物の活性、代謝安定性及びそのような化合物の作用の長さ、年齢、体重、身体全体の健康、性別、食事、投与の様式及び時間、排泄の割合、薬物の組合わせ、特定の状態の重症度、及び治療を受けるホストを含む種々の因子に依存するであろう。
【００５４】
１０．製薬的組成物に関するキット
製薬的組成物はキット、容器、パック、ディスペンサー中に投与の説明書と共に含めることができる。本発明はキットとして供給される場合、組成物の異なる構成成分が別々の容器中に包装され、使用直前に混合される。このように構成成分を別々に包装することは、活性構成成分の機能を失うことなく、長期間の貯蔵を可能にすることができる。
また、キットは診断テスト又は組織タイピングなどの特異的なテストの実施を促進するように、別々の容器中に試薬を包含する。例えば、ｈＳＴＲＡ６ ＤＮＡテンプレート及び適切なプライマーが内部コントロールとして供給される。
（ａ）容器又は器（ｖｅｓｓｅｌ）
キット中に含まれる試薬は、異なる構成成分の寿命が持続され、容器の材質によって吸着されず、変化されないような何れかの種類の容器中に供給される。例えば、封着されたガラスアンプルは、凍結乾燥されたルシフェラーゼ又は窒素ガスのような中性で、不反応性ガスの下、包装されたバッファーを含む。アンプルは、ガラス、ポリカーボネート、ポリスチレンなどの有機ポリマー、セラミック、金属、又は試薬を保持するために典型的に用いられる他の何れかの適切な材料など何れか適切な材質から構成される。他の適切な容器の例には、アンプルなどの類似の物質から作られる簡単なボトル、及びアルミニウム又は合金などのホイルで裏打ちされた内部によって構成される包装材が含まれる。他の容器には、試験管、バイアル、フラスコ、ボトル、シリンジ、又はその類似物がが含まれる。容器は、皮下用注射針で貫通可能でストッパを有するボトルなどの無菌のアクセスポートを有する。他の容器には、容易に除去可能で、除去することで区画を混合させるような膜によって分離された２つの区画を有する。除去可能な膜は、ガラス、プラスチック、ラバーなどである。
（ｂ）使用説明書
また、キットには使用説明書も供給されている。指示は、紙又は他の材質上に印刷され、及び／又はフロッピー（登録商標）ディスク、ＣＤ−ＲＯＭ、ＤＶＤ−ＲＯＭ、Ｚｉｐディスク、ビデオテープ、オーディオテープなどの電気的に読み取り可能な媒体として供給されてもよい。詳細な指示は、キットに物理的に付随していないかもしれない；その代わりに、使用者はキットの製造者又は分配者によって指定され又は電子メールで供給されるウェッブサイトが案内されるであろう。
【００５５】
スクリーニング及び検出方法
本発明の単離された核酸分子は、ｈＳＴＲＡ６を発現させ（例えば、遺伝子治療の適用における宿主細胞中での組換体発現ベクターを介して）、ｈＳＴＲＡ６ ｍＲＮＡ（例えば、生物学的サンプル中の）を検出し、後述のようにｈＳＴＲＡ６の活性を変更させるために使用される。さらに、ｈＳＴＲＡ６ポリペプチドはｈＳＴＲＡ６活性又は発現を調節する薬剤又は化合物をスクリーニングし、並びにｈＳＴＲＡ６の不十分な又は過剰な生産又は減少されたｈＳＴＲＡ６の生産又はｈＳＴＲＡ６の野生型タンパク質と比較すると異常である活性によって特徴付けられる疾患を治療し、又はｈＳＴＲＡ６が関与する生物学的機能を調節するために使用することができる。さらに、本発明の抗ｈＳＴＲＡ６ Ａｂｓは、ｈＳＴＲＡ６を検出し、単離し、及びｈＳＴＲＡ６活性を調節するために使用することができる。
１．スクリーニングアッセイ
本発明は、細胞中の遺伝子の翻訳、転写、活性又はコピーを含むｈＳＴＲＡ６への刺激的又は阻害的な影響を与える様式、即ち、候補又はテスト化合物又は薬剤（例えば、ペプチド、ペプチドミメティクス、小分子、又は他の薬物）、食物、これらの組合わせなどを同定するための方法（スクリーニングアッセイ）を提供する。また、本発明は、スクリーニングアッセイにおいて同定される化合物も含む。  ｈＳＴＲＡ６活性を増大又は減少させる化合物をテストすることが望ましい。化合物は：（１）細胞中の遺伝子のコピー数に影響を与えることにより（増幅因子及び減少因子）；（２）ｈＳＴＲＡ６の転写を増加又は減少させることにより（転写上方制御因子及び転写下方制御因子）；（３）タンパク質へのｈＳＴＲＡ６ ｍＲＮＡの翻訳を増大又は減少させることにより（翻訳上方制御因子及び翻訳下方制御因子）；又は（４）ｈＳＴＲＡ６それ自体の活性を増大又は減少させることにより（アゴニスト及びアンタゴニスト）、ｈＳＴＲＡ６の活性を調節する。
（ａ）化合物の影響
ＤＮＡ、ＲＮＡ及びタンパク質レベルでｈＳＴＲＡ６に影響を与える化合物を同定するために、細胞又は生物体を候補化合物と接触させ、ｈＳＴＲＡ６ ＤＮＡ、ＲＮＡ又はタンパク質における対応する変化を評価する（Ａｕｓｕｂｅｌ等， １９８７）。ＤＮＡ増幅因子及び減少因子については、ｈＳＴＲＡ６ ＤＮＡの量が測定され、転写上方制御因子及び下方制御因子である化合物については、ｈＳＴＲＡ６ ｍＲＡＮの量が測定され；翻訳上方制御因子及び下方制御因子である化合物については、ｈＳＴＲＡ６ポリペプチドの量が測定される。アゴニスト又はアンタゴニストである化合物は、細胞又は生物体を化合物に接触させることにより同定される。
一実施態様において、候補又はｈＳＴＲＡ６の活性又はポリペプチド又は生物学的に活性なタンパク質と結合又は調節するテスト化合物をスクリーニングするための多くのアッセイが利用可能である。テスト化合物は：生物学的ライブラリー；空間的アドレス可能固相又は液相ライブラリー；逆重畳積分を必要とする合成ライブラリー法；「一ビーズ一化合物」ライブラリー法；及びアフィニティークロマトグラフィー選択を用いた合成ライブラリー法を含む、コンビナトリアルライブラリー法における多数のアプローチの何れかを用いて得ることが可能である。生物学的ライブラリーによるアプローチは、ペプチドに限定されるが、他の４つのアプローチは、ペプチド、非ペプチドオリゴマー又は化合物の小分子ライブラリーを包含する（Ｌａｍ， １９９７）。
【００５６】
（ｂ）小分子
「小分子」とは約５ｋＤ未満の分子量を持つ組成物のことを指し、より好ましくは約４ｋＤ未満であり、最も好ましくは０．６ｋＤ未満である。小分子は、核酸、ペプチド、ポリペプチド、ペプチドミメティクス、炭水化物、脂質又は他の有機もしくは無機分子であり得る。化学及び／又は真菌、バクテリア、又は藻類の抽出物などの生物学的混合物のライブラリーは、当該技術分野において既知であり、本発明のアッセイの何れかによりスクリーニングすることができる。分子ライブラリーの合成のための方法の実例は：（Ｃａｒｅｌｌ等， １９９４ａ；Ｃａｒｅｌｌ等， １９９４ｂ；Ｃｈｏ等， １９９３；ＤｅＷｉｔｔ等， １９９３；Ｇａｌｌｏｐ等， １９９４；Ｚｕｃｋｅｒｍａｎｎ等， １９９４）中に見出すことができる。
化合物のライブラリーは溶液中（Ｈｏｕｇｈｔｅｎ等， １９９２）又はビーズ上（Ｌａｍ等， １９９１）、チップ上（Ｆｏｄｏｒ等， １９９３）、バクテリア、胞子（Ｌａｄｎｅｒ等， 米国特許第５，２２３，４０９号， １９９３）、プラスミド（Ｃｕｌｌ等， １９９２）又はファージ（Ｃｗｉｒｌａ等， １９９０；Ｄｅｖｌｉｎ等， １９９０；Ｆｅｌｉｃｉ等， １９９１；Ｌａｄｎｅｒ等， 米国特許第５，２２３，４０９号， １９９３；Ｓｃｏｔｔ及びＳｍｉｔｈ， １９９０）上に提供されてもよい。無細胞アッセイには、アッセイ混合物を形成させるためにｈＳＴＲＡ６又は生物学的に活性な断片にｈＳＴＲＡ６と結合する既知の化合物を接触させ、アッセイ混合物にテスト化合物を接触させ、テスト化合物がｈＳＴＲＡ６と相互作用する能力を決定することが含まれるが、テスト化合物がｈＳＴＲＡ６と相互作用する能力を決定することには、ｈＳＴＲＡ６がｈＳＴＲＡ６標的分子と優先的に結合し、又はその活性を調節する能力を決定することを含む。
（ｃ）無細胞アッセイ
本発明の無細胞アッセイはｈＳＴＲＡ６の可溶性又は膜結合形態のどちらを利用してもよい。膜結合形態を含む無細胞アッセイの場合、ｈＳＴＲＡ６を溶液中に保つために可溶化剤を要する。そのような可溶化剤の例には、ｎ−オクチルグルコシド、ｎ−ドデシルグルコシド、ｎ−ドデシルマルトシド、オクタノイル−Ｎ−メチルグルカミド、デカノイル−Ｎ−メチルグルカミド、ＴＲＩＴＯＮ（登録商標）Ｘ−１００及びＴＲＩＴＯＮ（登録商標）シリーズから選択されるその他のもの、ＴＨＥＳＩＴ（登録商標）、イソトリデシポリ（エチレングリコールエーテル）ｎ、Ｎ−ドデシル−Ｎ，Ｎ−ジメチル−３−アンモニオ−１−プロパンスルフォン酸、３−（３−コラミドプロピル）ジメチルアンミニオール−１−プロパンスルフォン酸（ＣＨＡＰＳ）、又は３−（３−コラミドプロピル）ジメティルアンミニオール−２−ヒドロキシ−１−プロパンスルフォン酸（ＣＨＡＰＳＯ）が含まれる。
【００５７】
（ｄ）スクリーニングを促進するためにの標的分子の固定化
アッセイ方法の２以上の実施態様において、ｈＳＴＲＡ６又はそのパートナー分子の何れかを固定化することは、タンパク質の一方又は両方の複合化されていない形態から複合化されたものの分離を促進し、同時にハイスループットアッセイを適応化させる。ｈＳＴＲＡ６へのテスト化合物の結合、又は候補化合物の存在下及び非存在下におけるｈＳＴＲＡ６の標的分子との相互作用は、反応物を収納するのに適した、マイクロタイタープレート、試験管、及び微小遠心管などの何れかの容器中で達成される。タンパク質の一方又は両方がマトリックスに結合することを許容するドメインを付加するように、融合タンパク質が提供され得る。例えば、ＧＳＴ−ｈＳＴＲＡ６融合タンパク質又はＧＳＴ−標的融合タンパク質は、後にテスト化合物又はテスト化合物及び非吸着標的タンパク質又はｈＳＴＲＡ６の何れかと混合されるグルタチオンセファロースビーズ（ＳＩＧＭＡ Ｃｈｅｍｉｃａｌ， Ｓｔ． Ｌｏｕｉｓ， ＭＯ）又はグルタチオン誘導体化マイクロタイタープレートに吸着され、その混合物は複合体形成に至る条件下（例えば、塩及びｐＨに関して生理学的な条件にて）でインキュベートされる。インキュベーションの後、ビーズ又はマイクロタイタープレートウェルは、いずれの非結合成分をも除去するために洗浄され、ビーズの場合はマトリックスが固定化され、複合体は例えば上述のように直接又は間接的に決定される。或いは、複合体はマトリックスから分離され、ｈＳＴＲＡ６の結合又は活性レベルが標準的な技術を用いて決定される。
また、マトリックス上にタンパク質を固定化するためのその他の技術がスクリーニングアッセイにおいて用いられ得る。ｈＳＴＲＡ６又はその標的分子のどちらかをビオチン−アビジン又はビオチン−ストレプタビジンシステムを用いて固定化させることができる。ビオチン化は、ビオチン−ＮＨＳ（Ｎ−ヒドロキシ−スクシンイミド；ＰＩＥＲＣＥ Ｃｈｅｍｉｃａｌｓ， Ｒｏｃｋｆｏｒｄ， ＩＬ）などの多くの試薬によって達成され、ストレプタビジンでコートした９６ウェルプレート（ＰＩＥＲＣＥ Ｃｈｅｍｉｃａｌ）のウェル中に固定化され得る。或いは、ｈＳＴＲＡ６又は標的分子に反応性のＡｂｓが、標的分子とｈＳＴＲＡ６との結合を妨げることなく、プレートウェルに誘導体化され、非結合標的又はｈＳＴＲＡ６が抗体結合によってトラップされる。そのような複合体を検出する方法は、ＧＳＴ−固定化複合体に関して記載されているものに加えて、ｈＳＴＲＡ６又はその標的と反応性のＡｂｓを用いる複合体の免疫的検出、並びにｈＳＴＲＡ６又は標的分子に関連する酵素的活性の検出に基づく酵素共役アッセイを含む。
【００５８】
（ｅ）調節因子を同定するためのスクリーニング
ｈＳＴＲＡ６発現の調節因子は、細胞を候補化合物と接触する方法において同定することができ、細胞中でのｈＳＴＲＡ６ ｍＲＮＡ又はタンパク質の発現が決定される。候補化合物の存在下におけるｈＳＴＲＡ６ ｍＲＮＡの発現レベルが、候補化合物の非存在下におけるｈＳＴＲＡ６ ｍＲＮＡ又はタンパク質レベルと比較される。例えば、ｈＳＴＲＡ６ ｍＲＮＡ又はタンパク質の発現レベルが候補化合物の存在下において、その非存在下よりも多い（即ち、統計学的に有意に）場合、候補化合物は、ｈＳＴＲＡ６ ｍＲＮＡ又はタンパク質発現の刺激因子として同定される。或いは、ｈＳＴＲＡ６ ｍＲＮＡ又はタンパク質の発現が候補化合物の存在下において、その非存在下よりも少ない（統計学的に有意に）場合、候補化合物は、ｈＳＴＲＡ６ ｍＲＮＡ又タンパク質発現の阻害因子として同定される。ｈＳＴＲＡ６ ｍＲＮＡ又はタンパク質発現のレベルは、ｈＳＴＲＡ６ ｍＲＮＡ又はタンパク質を検出するために記述された方法によって決定することができる。
（ｉ）ハイブリッドアッセイ
本発明のさらに他の態様において、ｈＳＴＲＡ６は、ｈＳＴＲＡ６と結合もしくは相互作用し、ｈＳＴＲＡ６活性を修飾する他のタンパク質を同定するために２ハイブリッド又は３ハイブリット（Ｂａｒｔｅｌ等， １９９３；Ｂｒｅｎｔ等， 国際公開第９４／１０３００， １９９４；Ｉｗａｂｕｃｈｉ等， １９９３；Ｍａｄｕｒａ等， １９９３；Ｓａｉｆｅｒ等， 米国特許第５，２８３，３１７号， １９９４；Ｚｅｒｖｏｓ等， １９９３）における「おとり」として使用され得る。また、そのようなｈＳＴＲＡ６−ｂｐｓは、例えば、ｈＳＴＲＡ６経路の上流又は下流エレメントとしてｈＳＴＲＡ６によるシグナル伝達にも関与する。
２ハイブリッドシステムはほとんどの転写因子のモジュラー（ｍｏｄｕｌａｒ）的性質に基づいており、分離可能なＤＮＡ結合及び活性化ドメインから成る。簡単には、該アッセイは二つの異なるＤＮＡコンストラクトを利用する。一方のコンストラクトにおいて、ｈＳＴＲＡ６をコードする遺伝子は、既知の転写因子（例えば、ＧＡＬ４）のＤＮＡ結合ドメインをコードする遺伝子と融合される。他方のコンストラクトは、未同定タンパク質（「捕獲」又は「試料」）をコードするＤＮＡ配列のライブラリーに由来するＤＮＡ配列が、既知の転写因子の活性化ドメインと融合される。「おとり」及び「捕獲」タンパク質がインヴィボにおいて相互作用することができると、ｈＳＴＲＡ６依存的複合体を形成し、転写因子のＤＮＡ結合及び活性化ドメインが極めて近傍に位置せられることになる。この接近により転写因子に反応性の転写制御部位と作用可能に結合されたレポーター遺伝子（例えば、ＬａｃＺ）の転写が許容される。レポーター遺伝子の発現が検出され、機能的な転写因子を含む細胞コロニーが単離され、ｈＳＴＲＡ６相互作用タンパク質をコードするクローン化遺伝子を得るために使用することができる。
【００５９】
さらに、本発明は上述のスクリーニングアッセイにより同定された新規薬剤及びここで上述した治療についてのその使用に関する。
２．検出アッセイ
ここで同定されるｈＳＴＲＡ６ ｃＤＮＡ配列の部分又は断片（及び完全なｈＳＴＲＡ６遺伝子配列）は、それら自体有用である。非限定的な例として、これらの配列は：（１）極めて少ない生物学的試料から個人を同定したり（組織タイピング）；及び（２）生物学的試料の法医学的な同定における手がかりとするために使用することができる。
（ａ）組織タイピング
本発明のｈＳＴＲＡ６配列は、微少な生物学的試料から個人を同定するために使用され得る。この技術において、個人のゲノムＤＮＡは一又は複数の制限酵素によって消化され、ユニークなバンドを生じさせるようにサザンブロット上でプローブ化される。本発明の配列はさらに「制限酵素断片長多型」（ＲＦＬＰ；（Ｓｍｕｌｓｏｎ等， 米国特許第５，２７２，０５７号， １９９３））に対するＤＮＡマーカーとして有用である。
さらに、ｈＳＴＲＡ６配列は、個人のゲノムの標的部分の実際の塩基ごとのＤＮＡ配列を決定するために用いることができる。ｈＳＴＲＡ６配列は、個人のゲノム由来の対応配列を増幅し、その後増幅された断片の配列を決定するために使用できる配列の５’末端及び３’末端由来の２つのＰＣＲプライマーを調製するために使用される。
各個人は、対立遺伝子の相違によるＤＮＡ配列のユニークなセットを持つであろうから、個人由来のＤＮＡ配列に対応するパネルは、ユニークな個人の同定を提供することができる。本発明の配列は、そのように同定された個人及び組織由来の配列を得るために使用することができる。本発明のｈＳＴＲＡ６配列は個人のゲノムの部分を独自に表現する。対立遺伝子の変異は、これらの配列のコード化領域中にある程度生じ、かなりの程度が非コード化領域に生じる。個々のヒトの間における対立遺伝子の変異は、約５００塩基ごとの頻度で生じる。対立遺伝子変異の多くは、一ヌクレオチド多型（ＳＮＰｓ）によるもので、ＲＦＬＰｓが含まれる。
ここで記載される各配列は、ある程度、個人に由来するＤＮＡが同定の目的で比較され得る標準として使用される。非常に多くの数の多型が非コード化領域に生じているため、個人を区別するのに非常に少ない配列しか必要とされない。非コード化配列は、各々が１００ベースの非コード化増幅配列を生み出す１０から１，０００のプライマーのパネルによって個人をポジティブに同定することができる。配列番号：１又は３中に記載されるような予想されるコード化配列が使用される場合、ポジティブな個人の同定に関する、より適切な数のプライマーは５００−２，０００であろう。
【００６０】
予測的医薬
また、本発明は、診断上のアッセイ、予後のアッセイ、薬理ゲノム学、及び臨床試験をモニターすることが、予防的に個人を治療する予後の（予測的）目的のために使用される予測的医薬の分野にも関する。従って、本発明の一態様は、個人が疾病又は疾患に冒されていないかどうか、又は疾患を進行させる危険にあるかどうか、肥満を含む異常なｈＳＴＲＡ６の発現又は活性に関係しているかどうかを決定する生物学的試料（例えば、血液、血清、細胞、組織）との関連において、ｈＳＴＲＡ６及び／又は核酸の発現並びにｈＳＴＲＡ６の活性を決定するための診断上のアッセイに関する。また、本発明は個人がｈＳＴＲＡ６、核酸の発現又は活性に関連する疾患を進行させる危険に曝されているかどうかを決定するための予後の（予測的）アッセイにも関する。例えば、ｈＳＴＲＡ６の突然変異は生物学的試料においてアッセイされる。このようなアッセイは、ｈＳＴＲＡ６、核酸発現、又は生物学的活性により特徴付けられ又は関連した疾患の発症よりも前に、予防的に個人を治療する診断上又は予測的目的のために使用され得る。
本発明の他の態様は、そのような個人にとって適切な治療上又は予防的薬剤を選択するため（ここでは「薬理ゲノム学」と称される）、個人におけるｈＳＴＲＡ６活性、又は核酸の発現を決定するための方法を提供する。薬理ゲノム学は、個人の遺伝子型（例えば、特定の薬剤に対して応答する個人の能力を決定するための個人の遺伝子型）に基づいた個人の治療的又は予防的処置のための様式（例えば、薬物、食物）の選択を可能にする。本発明のその他の態様は、臨床試験におけるｈＳＴＲＡ６の発現又は活性における様式（例えば、薬物、食物）の影響をモニターすることに関する。
【００６１】
１．診断上のアッセイ
生物学的サンプル中のｈＳＴＲＡ６の存在又は非存在を検出するための例示的な方法は、患者から生物学的サンプルを得ること、サンプル中でｈＳＴＲＡ６の存在を確認するために生物学的サンプルをｈＳＴＲＡ６又はｈＳＴＲＡ６核酸（例えば、ｍＲＮＡ、ゲノムＤＮＡ）を検出することができる化合物又は薬剤と接触させることに関与する。ｈＳＴＲＡ６ ｍＲＮＡ又はゲノムＤＮＡを検出するための薬剤は、ｈＳＴＲＡ６ ｍＲＮＡ又はゲノムＤＮＡをハイブリダイズすることができる標識化された核酸プローブである。核酸プローブは、例えば、配列番号：１、３、５又は７の核酸などの完全長ｈＳＴＲＡ６核酸、又は少なくとも長さが１５， ３０， ５０， １００， ２５０又は５００ヌクレオチドであって、緊縮性の条件下でｈＳＴＲＡ６ ｍＲＮＡ又はゲノムＤＮＡと特異的にハイブリダイズするのに十分なオリゴヌクレオチドなどのそれらの部分であり得る。
ｈＳＴＲＡ６ポリペプチドを検出するための薬剤は、ｈＳＴＲＡ６と結合することが可能な抗体であり、好ましくは検出可能な標識を持つ抗体である。Ａｂｓはポリクローナル抗体であり得、より好ましくはモノクローナル抗体である。無傷の抗体、又は断片（例えば、Ｆａｂ又はＦ（ａｂ’）２）を用いることができる。標識化プローブ又は抗体は、直接標識化される他の試薬との反応性によるプローブ又は抗体の間接的な検出と同様に、検出可能な基質と共役される。間接的な標識の例には、蛍光標識した二次抗体を用いる一次抗体の検出、及び蛍光標識したストレプタビジンで検出することができるようなビオチンによるＤＮＡプローブの末端ラベルが含まれる。「生物学的サンプル」という用語には、患者から単離された組織、細胞及び生物学的体液、並びに患者中に存在する組織、細胞及び体液が含まれる。本発明の検出方法は、インヴィトロ並びにインヴィボでの生物学的サンプル中のｈＳＴＲＡ６ ｍＲＮＡ、タンパク質、又はゲノムＤＮＡを検出するために用いられ得る。例えば、インヴィトロにおけるｈＳＴＲＡ６ ｍＲＮＡの検出のための技術には、ノーザンハイブリダイゼーション及びインサイツハイブリダイゼーションが含まれる。ｈＳＴＲＡ６ポリペプチドの検出のためのインヴィトロでの技術には、酵素結合免疫吸着検定法（ＥＬＩＳＡｓ）、ウェスタンブロット法、免疫沈降法、及び免疫蛍光法が含まれる。ｈＳＴＲＡ６ゲノムＤＮＡの検出のためのインヴィトロでの技術には、サザンハイブリダイゼーション法及びインサイツハイブリダイゼーション蛍光法（ＦＩＳＨ）が含まれる。さらに、ｈＳＴＲＡ６を検出するためのインヴィボでの技術には、患者へ標識化された抗ｈＳＴＲＡ６抗体を導入することが含まれる。例えば、抗体は、患者中における存在及び局在が標準的な画像化技術で検出することができる放射活性マーカーで標識化することができる。
一実施態様において、患者由来の生物学的サンプルには、タンパク質分子、及び／又はｍＲＮＡ分子、及び／又はゲノムＤＮＡ分子が含まれる。好ましい生物学的サンプルは血液である。
他の実施態様において、さらにある方法が、コントロールを提供するために患者由来の生物学的サンプルを得ること、ｈＳＴＲＡ６、ｍＲＮＡ、又はゲノムＤＮＡを検出するために該サンプルを化合物又は薬剤と接触させること、及びテストサンプル中のｈＳＴＲＡ６、ｍＲＮＡ又はゲノムＤＮＡの存在と、コントロール中のｈＳＴＲＡ６、ｍＲＮＡ又はゲノムＤＮＡの存在を比較することに関与する。
また、本発明は生物学的サンプル中のｈＳＴＲＡ６を検出するためのキットも包含する。例えば、キットには：サンプル中のｈＳＴＲＡ６又はｈＳＴＲＡ６ ｍＲＮＡを検出することができる標識化化合物又は薬剤；サンプル中のｈＳＴＲＡ６の量を決定するための試薬及び／又は装置；及びサンプル中のｈＳＴＲＡ６の量を標準と比較するための試薬及び／又は装置が含まれる。化合物又は薬剤は適切な容器中に包装される。キットはさらにｈＳＴＲＡ６又は核酸を検出するためにキットを使用するための使用説明書を含み得る。
【００６２】
２．予後のアッセイ
ここで記載された診断上の方法は、さらに、異常なｈＳＴＲＡ６発現又は活性に関連した疾病又は疾患の進行の危険性を持つ又は危険状態にある患者を同定するために利用され得る。例えば、ここで記載されたアッセイは、ｈＳＴＲＡ６、核酸発現又は活性に関連した疾病又は疾患の進行の危険性を持つ又は危険状態にある患者を同定するために使用され得る。或いは、予後のアッセイは疾病又は疾患の進行に関する危険性を持ち又は危険状態にある患者を同定するするために使用され得る。本発明は、異常なｈＳＴＲＡ６発現又は活性と関連する疾病又は疾患であって、テストサンプルが患者から得られ、ｈＳＴＲＡ６又は核酸（例えば、ｍＲＮＡ、ゲノムＤＮＡ）が検出される疾病又は疾患を同定する方法を提供する。テストサンプルは患者由来の生物学的サンプルである。例えば、テストサンプルは生物学的体液（例えば、血清）、細胞サンプル、又は組織であり得る。
予後のアッセイは、患者が異常なｈＳＴＲＡ６発現又は活性と関連する疾病又は疾患を治療するための様式（例えば、アゴニスト、アンタゴニスト、ペプチドミメチックス、タンパク質、ペプチド、核酸、小分子、食物など）を投与し得るかどうか決定するために使用することができる。そのような方法は、患者が疾患に対する薬剤で有効に治療され得るかどうか決定するために使用され得る。本発明は、テストサンプルが得られ、ｈＳＴＲＡ６又は核酸が検出される患者が異常なｈＳＴＲＡ６発現又は活性と関連した疾患のための薬剤によって効果的に治療され得るかどかを決定するための方法（例えば、ｈＳＴＲＡ６又は核酸の存在が、異常なｈＳＴＲＡ６発現又は活性と関連した疾患を治療するための薬剤を投与し得る患者に対する診断）を提供する。
また、本発明の方法は、遺伝的な損傷を持つ患者が疾患に対する危険性があるかどうか決定するためにｈＳＴＲＡ６における遺伝的な損傷を検出するために用いられ得る。患者由来のサンプル中において、変更位置におけるｈＳＴＲＡ６ポリペプチドをコードする遺伝子の完全性に影響を与えることにより特徴付けられる遺伝的損傷、又はｈＳＴＲＡ６の異常発現の存在又は非存在を検出することが含まれる。そのような遺伝的損傷は、：（１）ｈＳＴＲＡ６由来の一又は複数の核酸の欠損；（２）一又は複数の核酸のｈＳＴＲＡ６への付加；（３）ｈＳＴＲＡ６中での一又は複数のヌクレオチドの置換；（４）ｈＳＴＲＡ６遺伝子の染色体再構成；（５）ｈＳＴＲＡ６ ｍＲＮＡ転写産物のレベルの変更、（６）ゲノムＤＮＡのメチル化の変化などのｈＳＴＲＡ６の異常な修飾、（７）ｈＳＴＲＡ６ ｍＲＮＡ転写産物の非野生型スプライシングパターンの存在、（８）ｈＳＴＲＡ６の非野生型タイプのレベル、（９）ｈＳＴＲＡ６の対立遺伝子座の欠失、及び／又は（１０）ｈＳＴＲＡ６ポリペプチドの不適切な翻訳後修飾、を確認することによって検出され得る。ｈＳＴＲＡ６における損傷を検出するために使用され得る多くの既知のアッセイ技術が存在する。有核細胞を含む何れの生物学的サンプルを使用してもよい。
【００６３】
ある実施態様において、損傷の検出は、アンカーＰＣＲ又はｃＤＮＡ末端の迅速な増幅（ＲＡＣＥ）ＰＣＲなどのポリメラーゼ鎖反応（ＰＣＲ）（例えば、（Ｍｕｌｌｉｓ，米国特許第４，６８３，２０２号， １９８７；Ｍｕｌｌｉｓ等， 米国特許第４，６８３，１９５号， １９８７）において、或いは、ライゲーション鎖反応（ＬＣＲ）（例えば、（Ｌａｎｄｅｇｒｅｎ等， １９８８；Ｎａｋａｚａｗａ等， １９９４）においてプローブ／プライマーを用いてもよく、後者は特にｈＳＴＲＡ６遺伝子群における点突然変異を検出するために有用である（Ａｂｒａｖａｙａ等， １９９５）。この方法には患者からサンプルを収集すること、サンプルから核酸を単離すること、ｈＳＴＲＡ６（存在するならば）のハイブリダイゼーション及び増幅が生じるような条件下で、ｈＳＴＲＡ６と特異的にハイブリダイズ化する一又は複数のプライマーと核酸とを接触させること、及び増幅産物の存在又は非存在を検出すること、又は増幅産物のサイズを検出すること、及び長さをコントロールサンプルと比較することが含まれる。ＰＣＲ及び／又はＬＣＲは、ここで記載された突然変異を検出するために使用される何れかの技術と共に、予備的な増幅ステップとして使用するのが望ましいと予想される。
二者択一的増幅法には、：自己持続性配列複製（Ｇｕａｔｅｌｌｉ等， １９９０）、転写増幅系（Ｋｗｏｈ等， １９８９）；Ｑβ複製（Ｌｉｚａｒｄｉ等， １９８８）、又はその他何れかの核酸増幅方法が含まれ、その後、当業者にとって周知の技術を用いて増幅された分子を検出する。これらの検出計画は特に低い存在量での核酸の存在の検出にとって有用である。
サンプルのｈＳＴＲＡ６中の変異は、制限酵素の切断パターンの変化によって同定することができる。例えば、サンプル及びコントロールＤＮＡが単離され、増幅され（付加的に）、一又は複数の制限エンドヌクレアーゼによって切断され、断片の長さがゲル電気泳動によって決定され、比較される。サンプルとコントロールＤＮＡとの断片の長さにおける違いは、サンプルＤＮＡ中の変異を示す。さらに、配列特異的なリボザイムの配列の使用は、リボザイムの切断部位の発生又は喪失によって特異的突然変異の存在に関してスコアー化するために用いるいことができる。
サンプル及びコントロール核酸、例えばＤＮＡ又はＲＮＡを数百又は数千ものオリゴヌクレオチドプローブを含む高密度アレイに対してハイブリダイズすることにより、ｈＳＴＲＡ６中の遺伝的変異を同定することができる（Ｃｒｏｎｉｎ等， １９９６；Ｋｏｚａｌ等， １９９６）。例えば、ｈＳＴＲＡ６中の遺伝的変異は、Ｃｒｏｎｉｎ，等， 上掲中に記載されるように、光産生ＤＮＡを含む２次元アレイ中で同定することができる。簡単には、プローブの第一のハイブリダイゼーションアレイは、配列間の塩基の変化を同定するため、連続的にオーバーラップするプローブの直線的なアレイを作製することにより、サンプル及びコントロール中のＤＮＡの長いストレッチを通してスキャンするために使用することができる。このステップは、点突然変異の同定を可能ならしめる。この次に、検出されるべき全ての変異又は突然変異と相補的な、より小さく、特定化されたプローブアレイを用いることによって第二のハイブリダイゼーションアレイが行われる。各突然変異アレイは、一方は野生型遺伝子に相補的で、他方は突然変異遺伝子に相補的である、対応するプローブセットによって構成される。
さらに他の実施態様において、当該技術分野において知られている種々の配列決定反応の何れかが、ｈＳＴＲＡ６配列を直接決定し、サンプルｈＳＴＲＡ６の配列を対応する野生型（コントロール）配列と比較することによって突然変異を決定するために使用することができる。配列決定反応の例には、古典的な技術に基づくものが含まれる（Ｍａｘａｍ及びＧｉｌｂｅｒｔ， １９７７；Ｓａｎｇｅｒ等， １９７７）。種々の自動配列決定方法の何れかが、マススペクトロメーターによる配列決定（Ｃｏｈｅｎ等， １９９６；Ｇｒｉｆｆｉｎ及びＧｒｉｆｆｉｎ， １９９３；Ｋｏｓｔｅｒ， 国際公開第９４／１６１０１号， １９９４）を含む予後的なアッセイ（Ｎａｅｖｅ等， １９９５）を実施する場合に使用することができる。
【００６４】
ｈＳＴＲＡ６中の突然変異を検出するための他の方法には、切断剤からの保護がＲＮＡ／ＲＮＡ又はＲＮＡ／ＤＮＡのヘテロ二重鎖におけるミスマッチの塩基を検出するために用いられるような方法が含まれる（Ｍｙｅｒｓ等， １９８５）。一般に、「ミスマッチ切断」の技術は、野生型ｈＳＴＲＡ６を含む（標識化）ＲＮＡ又はＤＮＡをサンプル由来の潜在的に変異のあるＲＮＡ又はＤＮＡとハイブリダイズ化することによって形成されるヘテロ二重鎖を提供することにより開始する。二本鎖化二重鎖は、コントロールとサンプル鎖の間の塩基対ミスマッチから生じるような二重鎖の一本鎖領域を切断する薬剤によって処理される。例えば、ＲＮＡ／ＤＮＡ二重鎖は、ＲＮａｓｅで処理することができ、ＤＮＡ／ＤＮＡハイブリッドはＳ１ヌクレアーゼによってミスマッチ領域を酵素的に切断するために処理することができる。他の実施態様では、ＤＮＡ／ＤＮＡ又はＲＮＡ／ＤＮＡのいずれかの二重鎖が、ミスマッチ領域を切断するためにヒドロキシルアミン、四酸化オスミウム及びピペリジンで処理することができる。切断された物は、その後、突然変異部位を決定するために変性ポリアクリルアミド上でサイズにより分離される（Ｇｒｏｍｐｅ等， １９８９；Ｓａｌｅｅｂａ及びＣｏｔｔｏｎ， １９９３）。コントロールＤＮＡ又はＲＮＡは検出のための標識することができる。
ミスマッチ切断反応は、細胞サンプル由来のｈＳＴＲＡ６ ｃＤＮＡ中で点突然変異を検出し、マッピングするために確定された系において二本鎖ＤＮＡ中にミスマッチ塩基対を認識する（ＤＮＡミスマッチ修復）一又は複数のタンパク質を用いてもよい。例えば、大腸菌のｍｕｔＹ酵素はＧ／ＡミスマッチにおいてＡを切断し、ＨｅＬａ細胞由来のチミジンＤＮＡグリコシル酵素はＧ／ＴミスマッチにおいてＴを切断する（Ｈｓｕ等， １９９４）。典型的な実施態様に従うと、野生型ｈＳＴＲＡ６配列に基づくプローブは、テスト細胞由来のｃＤＮＡ又は他のＤＮＡ産物とハイブリダイズ化する。二重鎖はＤＮＡミスマッチ修復酵素で処理され、切断産物は、もしあれば、電気泳動法又は類似の方法で検出することができる（Ｍｏｄｒｉｃｈ等， 米国特許第５，４５９，０３９号， １９９５）。
電気泳動上の移動度の変化は、ｈＳＴＲＡ６における突然変異を同定するために用いることができる。例えば、一本鎖構造多型（ＳＳＣＰ）は突然変異と野生型核酸との電気泳動上の移動度における差を検出するために用いてもよい（Ｃｏｔｔｏｎ， １９９３；Ｈａｙａｓｈｉ， １９９２；Ｏｒｉｔａ等， １９８９）。サンプル及びｈＳＴＲＡ６核酸の一本鎖ＤＮＡ断片は変性させた後再構成させる。一本鎖核酸変異体の二次構造は配列より変動する；電気泳動度において生じる変化により一塩基の変化でさえ検出可能である。ＤＮＡ断片は標識プローブにより標識され又は検出されてもよい。アッセイの感度はＲＮＡ（ＤＮＡよりはむしろ）を用いることにより増強され、この場合二次構造が配列変化に対してより感受性になる。対象の方法は、電気泳動上の移動度における変化に基づいて二本鎖のヘテロ二重鎖分子を分離するためにヘテロ二重鎖分析を用いることができる（Ｋｅｅｎ等， １９９１）。
【００６５】
突然変異又は野生型断片の移動度は、変性濃度勾配ゲル電気泳動を用いてアッセイすることができる（ＤＧＧＥ；（Ｍｙｅｒｓ等， １９８５））。ＤＧＧＥにおいて、ＤＮＡは完全な変性を防ぐために、例えば約４０ｂｐの高融点ＧＣリッチＤＮＡのＧＣクランプをＰＣＲによって付加することにより修飾される。また、コントロールとサンプルＤＮＡの移動度における差を同定するために変性濃度勾配の代わりに温度勾配を用いてもよい（Ｒｏｓｓｉｔｅｒ及びＣａｓｋｅｙ， １９９０）。
点突然変異を検出するための他の技術の例には、限定はしないが、選択的オリゴヌクレオチドハイブリダイゼーション、選択的増幅法、又は選択的プライマー伸長法が含まれる。例えば、オリゴヌクレオチドプライマーは、既知の突然変異が中心部分に引き起こされた後、完全にマッチが確認される場合にのみハイブリダイゼーションが可能となる条件下で標的ＤＮＡとハイブリダイズ化されるように調製される（Ｓａｉｋｉ等， １９８６；Ｓａｉｋｉ等， １９８９）。このような対立遺伝子特異的なオリゴヌクレオチドはオリゴヌクレオチドがハイブリダイズメンブレンに付着されると、ＰＣＲ増幅標的又は多くの異なる突然変異に対してハイブリダイズし、標識された標的ＤＮＡとハイブリダイズ化される。
或いは、選択的ＰＣＲ増幅に依存する対立遺伝子特異的な増幅技術が用いられてもよい。特異的増幅のためのオリゴヌクレオチドプライマーは、分子の中心部分に（増幅が差次的ハイブリダイゼーションに依存するように（Ｇｉｂｂｓ等， １９８９））、又は適切な条件下においてミスマッチを防ぐか又はポリメラーゼの伸長を減少させるように一方のプライマーの３’末端に（Ｐｒｏｓｓｅｒ， １９９３）目的の突然変異を保持する。変異領域における新規制限酵素部位が、切断に基づく検出を引き起こすために導入されてもよい（Ｇａｓｐａｒｉｎｉ等， １９９２）。また、特定の増幅は増幅に関してＴａｑリガーゼを用いて行ってもよい（Ｂａｒａｎｙ， １９９１）。このような場合において、ライゲーションは５’配列の３’端で完全にマッチする場合にのみ生じ、増幅をスコアー化することにより既知の突然変異の検出を可能にする。
上述の方法は、例えば、ｈＳＴＲＡ６に関する疾病又は病気の症状又は家族経歴を示す患者を診断するための臨床的な設定において用いられる少なくとも１つのプローブ（核酸又は抗体）を含むプレパックのキットを使用することにより実施してもよい。
さらに、ｈＳＴＲＡ６が発現されている任意の細胞型又は組織がここで記述された予後アッセイにおいて利用されてもよい。
【００６６】
３．薬理ゲノム学
スクリーニングアッセイによって同定されるような、ｈＳＴＲＡ６活性又は発現に対して刺激的又は阻害的な影響を及ぼす薬剤又は修飾因子を、予防的又は治療的に処置されるべき個人に対して投与することができる。このような治療に関して、薬理ゲノム学（即ち、患者の遺伝子型と、食物、化合物又は薬剤などの外来の様式に対する患者の反応との関連性に関する研究）が検討され得る。治療物上の代謝的相違は、薬理学的に活性な薬剤の投与量と血中濃度との関係を変更させることによって、重篤な毒性又は治療上の過誤を導く可能性がある。従って、個人の薬理ゲノム学は、個人の遺伝子型の考慮に基づき予防的又は治療的処置に対して有効な薬剤（例えば、薬物）の選択を可能ならしめる。さらに、薬理ゲノム学は適切な用量及び治療計画を決定するために使用することができる。従って、個人におけるｈＳＴＲＡ６の活性、ｈＳＴＲＡ６核酸の発現、又はｈＳＴＲＡ６の突然変異群は、治療上又は予防上の処置に対して適切な薬剤の選択を導くために決定され得る。
薬理ゲノム学は、病気に罹った人における様式の変化した性質及び異常な作用が原因である様式に対する反応における臨床的に有意な遺伝性の変異を扱う（Ｅｉｃｈｅｌｂａｕｍ及びＥｖｅｒｔ， １９９６；Ｌｉｎｄｅｒ等， １９８７）。一般に、２つの薬理ゲノム学的状態が区別される：（１）様式と身体との相互作用を変化させる単独の因子（変化した薬物作用）として伝達される遺伝的状態又は（２）身体が様式に対して反応する方法を変化させる単独の因子（変化した薬物代謝）として伝達される遺伝的状態。これらの薬理ゲノム学的状態は、希な欠損又は核酸多型として生じ得る。例えば、グルコース−６−リン酸脱水素酵素（Ｇ６ＰＤ）の欠損は、主な臨床上の合併症が酸化的薬物（抗マラリア性薬、サルファ剤、鎮痛剤、ニトロフラン）の摂取及び空豆の消費後の溶血である一般的な遺伝性の酵素異常症である。
例証となる実施態様として、薬物代謝酵素の活性は、薬物活性の強度及び持続時間の主な決定要因である。薬物代謝酵素（例えば、Ｎ−アセチル転移酵素２（ＮＡＴ２）及びチトクロームＰ４５０酵素ＣＹＰ２Ｄ６及びＣＹＰ２Ｃ１９）の遺伝的多型の発見により、標準的で安全な薬物用量を採用した後に過剰な薬物反応及び／又は重篤な毒性を示す患者達の現象が説明される。これらの多型は個体集団中の２つの表現型、多大な代謝型（ＥＭ）及び乏しい代謝型（ＰＭ）として発現される。ＰＭの有病率は異なる集団間で異なる。例えば、ＣＹＰ２Ｄ６遺伝子は高度に多型を示し、幾つかの突然変異がＰＭにおいて同定されており、それら全てが機能的ＣＹＰ２Ｄ６ が存在しないことを導く。 突然変異体ＣＹＰ２Ｄ６及びＣＹＰ２Ｃ１９による乏しい代謝型は、標準的な用量を摂取する場合において、過剰な薬物反応及び副作用を頻繁に経験する。代謝産物が活性な治療成分である場合、ＰＭはＣＹＰ２Ｄ６で形成される代謝産物のモルヒネによって介されるコデインの鎮痛効果に関して示されるような治療的反応はなんら示さない。他に極端な場合として、標準的な用量には反応しない、いわゆる超急速代謝型が挙げられる。最近、超急速代謝の分子的基礎がＣＹＰ２Ｄ６遺伝子の増幅に原因することが同定されている。
個体中でのｈＳＴＲＡ６の活性、ｈＳＴＲＡ６核酸、又はｈＳＴＲＡ６突然変異含有量が個人の治療的又は予防的処置に対する適切な薬剤を選択するために決定することができる。さらに、薬理ゲノム学研究は、薬物代謝酵素をコードする多型的な対立遺伝子の遺伝子型タイピングを個々の薬物反応表現型の同定に適用するために用いることができる。投薬又は薬物選択に適用する場合、この知識は有害な反応又は治療的過誤を避け、その結果、記述の典型的スクリーニングアッセイの一つにより同定される修飾因子のようなｈＳＴＲＡ６修飾因子で患者を治療する場合、治療的又は予防的効果を増強させることができる。
【００６７】
４．臨床的治験における効果のモニター
ｈＳＴＲＡ６の活性発現又は活性に対する薬剤（例えば、薬物、化合物）の影響をモニターすることは、基本的な薬物スクリーニングのみならず、臨床的治験においても適用することができる。例えば、ｈＳＴＲＡ６発現、タンパク質レベル、又は上方制御されたｈＳＴＲＡ６活性を増大させるためのスクリーニングアッセイによって決定される薬剤の効果は、減少したｈＳＴＲＡ６発現、タンパク質レベル、又は下方制御されたｈＳＴＲＡ６活性を示す患者の臨床的治験においてモニターすることができる。或いは、ｈＳＴＲＡ６発現、タンパク質レベル、又は下方制御されたｈＳＴＲＡ６活性を減少させるためのスクリーニングアッセイによって決定される薬剤の効果は、増大したｈＳＴＲＡ６発現、タンパク質レベル、又は上方制御されたｈＳＴＲＡ６活性を示す患者の臨床的治験においてモニターすることができる。このような臨床的治験において、ｈＳＴＲＡ６及び、好ましくは、例えば、他の遺伝子の発現又は活性は、特定の細胞の反応性に対する「出力」又はマーカーとして用いることができる。
例えば、様式（例えば、食物、化合物、薬物又は小分子）による治療により細胞中において調節されるｈＳＴＲＡ６を含む遺伝子が同定され得る。癌に対する薬剤の影響を研究するために、例えば、臨床的治験において、細胞が単離され、ＲＮＡが調製され、ｈＳＴＲＡ６及び該疾患に関係する他の遺伝子の発現レベルについて分析される。遺伝子の発現パターンは、ノーザンブロット分析、核ラン・オンアッセイ又はＲＴ−ＰＣＲ実験により、又はタンパク質の量を測定することにより、又はｈＳＴＲＡ６又は他の遺伝子産物の活性レベルを測定することにより定量することができる。このように、遺伝子の発現パターン自体は、薬剤に対する細胞内の生理的反応を示すマーカーとして役立ち得る。従って、この反応状態は、薬剤で個人を治療する前、及び治療中の種々の時間点において決定される可能性がある。
本発明は、（１）患者から投与前のサンプルを得る；（２）投与前のサンプル中のｈＳＴＲＡ６、ｍＲＮＡ、又はゲノムＤＮＡの発現レベルを検出する；（３）患者から一又は複数の投与後のサンプルを得る；（４）投与後のサンプル中のｈＳＴＲＡ６、ｍＲＮＡ、又はゲノムＤＮＡの発現又は活性のレベルを検出する；（５）投与前のサンプル中のｈＳＴＲＡ６、ｍＲＮＡ、又はゲノムＤＮＡと投与後のサンプル中のｈＳＴＲＡ６、ｍＲＮＡ、又はゲノムＤＮＡの発現又は活性のレベルとを比較する；及び（６）結果に応じて患者に対する薬剤の投与を変化させるステップを含む、薬剤（例えば、アゴニスト、アンタゴニスト、タンパク質、ペプチド、核酸、小分子、食物又はここで記述のスクリーニングアッセイによって同定された他の薬物候補）による患者の治療の効果をモニターするための方法を提供する。例えば、薬剤の増大した投与により、検出されているレベルよりもさらに高いレベルにまでｈＳＴＲＡ６の発現又は活性を増大させること、即ち、薬剤の効果を増大させることが望ましい。或いは、薬剤の減少した投与により、検出されているレベルよりもさらに低いレベルにまでｈＳＴＲＡ６の発現又は活性を減少させること、即ち、薬剤の効果を減少させることが望ましい。
【００６８】
５．治療方法
本発明は、異常なｈＳＴＲＡ６発現又は活性と関係した疾患の危険性があり（又は感受性であり）又は疾患を有する患者を治療するための予防的及び治療的方法を提供する。例として、速い細胞増殖期間のように、細胞の代謝要求性（及びその結果、ミトコンドリア及び小胞体における要求性）が高い疾患が含まれる。このような疾病及び疾患の例には、メラノーマ、乳癌又は大腸癌などの癌が含まれる。
６．疾病及び疾患
増大したｈＳＴＲＡ６レベル又は生物学的活性によって特徴付けられる疾病及び疾患は、活性をアンタゴナイズする（即ち、減少又は阻害する）治療物によって治療される。アンタゴニストは治療的又は予防的方法で投与される。用いられる治療物は、：（１）ｈＳＴＲＡ６ペプチド、又はその類似体、誘導体、断片又は相同体；（２）ｈＳＴＲＡ６ペプチドに対するＡｂｓ；（３）ｈＳＴＲＡ６核酸：（４）アンチセンス核酸及び相同組換えによって（Ｃａｐｅｃｃｈｉ， １９８９）内在性の機能を除去するために用いられる「機能障害性の」（即ち、コード化配列中における異種性の挿入による）核酸；又は（５）ｈＳＴＲＡ６とその結合相手との相互作用を変化させる修飾因子（即ち、阻害因子、アゴニスト及びアンタゴニストであって、本発明の更なるペプチドミメチック又はｈＳＴＲＡ６に特異的なＡｂｓを含む）などを含む。
減少したｈＳＴＲＡ６レベル又は生物学的活性によって特徴付けられる疾病及び疾患は、活性を増大させる（即ち、アゴニストとなる）治療物によって治療される。活性を上方制御する治療物は、治療的又は予防的に投与される。用いられる治療物には、ペプチド、又はその類似体、誘導体、断片又は相同体；又は生物学的利用性を増大させるアゴニストが含まれる。
増大または減少したレベルは、ペプチド及び／又はＲＮＡを定量することにより、患者の組織サンプル（例えば、組織診からの）を得てインヴィトロでＲＮＡ又はペプチドレベル、構造及び／又は発現ペプチド（又はｈＳＴＲＡ６ｍＲＮＡ）の活性をアッセイすることにより容易に検出することができる。限定はしないが、方法にはイムノアッセイ（例えば、ウェスタンブロット分析、免疫沈降後のドデシル硫酸（ＳＤＳ）ポリアクリルアミドゲル電気泳動法、免役組織化学、など）及び／又はｍＲＮＡｓの発現を検出するためのハイブリダイゼーションアッセイ（例えば、ノーザンアッセイ、ドットブロット、インサイツハイブリダイゼーション及び類似した方法）が含まれる。
【００６９】
７．予防的方法
本発明は、患者において、異常なｈＳＴＲＡ６発現又は活性と関連する疾病又は状態を、ｈＳＴＲＡ６の発現又はｈＳＴＲＡ６活性の少なくとも１つを修飾する薬剤を投与することにより防止するための方法を提供する。異常なｈＳＴＲＡ６発現又は活性によって引き起こされ又は助長される疾病に対する危険のある患者は、例えば、診断上の又は予後的なアッセイの何れか又は組み合わせによって同定することができる。予防的薬剤の投与は、疾病又は疾患が防止され、或いは、その進行が遅れるように、ｈＳＴＲＡ６異常性に特徴的な症状の出現前に行われる。ｈＳＴＲＡ６の異常性のタイプに依存して、例えば、ｈＳＴＲＡ６アゴニスト又はｈＳＴＲＡ６アンタゴニストが患者を治療するために用いられる。適切な薬剤は、スクリーニングアッセイに基づいて決定され得る。
８．治療的方法
本発明の他の態様は、治療目的のためにｈＳＴＲＡ６発現又は活性を調節するための方法に関する。本発明の調節的方法には、細胞に関連する一又は複数のｈＳＴＲＡ６活性を調節する薬剤と細胞を接触させることが含まれる。ｈＳＴＲＡ６活性を調節する薬剤は、核酸又はタンパク質、天然に生じる同起源のｈＳＴＲＡ６リガンド、ペプチド、ｈＳＴＲＡ６ペプチドミメチック、又は他の小分子であり得る。該薬剤はｈＳＴＲＡ６活性を刺激する。そのような刺激性薬剤の例には、活性ｈＳＴＲＡ６及び細胞中へ導入されるｈＳＴＲＡ６核酸分子が含まれる。他の実施態様において、該薬剤はｈＳＴＲＡ６活性を阻害する。阻害性薬剤の例には、アンチセンスｈＳＴＲＡ６核酸及び抗ｈＳＴＲＡ６Ａｂｓが含まれる。調節方法は、インヴィトロ（例えば、細胞を薬剤と共に培養することにより）で、又はインヴィボ（例えば、患者に薬剤を投与することにより）で実施することができる。このように、本発明はｈＳＴＲＡ６又は核酸分子の異常な発現又は活性によって特徴付けられる疾病又は疾患に悩まされている個人を治療するための方法を提供する。一実施態様において、該方法は、薬剤（例えば、スクリーニングアッセイによって同定された薬剤）、又はｈＳＴＲＡ６発現又は活性を調節する（例えば、上方制御又は下方制御）薬剤の組み合わせを投与することに関与する。他の実施態様において、該方法は、減少した又は異常なｈＳＴＲＡ６活性又は活性を補償するための治療としてｈＳＴＲＡ６又は核酸分子を投与することに関与する。
ｈＳＴＲＡ６活性の刺激は、ｈＳＴＲＡ６が異常に下方制御され、及び／又は増大したｈＳＴＲＡ６活性がおそらく有利な効果を有するような状況にあるのが望ましい。
【００７０】
９．治療上の生物学的影響の決定
インヴィトロ又はインヴィボでの適切なアッセイは、特異的な治療物の効果を決定し、その投与が発症した組織の治療に対して望ましいかどうかを決定するために実施され得る。
種々の特定の実施態様において、インヴィトロのアッセイは任意の治療物がその細胞タイプ（群）に所望の効果を発揮するかどうか決定するために、患者の疾患に関与するタイプ（群）の代表的な細胞を用いて行われる。治療における使用に対する様式は、ヒト患者での治療に先立ち、限定はしないが、ラット、マウス、チキン、ウシ、サル、ウサギ、その他同種類のものを含む適切な動物モデル系においてテストされる。同様に、インヴィボでのテストに対して、当該技術分野における動物モデル系の何れかがヒト患者への投与に先立ち用いられる。
１０．本発明の組成物の予防的及び治療的使用
ｈＳＴＲＡ６核酸及びタンパク質は、限定はしないが、癌を含む様々な疾患に関わる潜在的な予防的及び治療的適用において有用である。
例として、ｈＳＴＲＡ６をコードするｃＤＮＡは、遺伝子治療において有用であり、タンパク質は、それが必要とされる患者へ投与される場合に有用である。非限定的な例として、本発明の組成物は、癌に悩む患者の治療に対する効果を有するであろう。
また、ｈＳＴＲＡ６核酸又はその断片も診断上の適用において有用であって、核酸又はタンパク質の存在又は量が評価される。さらなる使用には、抗菌的分子（即ち、あるペプチドが抗菌的性質を有することが見出されている）としての使用がある。これらの物質は、治療的又は診断的方法における使用にとって、本発明の新規物質と免疫特異的に結合するＡｂｓの生産において有用である。
【００７１】
実施例
以下の例示的な実験の詳細は（Ｐｅｎｎｉｃａ等， １９９８）及び（Ｓｈｉｍｋｅｔｓ等， １９９９）中に見出すことができる。
Ｗｎｔタンパク質は細胞増殖のコントロール、接着、細胞極性、及び細胞の運命の確立などの多様な発生過程を媒介する。Ｗｎｔ−１は正常乳腺中では発現されないが、遺伝子導入マウスにおけるＷｎｔ−１の発現は多くの腫瘍を生じさせる。
Ｃ５７ＭＧマウス乳房上皮細胞及びＷｎｔ−１レトロウィルスにより安定にトランスフォームされたＣ５７ＭＧ細胞から単離されたＲＮＡの使用して、定量的発現分析（ＱＥＡ）又はジーンコーリング（ＧｅｎｅＣａｌｌｉｎｇ）が差次的に制御される遺伝子を決定するために用いられた。これらの細胞中でのＷｎｔ−１の過剰発現は、接触阻害能を失い複数層化したアレイを形成する伸長して屈折力を持つ細胞によって特徴付けられる（Ｂｒｏｗｎ等， １９８６；Ｗｏｎｇ等， １９９４）、部分的にトランスフォームされた表現型を誘導するために十分である。これらの２つの細胞株間で差次的に発現された遺伝子は、トランスフォームされた表現型の一因となっている。
１．方法
ＱＥＡ（定量的発現分析
この方法は３段階のステップを含む：制限酵素消化、アダプターライゲーション、及びＰＣＲ増幅である。ポリＡ＋ＲＮＡの二本鎖ｃＤＮＡ合成の後、ｃＤＮＡのプールは６−ｂｐ認識部位の制限酵素の異なる二組を用いて消化する。相補的なアダプターを、消化したｃＤＮＡに連結され、アダプター特異的なプライマーが２０サイクルのＰＣＲに対して用いられる。一方のアダプター特異的なプライマーはビオチン標識し、他方は蛍光色素のフルオロフォアー  フルオレサミン（ＦＡＭ）で標識する。変性一本差ＤＮＡ断片は超薄アクリルアミドゲルで電気泳動し、ＦＡＭ−標識断片はレーザーの励起によって検出される。ビオチン標識は精製のために必要であり、ＦＡＭ標識は検出のために必要であり、検出される全ての断片は両方の酵素で制限的に消化されることにより生じる。典型的には、４８−９６反応が実施され、各々、別々のエンドヌクレアーゼのペアーによる。
組織が除去され、それらから全ＲＮＡが調製された。ｃＤＮＡが調製され、得られたサンプルは９６の継続するジーンコーリングＴＭ分析により処理された。  サンプル調製及びジーンコーリングＴＭ分析は米国特許第５，８７１，６９１号及び（Ｓｈｉｍｋｅｔｓ等， １９９９）中に記載されている。
【００７２】
差次的な制御の確認
実時間定量ＰＣＲはｈＳＴＲＡ６（Ｈｅｉｄ等， １９９６）の上方制御を確認するために使用された。
２．結果
Ｗｎｔ−１誘導遺伝子を同定するために、マウス乳房上皮細胞株Ｗｎｔ−１及びＷｎｔ−４を安定に発現するＣ５７ＭＧ及びＣ５７ＭＧ細胞を用いたＱＥＡの技術が用いられた。
ＱＥＡ技術により、ＳＴＲＡ６が野生型又はＷｎｔ−４発現Ｃ５７ＭＧ細胞より、Ｗｎｔ−１発現細胞中で１１倍上方制御されたことが観察された。定量的ＰＣＲ分析（ＴａｑＭａｎ）は、上方制御を確認し、野生型又はＷｎｔ−４発現細胞に対してＷｎｔ−１発現細胞中において１０．９倍の増加を示した。
【００７３】
均等性
特定の実施態様がここに詳細に開示されてあるが、これは例証の目的のための例としてのみ行われたもので、添付の請求の範囲に関し限定を加えることが意図されるものではない。特に、請求の範囲によって定められる本発明の精神及び範囲から逸脱せずに種々の置換、変更、及び修飾が本発明に対して行われることは、発明者によって考慮されることである。核酸出発物質、対象のクローン、又はライブラリーのタイプの選択は、ここで記述された実施態様に関する知識を有する一当業者にとって通常のことがらであると考えられる。他の態様、利点、及び修飾は、本請求の範囲内のものであると考えられる。
【００７４】
参考文献
米国特許 ４１６６４５２号Ａｐｐａｒａｔｕｓ ｆｏｒ ｔｅｓｔｉｎｇ ｈｕｍａｎ ｒｅｓｐｏｎｓｅｓ ｔｏ ｓｔｉｍｕｌｉ． １９７９．
米国特許 ４４８５０４５号Ｓｙｎｔｈｅｔｉｃ ｐｈｏｓｐｈａｔｉｄｙｌ ｃｈｏｌｉｎｅｓ ｕｓｅｆｕｌ ｉｎ ｆｏｒｍｉｎｇ ｌｉｐｏｓｏｍｅｓ． １９８４．
米国特許 ４５４４５４５号Ｌｉｐｏｓｏｍｅｓ ｃｏｎｔａｉｎｉｎｇ ｍｏｄｉｆｉｅｄ ｃｈｏｌｅｓｔｅｒｏｌ ｆｏｒ ｏｒｇａｎ ｔａｒｇｅｔｉｎｇ． １９８５．
４，６７６，９８０． Ｔａｒｇｅｔ ｓｐｅｃｉｆｉｃ ｃｒｏｓｓ−ｌｉｎｋｅｄ ｈｅｔｅｒｏａｎｔｉｂｏｄｉｅｓ． １９８７．
米国特許 ４８１６５６７号 Ｒｅｃｏｍｂｉｎａｎｔ ｉｍｍｕｎｏｇｌｏｂｉｎ ｐｒｅｐａｒａｔｉｏｎｓ． １９８９．
国際公開第 ９０／１０４４８号 Ｃｏｖａｌｅｎｔ ｃｏｎｊｕｇａｔｅｓ ｏｆ ｌｉｐｉｄ ａｎｄ ｏｌｉｇｏｎｕｃｌｅｏｔｉｄｅ． １９９０．
国際公開第 ９０／１３６４１号 Ｓｔａｂｌｙ ｔｒａｎｓｆｏｒｍｅｄ ｅｕｃａｒｙｏｔｉｃ ｃｅｌｌｓ ｃｏｍｐｒｉｓｎｇ ａ ｆｏｒｅｉｇｎ ｔｒａｎｓｃｒｉｂａｂｌｅ ＤＮＡ ｕｎｄｅｒ ｔｈｅ ｃｏｎｔｒｏｌ ｏｆ ａ ｐｏｌ ＩＩＩ ｐｒｏｍｏｔｅｒ． １９９０．
ＥＰＯ ４０２２２６． Ｔｒａｎｓｆｏｒｍａｔｉｏｎ ｖｅｃｔｏｒｓ ｆｏｒ ｙｅａｓｔ Ｙａｒｒｏｗｉａ． １９９０．
国際公開第 ９１／００３６０号 Ｂｉｓｐｅｃｉｆｉｃ ｒｅａｇｅｎｔｓ ｆｏｒ ＡＩＤＳ ｔｈｅｒａｐｙ． １９９１．
国際公開第 ９１／０４７５３号 Ｃｏｎｊｕｇａｔｅｓ ｏｆ ａｎｔｉｓｅｎｓｅ ｏｌｉｇｏｎｕｃｌｅｏｔｉｄｅｓ 及び ｔｈｅｒａｐｅｕｔｉｃ ｕｓｅｓ ｔｈｅｒｅｏｆ １９９１．
米国特許 ５０１３５５６号 Ｌｉｐｏｓｏｍｅｓ ｗｉｔｈ ｅｎｈａｎｃｅｄ ｃｉｒｃｕｌａｔｉｏｎ ｔｉｍｅ． １９９１．
国際公開第 ９１／０６６２９号 Ｏｌｉｇｏｎｕｃｌｅｏｔｉｄｅ ａｎａｌｏｇｓ ｗｉｔｈ ｎｏｖｅｌ ｌｉｎｋａｇｅｓ． １９９１．
国際公開第 ９２／２０３７３号 Ｈｅｔｅｒｏｃｏｎｊｕｇａｔｅ ａｎｔｉｂｏｄｉｅｓ ｆｏｒ ｔｒｅａｔｍｅｎｔ ｏｆ ＨＩＶ ｉｎｆｅｃｔｉｏｎ． １９９２．
国際公開第 ９３／０８８２９号 Ｃｏｍｐｏｓｉｔｉｏｎｓ ｔｈａｔ ｍｅｄｉａｔｅ ｋｉｌｌｉｎｇ ｏｆ ＨＩＶ−ｉｎｆｅｃｔｅｄ ｃｅｌｌｓ． １９９３．
国際公開第 ９４／１１０２６号 Ｔｈｅｒａｐｅｕｔｉｃ ａｐｐｌｉｃａｔｉｏｎ ｏｆ ｃｈｉｍｅｒｉｃ ａｎｄ ｒａｄｉｏｌａｂｅｌｅｄ ａｎｔｉｂｏｄｉｅｓ ｔｏ ｈｕｍａｎ Ｂ ｌｙｍｐｈｏｃｙｔｅ ｒｅｓｔｒｉｃｔｅｄ ｄｉｆｆｅｒｅｎｔｉａｔｉｏｎ ａｎｔｉｇｅｎ ｆｏｒ ｔｒｅａｔｍｅｎｔ ｏｆ Ｂ ｃｅｌｌｓ． １９９４．
国際公開第 ９６／２７０１１号 Ａ ｍｅｔｈｏｄ ｆｏｒ ｍａｋｉｎｇ ｈｅｔｅｒｏｍｕｌｔｉｍｅｒｉｃ ｐｏｌｙｐｅｐｔｉｄｅｓ． １９９６．
国際公開第 ９７／３３５５１号 Ｃｏｍｐｏｓｉｔｉｏｎｓ ａｎｄ ｍｅｔｈｏｄｓ ｆｏｒ ｔｈｅ ｄｉａｇｎｏｓｉｓ， ｐｒｅｖｅｎｔｉｏｎ， ａｎｄ ｔｒｅａｔｍｅｎｔ ｏｆ ｎｅｏｐｌａｓｔｉｃ ｃｅｌｌ ｇｒｏｗｔｈ ａｎｄ ｐｒｏｌｉｆｅｒａｔｉｏｎ． １９９７．
Ａｂｒａｖａｙａ， Ｋ．， Ｊ．Ｊ． Ｃａｒｒｉｎｏ， Ｓ． Ｍｕｌｄｏｏｎ， 及び Ｈ．Ｈ． Ｌｅｅ． １９９５． Ｄｅｔｅｃｔｉｏｎ ｏｆ ｐｏｉｎｔ ｍｕｔａｔｉｏｎｓ ｗｉｔｈ ａ ｍｏｄｉｆｉｅｄ ｌｉｇａｓｅ ｃｈａｉｎ ｒｅａｃｔｉｏｎ （Ｇａｐ− ＬＣＲ）． Ｎｕｃｌｅｉｃ Ａｃｉｄｓ Ｒｅｓ． ２３：６７５−８２．
Ａｌａｍ， Ｊ．， 及び Ｊ．Ｌ． Ｃｏｏｋ． １９９０． Ｒｅｐｏｒｔｅｒ ｇｅｎｅｓ： Ａｐｐｌｉｃａｔｉｏｎ ｔｏ ｔｈｅ ｓｔｕｄｙ ｏｆ ｍａｍｍａｌｉａｎ ｇｅｎｅ ｔｒａｎｓｃｒｉｐｔｉｏｎ． Ａｎａｌ． Ｂｉｏｃｈｅｍ． １８８：２４５−２５４．
Ａｌｔｓｃｈｕｌ， Ｓ．Ｆ．， 及びＷ． Ｇｉｓｈ． １９９６． Ｌｏｃａｌ ａｌｉｇｎｍｅｎｔ ｓｔａｔｉｓｔｉｃｓ． Ｍｅｔｈｏｄｓ Ｅｎｚｙｍｏｌ． ２６６：４６０−８０
Ａｕｓｔｉｎ， Ｃ．Ｐ．， 及び Ｃ．Ｌ． Ｃｅｐｋｏ． １９９０． Ｃｅｌｌｕｌａｒ ｍｉｇｒａｔｉｏｎ ｐａｔｔｅｒｎｓ ｉｎ ｔｈｅ ｄｅｖｅｌｏｐｉｎｇ ｍｏｕｓｅ ｃｅｒｅｂｒａｌ ｃｏｒｔｅｘ． Ｄｅｖｅｌｏｐｍｅｎｔ． １１０：７１３−７３２．
Ａｕｓｕｂｅｌ， Ｆ．Ｍ．， Ｒ． Ｂｒｅｎｔ， Ｒ．Ｅ． Ｋｉｎｇｓｔｏｎ， Ｄ．Ｄ． Ｍｏｏｒｅ， 等 １９８７． Ｃｕｒｒｅｎｔ ｐｒｏｔｏｃｏｌｓ ｉｎ ｍｏｌｅｃｕｌａｒ ｂｉｏｌｏｇｙ． Ｊｏｈｎ Ｗｉｌｅｙ ＆ Ｓｏｎｓ， Ｎｅｗ Ｙｏｒｋ．
Ｂａｒａｎｙ， Ｆ． １９９１． Ｇｅｎｅｔｉｃ ｄｉｓｅａｓｅ ｄｅｔｅｃｔｉｏｎ 及び ＤＮＡ ａｍｐｌｉｆｉｃａｔｉｏｎ ｕｓｉｎｇ ｃｌｏｎｅｄ ｔｈｅｒｍｏｓｔａｂｌｅ ｌｉｇａｓｅ． Ｐｒｏｃ Ｎａｔｌ Ａｃａｄ Ｓｃｉ ＵＳＡ． ８８：１８９−９３．
Ｂａｒｔｅｌ， Ｄ．Ｐ．， 及び Ｊ．Ｗ． Ｓｚｏｓｔａｋ． １９９３． Ｉｓｏｌａｔｉｏｎ ｏｆ ｎｅｗ ｒｉｂｏｚｙｍｅｓ ｆｒｏｍ ａ ｌａｒｇｅ ｐｏｏｌ ｏｆ ｒａｎｄｏｍ ｓｅｑｕｅｎｃｅｓ ［ｓｅｅ ｃｏｍｍｅｎｔ］． Ｓｃｉｅｎｃｅ． ２６１：１４１１−８．
Ｂａｒｔｅｌ， Ｐ．， Ｃ．Ｔ． Ｃｈｉｅｎ， Ｒ． Ｓｔｅｒｎｇｌａｎｚ及びＳ． Ｆｉｅｌｄｓ． １９９３． Ｅｌｉｍｉｎａｔｉｏｎ ｏｆ ｆａｌｓｅ ｐｏｓｉｔｉｖｅｓ ｔｈａｔ ａｒｉｓｅ ｉｎ ｕｓｉｎｇ ｔｈｅ ｔｗｏ−ｈｙｂｒｉｄ ｓｙｓｔｅｍ． Ｂｉｏｔｅｃｈｎｉｑｕｅｓ． １４：９２０−４．
Ｂｅａｌ， Ｐ．Ａ．， 及び Ｐ．Ｂ． Ｄｅｒｖａｎ． １９９１． Ｓｅｃｏｎｄ ｓｔｒｕｃｔｕｒａｌ ｍｏｔｉｆ ｆｏｒ ｒｅｃｏｇｎｉｔｉｏｎ ｏｆ ＤＮＡ ｂｙ ｏｌｉｇｏｎｕｃｌｅｏｔｉｄｅ− ｄｉｒｅｃｔｅｄ ｔｒｉｐｌｅ−ｈｅｌｉｘ ｆｏｒｍａｔｉｏｎ． Ｓｃｉｅｎｃｅ． ２５１：１３６０−３．
Ｂｅｃｈｔｏｌｄ， Ｎ．， 及び Ｇ． Ｐｅｌｌｅｔｉｅｒ． １９９８． Ｉｎ ｐｌａｎｔａ Ａｇｒｏｂａｃｔｅｒｉｕｍ−ｍｅｄｉａｔｅｄ  ｔｒａｎｓｆｏｒｍａｔｉｏｎ ｏｆ ａｄｕｌｔ Ａｒａｂｉｄｏｐｓｉｓ ｔｈａｌｉａｎａ ｐｌａｎｔｓ ｂｙ ｖａｃｕｕｍ ｉｎｆｉｌｔｒａｔｉｏｎ．Ｍｅｔｈｏｄｓ Ｍｏｌ Ｂｉｏｌ． ８２：２５９−６６．
Ｂｅｃｋｅｒ， Ｄ．Ｍ．， 及び Ｌ． Ｇｕａｒｅｎｔｅ． １９９１． Ｈｉｇｈ−ｅｆｆｉｃｉｅｎｃｙ ｔｒａｎｓｆｏｒｍａｔｉｏｎ ｏｆ ｙｅａｓｔ ｂｙ  ｅｌｅｃｔｒｏｐｏｒａｔｉｏｎ． Ｍｅｔｈｏｄｓ Ｅｎｚｙｍｏｌ． １９４：１８２−１８７．
Ｂｅｇｇｓ， Ｊ．Ｄ． １９７８． Ｔｒａｎｓｆｏｒｍａｔｉｏｎ ｏｆ ｙｅａｓｔ ｂｙ ａ ｒｅｐｌｉｃａｔｉｎｇ ｈｙｂｒｉｄ ｐｌａｓｍｉｄ． Ｎａｔｕｒｅ． ２７５：１０４−１０９．
Ｂｅｒｇｅｒ， Ｊ．， Ｊ． Ｈａｕｂｅｒ， Ｒ． Ｈａｕｂｅｒ， Ｒ． Ｇｅｉｇｅｒ， 等 １９８８． Ｓｅｃｒｅｔｅｄ ｐｌａｃｅｎｔａｌ ａｌｋａｌｉｎｅ ｐｈｏｓｐｈａｔａｓｅ： Ａ ｐｏｗｅｒｆｕｌ ｎｅｗ ｑｕｎａｔｉｔａｔｉｖｅ ｉｎｄｉｃａｔｏｒ ｏｆ ｇｅｎｅ ｅｘｐｒｅｓｓｉｏｎ ｉｎ ｅｕｋａｒｙｏｔｉｃ ｃｅｌｌｓ． Ｇｅｎｅ． ６６：１−１０．
国際公開第 ９３／０４１６９号 ＧＥＮＥ ＴＡＲＧＥＴＩＮＧ ＩＮ ＡＮＩＭＡＬ ＣＥＬＬＳ ＵＳＩＮＧ ＩＳＯＧＥＮＩＣ ＤＮＡ ＣＯＮＳＴＲＵＣＴＳ． １９９３．
Ｂｏｄｉｎｅ， Ｄ．Ｍ．， Ｋ．Ｔ． ＭｃＤｏｎａｇｈ， Ｎ．Ｅ． Ｓｅｉｄｅｌ， 及び Ａ．Ｗ． Ｎｉｅｎｈｕｉｓ． １９９１． Ｓｕｒｖｉｖａｌ 及び ｒｅｔｒｏｖｉｒｕｓ ｉｎｆｅｃｔｉｏｎ ｏｆ ｍｕｒｉｎｅ ｈｅｍａｔｏｐｏｉｅｔｉｃ ｓｔｅｍ ｃｅｌｌｓ ｉｎ ｖｉｔｒｏ： ｅｆｆｅｃｔｓ ｏｆ ５−ＦＵ 及び ｍｅｔｈｏｄ ｏｆ ｉｎｆｅｃｔｉｏｎ． Ｅｘｐ． Ｈｅｍａｔｏｌ． １９：２０６−２１２．
Ｂｏｅｒｎｅｒ， Ｐ．， Ｒ． Ｌａｆｏｎｄ， Ｗ．Ｚ． Ｌｕ， Ｐ． Ｂｒａｍｓ， 等 １９９１． Ｐｒｏｄｕｃｔｉｏｎ ｏｆ ａｎｔｉｇｅｎ−ｓｐｅｃｉｆｉｃ ｈｕｍａｎ ｍｏｎｏｃｌｏｎａｌ ａｎｔｉｂｏｄｉｅｓ ｆｒｏｍ ｉｎ ｖｉｔｒｏ−ｐｒｉｍｅｄ ｈｕｍａｎ ｓｐｌｅｎｏｃｙｔｅｓ． Ｊ Ｉｍｉｎｕｎｏｌ． １４７：８６−９５．
米国特許３，７７３，９１９号 Ｐｏｌｙｌａｃｔｉｄｅ−ｄｒｕｇ ｍｉｘｔｕｒｅｓ． １９７３．
Ｂｏｕｉｌｌｅｔ， Ｐ．， Ｍ． Ｏｕｌａｄ−Ａｂｄｅｌｇｈａｎｉ， Ｓ． Ｖｉｃａｉｒｅ， Ｊ．Ｍ． Ｇａｒｎｉｅｒ，等． １９９５． Ｅｆｆｉｃｉｅｎｔ ｃｌｏｎｉｎｇ ｏｆ ｃＤＮＡｓ ｏｆ ｒｅｔｉｎｏｉｃ ａｃｉｄ−ｒｅｓｐｏｎｓｉｖｅ ｇｅｎｅｓ ｉｎ Ｐ１９ ｅｍｂｒｙｏｎａｌ ｃａｒｃｉｎｏｍａ ｃｅｌｌｓ ａｎｄ ｃｈａｒａｃｔｅｒｉｚａｔｉｏｎ ｏｆ ａ ｎｏｖｅｌ ｍｏｕｓｅ ｇｅｎｅ， Ｓｔｒａ１ （ｍｏｕｓｅ ＬＥＲＫ−２／Ｅｐｌｇ２）． Ｄｅｖ Ｂｉｏｌ． １７０：４２０−３３
Ｂｏｕｉｌｌｅｔ， Ｐ．， Ｖ． Ｓａｐｉｎ， Ｃ． Ｃｈａｚａｕｄ， Ｎ． Ｍｅｓｓａｄｄｅｑ，等 １９９７． Ｄｅｖｅｌｏｐｍｅｎｔａｌ ｅｘｐｒｅｓｓｉｏｎ ｐａｔｔｅｒｎ ｏｆ Ｓｔｒａ６， ａ ｒｅｔｉｎｏｉｃ ａｃｉｄ−ｒｅｓｐｏｎｓｉｖｅ ｇｅｎｅ ｅｎｃｏｄｉｎｇ ａ ｎｅｗ ｔｙｐｅ ｏｆ ｍｅｍｂｒａｎｅ ｐｒｏｔｅｉｎ， Ｍｅｃｈ Ｄｅｖ． ６３：１７３−８６．
Ｂｒａｄｌｅｙ． １９８７． Ｔｅｒａｔｏｃａｒｃｉｎｏｍａｓ 及び Ｅｍｂｒｙｏｎｉｃ Ｓｔｅｍ Ｃｅｌｌｓ： Ａ Ｐｒａｃｔｉｃａｌ Ａｐｐｒｏａｃｈ． Ｏｘｆｏｒｄ Ｕｎｉｖｅｒｓｉｔｙ Ｐｒｅｓｓ， Ｉｎｃ．， Ｏｘｆｏｒｄ． ２６８ ｐｐ．
Ｂｒａｄｌｅｙ， Ａ． １９９１． Ｍｏｄｉｆｙｉｎｇ ｔｈｅ ｍａｍｍａｌｉａｎ ｇｅｎｏｍｅ ｂｙ ｇｅｎｅ ｔａｒｇｅｔｉｎｇ． Ｃｕｒｒ Ｏｐｉｎ Ｂｉｏｔｅｃｈｎｏｌ． ２：８２３−９．
Ｂｒｅｎｎａｎ， Ｍ．， Ｐ．Ｆ． Ｄａｖｉｓｏｎ， 及び Ｈ． Ｐａｕｌｕｓ． １９８５． Ｐｒｅｐａｒａｔｉｏｎ ｏｆ ｂｉｓｐｅｃｉｆｉｃ ａｎｔｉｂｏｄｉｅｓ ｂｙ ｃｈｅｍｉｃａｌ ｒｅｃｏｍｂｉｎａｔｉｏｎ ｏｆ ｍｏｎｏｃｌｏｎａｌ ｉｍｍｕｎｏｇｌｏｂｕｌｉｎ Ｇ１ ｆｒａｇｍｅｎｔｓ． Ｓｃｉｅｎｃｅ． ２２９：８１−３．
国際公開第９４／１０３００号 ＩＮＴＥＲＡＣＴＩＯＮ ＴＲＡＰ ＳＹＳＴＥＭ ＦＯＲ ＩＳＯＬＡＴＩＮＧ ＮＯＶＥＬ ＰＲＯＴＥＩＮＳ． １９９４．
Ｂｒｏｗｎ， Ａ．Ｍ．， Ｒ．Ｓ． Ｗｉｌｄｉｎ， Ｔ．Ｊ． Ｐｒｅｎｄｅｒｇａｓｔ，及びＨ．Ｅ． Ｖａｒｍｕｓ． １９８６． Ａ ｒｅｔｒｏｖｉｒｕｓ ｖｅｃｔｏｒ ｅｘｐｒｅｓｓｉｎｇ ｔｈｅ ｐｕｔａｔｉｖｅ ｍａｍｍａｒｙ ｏｎｃｏｇｅｎｅ ｉｎｔ−１ ｃａｕｓｅｓ ｐａｒｔｉａｌ ｔｒａｎｓｆｏｒｍａｔｉｏｎ ｏｆ ａ ｍａｍｍａｒｙ ｅｐｉｔｈｅｌｉａｌ ｃｅｌｌ ｌｉｎｅ． Ｃｅｌｌ． ４６：１００１−９．
Ｃａｐｅｃｃｈｉ， Ｍ．Ｒ． １９８０． Ｈｉｇｈ ｅｆｆｉｃｉｅｎｃｙ ｔｒａｎｓｆｏｒｍａｔｉｏｎ ｂｙ ｄｉｒｅｃｔ ｍｉｃｒｏｉｎｊｅｃｔｉｏｎ ｏｆ  ＤＮＡ ｉｎｔｏ ｃｕｌｔｕｒｅｄ ｍａｍｍａｌｉａｎ ｃｅｌｌｓ． Ｃｅｌｌ． ２２：４７９．
Ｃａｐｅｃｃｈｉ， Ｍ．Ｒ． １９８９． Ａｌｔｅｒｉｎｇ ｔｈｅ ｇｅｎｏｍｅ ｂｙ ｈｏｍｏｌｏｇｏｕｓ ｒｅｃｏｍｂｉｎａｔｉｏｎ． Ｓｃｉｅｎｃｅ． ２４４：１２８８−９２．
Ｃａｒｅｌｌ， Ｔ．， Ｅ．Ａ． Ｗｉｎｔｎｅｒ， 及び Ｊ． Ｒｅｂｅｋ Ｊｒ． １９９４ａ． Ａ ｎｏｖｅｌ ｐｒｏｃｅｄｕｒｅ ｆｏｒ ｔｈｅ ｓｙｎｔｈｅｓｉｓ ｏｆ ｌｉｂｒａｒｉｅｓ ｃｏｎｔａｉｎｉｎｇ ｓｍａｌｌ ｏｒｇａｎｉｃ ｍｏｌｅｃｕｌｅｓ． Ａｎｇｅｗａｎｄｔｅ Ｃｈｅｍｉｅ Ｉｎｔｅｒｎａｔｉｏｎａｌ Ｅｄｉｔｉｏｎ． ３３：２０５９−２０６１．
Ｃａｒｅｌｌ， Ｔ．， Ｅ．Ａ． Ｗｉｎｔｎｅｒ， 及び Ｊ． Ｒｅｂｅｋ Ｊｒ． １９９４ｂ． Ａ ｓｏｌｕｔｉｏｎ ｐｈａｓｅ ｓｃｒｅｅｎｉｎｇ ｐｒｏｃｅｄｕｒｅ ｆｏｒ ｔｈｅ ｉｓｏｌａｔｉｏｎ ｏｆ ａｃｔｉｖｅ ｃｏｍｐｏｕｎｄｓ ｆｒｏｍ ａ ｍｏｌｅｃｕｌａｒ ｌｉｂｒａｒｙ． Ａｎｇｅｗａｎｄｔｅ Ｃｈｅｍｉｅ Ｉｎｔｅｒｎａｔｉｏｎａｌ Ｅｄｉｔｉｏｎ． ３３：２０６１−２０６４．
Ｃａｒｏｎ， Ｐ．Ｃ．， Ｗ． Ｌａｉｒｄ， Ｍ．Ｓ． Ｃｏ， Ｎ．Ｍ． Ａｖｄａｌｏｖｉｃ， 等． １９９２． Ｅｎｇｉｎｅｅｒｅｄ ｈｕｍａｎｉｚｅｄ ｄｉｍｅｒｉｃ ｆｏｒｍｓ ｏｆ ＩｇＧ ａｒｅ ｍｏｒｅ ｅｆｆｅｃｔｉｖｅ ａｎｔｉｂｏｄｉｅｓ． Ｊ Ｅｘｐ Ｍｅｄ． １７６：１１９１−５．
Ｃａｒｔｅｒ， Ｐ． １９８６． Ｓｉｔｅ−ｄｉｒｅｃｔｅｄ ｍｕｔａｇｅｎｅｓｉｓ． Ｂｉｏｃｈｅｍ Ｊ． ２３７： １−７．
Ｃａｓｅ， Ｍ．Ｅ．， Ｍ． Ｓｃｈｗｅｉｚｅｒ， Ｓ．Ｒ． Ｋｕｓｈｎｅｒ， 及び Ｎ．Ｈ． Ｇｉｌｅｓ． １９７９． Ｅｆｆｉｃｉｅｎｔ ｔｒａｎｓｆｏｒｍａｔｉｏｎ ｏｆ Ｎｅｕｒｏｓｐｏｒａ ｃｒａｓｓａ ｂｙ ｕｔｉｌｉｚｉｎｇ ｈｙｂｒｉｄ ｐｌａｓｍｉｄ ＤＮＡ． Ｐｒｏｃ Ｎａｔｌ Ａｃａｄ Ｓｃｉ ＵＳＡ． ７６：５２５９−６３．
米国特許 ５，１１６，７４２号 ＲＮＡ ｒｉｂｏｚｙｍｅ ｒｅｓｔｒｉｃｔｉｏｎ ｅｎｄｏｒｉｂｏｎｕｃｌｅａｓｅｓ 及びｍｅｔｈｏｄｓ． １９９２．
米国特許 ４，９８７，０７１号 ＲＮＡ ｒｉｂｏｚｙｍｅ ｐｏｌｙｍｅｒａｓｅｓ， ｄｅｐｈｏｓｐｈｏｒｙｌａｓｅｓ， ｒｅｓｔｒｉｃｔｉｏｎ ｅｎｄｏｒｉｂｏｎｕｃｌｅａｓｅｓ 及び ｍｅｔｈｏｄｓ． １９９１．
Ｃｅｐｋｏ， Ｃ．Ｌ．， Ｂ．Ｅ． Ｒｏｂｅｒｔｓ， 及び Ｒ．Ｅ． Ｍｕｌｌｉｇａｎ． １９８４． Ｃｏｎｓｔｒｕｃｔｉｏｎ 及び ａｐｐｌｉｃａｔｉｏｎｓ ｏｆ ａ ｈｉｇｈｌｙ ｔｒａｎｓｍｉｓｓｉｂｌｅ ｍｕｒｉｎｅ ｒｅｔｒｏｖｉｒｕｓ ｓｈｕｔｔｌｅ ｖｅｃｔｏｒ． Ｃｅｌｌ． ３７：１０５３−１０６２．
Ｃｈａｌｆｉｅ， Ｍ．， Ｙ． ｔｕ， Ｇ． Ｅｕｓｋｉｒｃｈｅｎ， Ｗ．Ｗ． Ｗａｒｄ， 等． １９９４． Ｇｒｅｅｎ ｆｌｕｏｒｅｓｃｅｎｔ ｐｒｏｔｅｉｎ ａｓ ａ ｍａｒｋｅｒ ｆｏｒ ｇｅｎｅ ｅｘｐｒｅｓｓｉｏｎ． Ｓｃｉｅｎｃｅ． ２６３：８０２−８０５．
Ｃｈａｎｅｙ， Ｗ．Ｇ．， Ｄ．Ｒ． Ｈｏｗａｒｄ， Ｊ．Ｗ． Ｐｏｌｌａｒｄ， Ｓ． Ｓａｌｌｕｓｔｉｏ， 等 １９８６． Ｈｉｇｈ−ｆｒｅｑｕｅｎｃｙ ｔｒａｎｓｆｅｃｔｉｏｎ ｏｆ ＣＨＯ ｃｅｌｌｓ ｕｓｉｎｇ Ｐｏｌｙｂｒｅｎｅ． Ｓｏｍａｔｉｃ Ｃｅｌｌ Ｍｏｌ． Ｇｅｎｅｔ． １２：２３７．
Ｃｈａｚａｕｄ， Ｃ．， Ｐ． Ｂｏｕｉｌｌｅｔ， Ｍ． Ｏｕｌａｄ−Ａｂｄｅｌｇｈａｎｉ，及びＰ． Ｄｏｌｌｅ． １９９６． Ｒｅｓｔｒｉｃｔｅｄ ｅｘｐｒｅｓｓｉｏｎ ｏｆ ａ ｎｏｖｅｌ ｒｅｔｉｎｏｉｃ ａｃｉｄ ｒｅｓｐｏｎｓｉｂｅ ｇｅｎｅ ｄｕｒｉｎｇ ｌｉｍｂ ｂｕｄ ｄｏｒｓｏｖｅｎｔｒａｌ ｐａｔｔｅｒｎｉｎｇ ａｎｄ ｅｎｄｏｃｈｏｎｄｒａｌ ｏｓｓｉｆｉｃａｔｉｏｎ． Ｄｅｖ Ｇｅｎｅｔ． １９：６６−７３
Ｃｈｅｎ， Ｃ．， 及び Ｈ． Ｏｋａｙａｍａ． １９８８． Ｃａｌｃｉｕｍ ｐｈｏｓｐｈａｔｅ−ｍｅｄｉａｔｅｄ ｇｅｎｅ ｔｒａｎｓｆｅｒ： Ａ ｈｉｇｈｌｙ ｅｆｆｉｃｉｅｎｔ ｓｙｓｔｅｍ ｆｏｒ ｓｔａｂｌｙ ｔｒａｎｓｆｏｒｍｉｎｇ ｃｅｌｌｓ ｗｉｔｈ ｐｌａｓｍｉｄ ＤＮＡ． ＢｉｏＴｅｃｈｎｉｑｕｅｓ． ６：６３２−６３８．
Ｃｈｅｎ， Ｓ．Ｈ．， Ｈ．Ｄ． Ｓｈｉｎｅ， Ｊ．Ｃ． Ｇｏｏｄｍａｎ， Ｒ．Ｇ． Ｇｒｏｓｓｍａｎ， 等． １９９４． Ｇｅｎｅ ｔｈｅｒａｐｙ ｆｏｒ ｂｒａｉｎ ｔｕｍｏｒｓ： ｒｅｇｒｅｓｓｉｏｎ ｏｆ ｅｘｐｅｒｉｍｅｎｔａｌ ｇｌｉｏｍａｓ ｂｙ ａｄｅｎｏｖｉｒｕｓ−ｍｅｄｉａｔｅｄ  ｇｅｎｅ ｔｒａｎｓｆｅｒ ｉｎ ｖｉｖｏ． Ｐｒｏｃ Ｎａｔｌ Ａｃａｄ Ｓｃｉ ＵＳＡ． ９１：３０５４−７．
Ｃｈｏ， Ｃ．Ｙ．， Ｅ．Ｊ． Ｍｏｒａｎ， Ｓ．Ｒ． Ｃｈｅｒｒｙ， Ｊ．Ｃ． Ｓｔｅｐｈａｎｓ， 等 １９９３． Ａｎ ｕｎｎａｔｕｒａｌ ｂｉｏｐｏｌｙｍｅｒ． Ｓｃｉｅｎｃｅ． ２６１：１３０３−５．
Ｃｏｈｅｎ， Ａ．Ｓ．， Ｄ．Ｌ． Ｓｍｉｓｅｋ，及びＢ．Ｈ． Ｗａｎｇ． １９９６． Ｅｍｅｒｇｉｎｇ ｔｅｃｈｎｏｌｏｇｉｅｓ ｆｏｒ ｓｅｑｕｅｎｃｉｎｇ ａｎｔｉｓｅｎｓｅ ｏｌｉｇｏｎｕｃｌｅｏｔｉｄｅｓ：ｃａｐｉｌｌａｒｙ ｅｌｅｃｔｒｏｐｈｏｒｅｓｉｓ ａｎｄ ｍａｓｓ ｓｐｅｃｔｒｏｍｅｔｒｙ． Ａｄｖ Ｃｈｒｏｍａｔｏｇｒ． ３６：１２７−６２．
Ｃｏｈｅｎ， Ｊ．Ｓ． １９８９． Ｏｌｉｇｏｄｅｏｘｙｎｕｃｌｅｏｔｉｄｅｓ：Ａｎｔｉｓｅｎｓｅ ｉｎｈｉｂｉｔｏｒｓ ｏｆ ｇｅｎｅ ｅｘｐｒｅｓｓｉｏｎ． ＣＲＣ Ｐｒｅｓｓ， Ｂｏｃａ Ｒａｔｏｎ， ＦＬ． ２５５ ｐｐ．
Ｃｏｈｅｎ， Ｓ．Ｍ．Ｎ．， Ａ．Ｃ．Ｙ． Ｃｈａｎｇ，及びＬ． Ｈｓｕ． １９７２． Ｎｏｎｃｈｒｏｍｏｓｏｍａｌ ａｎｔｉｂｉｏｔｉｃ ｒｅｓｉｓｔａｎｃｅ ｉｎ ｂａｃｔｅｒｉａ：Ｇｅｎｅｔｉｃ ｔｒａｎｓｆｏｒｍａｔｉｏｎ ｏｆ Ｅｓｃｈｅｒｉｃｈｉａ ｃｏｌｉ ｂｙ Ｒ−ｆａｃｔｏｒ ＤＮＡ． Ｐｒｏｃ． Ｎａｔｌ． Ａｃａｄ． Ｓｃｉ． ＵＳＡ． ６９：２１１０．
Ｃｏｏｎｅｙ， Ｍ．， Ｇ． Ｃｚｅｍｕｓｚｅｗｉｃｚ， Ｅ．Ｈ． Ｐｏｓｔｅｌ， Ｓ．Ｊ． Ｆｌｉｎｔ， 等 １９８８． Ｓｉｔｅ−ｓｐｅｃｉｆｉｃ ｏｌｉｇｏｎｕｃｌｅｏｔｉｄｅ ｂｉｎｄｉｎｇ ｒｅｐｒｅｓｓｅｓ ｔｒａｎｓｃｒｉｐｔｉｏｎ ｏｆ ｔｈｅ ｈｕｍａｎ ｃ−ｍｙｃ ｇｅｎｅ ｉｎ ｖｉｔｒｏ． Ｓｃｉｅｎｃｅ． ２４１：４５６−９．
Ｃｏｔｔｏｎ， Ｒ．Ｇ． １９９３． Ｃｕｒｒｅｎｔ ｍｅｔｈｏｄｓ ｏｆ ｍｕｔａｔｉｏｎ ｄｅｔｅｃｔｉｏｎ． Ｍｕｔａｔ Ｒｅｓ． ２８５：１２５−４４．
Ｃｒｏｎｉｎ， Ｍ．Ｔ．， Ｒ．Ｖ． Ｆｕｃｉｎｉ， Ｓ．Ｍ． Ｋｉｍ， Ｒ．Ｓ． Ｍａｓｉｎｏ， 等 １９９６． Ｃｙｓｔｉｃ ｆｉｂｒｏｓｉｓｍｕｔａｔｉｏｎ ｄｅｔｅｃｔｉｏｎ ｂｙ ｈｙｂｒｉｄｉｚａｔｉｏｎ ｔｏ ｌｉｇｈｔ−ｇｅｎｅｒａｔｅｄ ＤＮＡ ｐｒｏｂｅ ａｒｒａｙｓ．Ｈｕｍ Ｍｕｔａｔ． ７：２４４−５５．
Ｃｕｌｌ， Ｍ．Ｇ．， Ｊ．Ｆ． Ｍｉｌｌｅｒ， 及び Ｐ．Ｊ． Ｓｃｈａｔｚ． １９９２． Ｓｃｒｅｅｎｉｎｇ ｆｏｒ ｒｅｃｅｐｔｏｒ ｌｉｇａｎｄｓ ｕｓｉｎｇ ｌａｒｇｅ ｌｉｂｒａｒｉｅｓ ｏｆ ｐｅｐｔｉｄｅｓ ｌｉｎｋｅｄ ｔｏ ｔｈｅ Ｃ ｔｅｒｍｉｎｕｓ ｏｆ ｔｈｅ ｌａｃ ｒｅｐｒｅｓｓｏｒ． Ｐｒｏｃ Ｎａｔｌ Ａｃａｄ Ｓｃｉ ＵＳＡ． ８９：１８６５−９．
Ｃｗｉｒｌａ， Ｓ．Ｅ．， Ｅ．Ａ． Ｐｅｔｅｒｓ， Ｒ．Ｗ． Ｂａｒｒｅｔｔ， 及び Ｗ．Ｊ． Ｄｏｗｅｒ． １９９０． Ｐｅｐｔｉｄｅｓ ｏｎ ｐｈａｇｅ： ａ ｖａｓｔ ｌｉｂｒａｒｙ ｏｆ ｐｅｐｔｉｄｅｓ ｆｏｒ ｉｄｅｎｔｉｆｙｉｎｇ ｌｉｇａｎｄｓ． Ｐｒｏｃ Ｎａｔｌ Ａｃａｄ Ｓｃｉ ＵＳＡ． ８７：６３７８−８２．
ｄｅ Ｂｏｅｒ， Ａ．Ｇ． １９９４． Ｄｒｕｇ ａｂｓｏｒｐｔｉｏｎ ｅｎｈａｎｃｅｍｅｎｔ： Ｃｏｎｃｅｐｔｓ， ｐｏｓｓｉｂｉｌｉｔｉｅｓ， ｌｉｍｉｔａｔｉｏｎｓ ａｎｄ ｔｒｅｎｄｓ． Ｈａｒｗｏｏｄ Ａｃａｄｅｍｉｃ Ｐｕｂｌｉｓｈｅｒｓ， Ｌａｎｇｈｏｎｅ， ＰＡ．
ｄｅ Ｌｏｕｖｅｎｃｏｕｒｔ， Ｌ．， Ｈ． Ｆｕｋｕｈａｒａ， Ｈ． Ｈｅｓｌｏｔ， 及び Ｍ． Ｗｅｓｏｌｏｗｓｋｉ． １９８３． Ｔｒａｎｓｆｏｒｍａｔｉｏｎ ｏｆ Ｋｌｕｙｖｅｒｏｍｙｃｅｓ ｌａｃｔｉｓ ｂｙ ｋｉｌｌｅｒ ｐｌａｓｍｉｄ ＤＮＡ． Ｊ Ｂａｃｔｅｒｉｏｌ． １５４：７３７−４２．
ｄｅ Ｗｅｔ， Ｊ．Ｒ．， Ｋ．Ｖ． ｗｏｏｄ， Ｍ． ＤｅＬｕｃａ， Ｄ．Ｒ． Ｈｅｌｉｎｓｋｉ， 等． １９８７． Ｓｔｕｒｃｔｕｒｅ 及びｅｘｐｒｅｓｓｉｏｎ ｉｎ ｍａｍｍａｌｉａｎ ｃｅｌｌｓ． Ｍｏｌ． Ｃｅｌｌ Ｂｉｏｌ． ７：７２５−７３７．
Ｄｅｍｅｒｅｃ， Ｍ．， Ｅ．Ａ． Ａｄｅｌｂｅｒｇ， Ａ．Ｊ． Ｃｌａｒｋ， 及び Ｐ．Ｅ． Ｈａｒｔｍａｎ． １９６６． Ａ ｐｒｏｐｏｓａｌ ｆｏｒ ａ ｕｎｉｆｏｒｍ ｎｏｍｅｎｃｌａｔｕｒｅ ｉｎ ｂａｃｔｅｒｉａｌ ｇｅｎｅｔｉｃｓ． Ｇｅｎｅｔｉｃｓ． ５４：６１−７６．
Ｄｅｖｌｉｎ， Ｊ．Ｊ．， Ｌ．Ｃ． Ｐａｎｇａｎｉｂａｎ， 及び Ｐ．Ｅ． Ｄｅｖｌｉｎ． １９９０． Ｒａｎｄｏｍ ｐｅｐｔｉｄｅ ｌｉｂｒａｒｉｅｓ： ａｓｏｕｒｃｅ ｏｆ ｓｐｅｃｉｆｉｃ ｐｒｏｔｅｉｎ ｂｉｎｄｉｎｇ ｍｏｌｅｃｕｌｅｓ． Ｓｃｉｅｎｃｅ． ２４９：４０４−６．
ＤｅＷｉｔｔ， Ｓ．Ｈ．， Ｊ．Ｓ． Ｋｉｅｌｙ， Ｃ．Ｊ． Ｓｔａｎｋｏｖｉｃ， Ｍ．Ｃ． Ｓｃｈｒｏｅｄｅｒ， 等 １９９３． ”Ｄｉｖｅｒｓｏｍｅｒｓ”：ａｎ ａｐｐｒｏａｃｈ ｔｏ ｎｏｎｐｅｐｔｉｄｅ， ｎｏｎｏｌｉｇｏｍｅｒｉｃ ｃｈｅｍｉｃａｌ ｄｉｖｅｒｓｉｔｙ． Ｐｒｏｃ Ｎａｔｌ Ａｃａｄ Ｓｃｉ ＵＳＡ． ９０：６９０９−１３．
Ｄｉａｔｃｈｅｎｋｏ， Ｌ．， Ｙ．Ｆ． Ｌａｕ， Ａ．Ｐ． Ｃａｍｐｂｅｌｌ， Ａ． Ｃｈｅｎｃｈｉｋ，等 １９９６． Ｓｕｐｐｒｅｓｓｉｏｎ ｓｕｂｔｒａｃｔｉｖｅ ｈｙｂｒｉｄｉｚａｔｉｏｎ：ａ ｍｅｔｈｏｄ ｆｏｒ ｇｅｎｅｒａｔｉｎｇ ｄｉｆｆｅｒｅｎｔｉａｌｌｙ ｒｅｇｕｌａｔｅｄ ｏｒ ｔｉｓｓｕｅ−ｓｐｅｃｉｆｉｃ ｃＤＮＡ ｐｒｏｂｅｓ ａｎｄ ｌｉｂｒａｒｉｅｓ． Ｐｒｏｃ Ｎａｔｌ Ａｃａｄ Ｓｃｉ Ｕ Ｓ Ａ． ９３：６０２５−３０．
Ｅｉｃｈｅｌｂａｕｍ， Ｍ．， 及び Ｂ． Ｅｖｅｒｔ． １９９６． Ｉｎｆｌｕｅｎｃｅ ｏｆ ｐｈａｒｍａｃｏｇｅｎｅｔｉｃｓ ｏｎ ｄｒｕｇ ｄｉｓｐｏｓｉｔｉｏｎ 及び ｒｅｓｐｏｎｓｅ． Ｃ Ｅｘｐ Ｐｈａｒｍａｃｏｉｌ Ｐｈｙｓｉｏｌ． ２３：９８３−５．
Ｅｌｌｉｎｇｔｏｎ， Ａ．Ｄ．， 及び Ｊ．Ｗ． Ｓｚｏｓｔａｋ． １９９０． Ｉｎ ｖｉｔｒｏ ｓｅｌｅｃｔｉｏｎ ｏｆ ＲＮＡ ｍｏｌｅｃｕｌｅｓ ｔｈａｔ ｂｉｎｄ ｓｐｅｃｉｆｉｃ ｌｉｇａｎｄｓ． Ｎａｔｕｒｅ． ３４６：８１８−２２．
Ｅｌｒｏｙ−Ｓｔｅｉｎ， Ｏ．， 及び Ｂ． Ｍｏｓｓ． １９９０． Ｃｙｔｏｐｌａｓｍｉｃ ｅｘｐｒｅｓｓｉｏｎ ｓｙｓｔｅｍ ｂａｓｅｄ ｏｎ ｃｏｎｓｔｉｔｕｔｉｖｅ ｓｙｎｔｈｅｓｉｓ ｏｆ ｂａｃｔｅｒｉｏｐｈａｇｅ Ｔ７ ＲＮＡ ｐｏｌｙｍｅｒａｓｅ ｉｎ ｍａｍｍａｌｉａｎ ｃｅｌｌｓ． Ｐｒｏｃ． Ｎａｔｌ． Ａｃａｄ． Ｓｃｉ． ＵＳＡ． ８７：６７４３−６７４７．
米国特許 ４，５２２，８１１号 Ｓｅｒｉａｌ ｉｎｊｅｃｔｉｏｎ ｏｆ ｍｕｒａｍｙｌｄｉｐｅｐｔｉｄｅｓ ａｎｄ ｌｉｐｏｓｏｍｅｓ ｅｎｈａｎｃｅｓ ｔｈｅ ａｎｔｉ−ｉｎｆｅｃｔｉｖｅ ａｃｔｉｖｉｔｙ ｏｆ ｍｕｒａｍｙｌｄｉｐｅｐｔｉｄｅｓ Ｓｅｒｉａｌ ｉｎｊｅｃｔｉｏｎ ｏｆ ｍｕｒａｍｙｌｄｉｐｅｐｔｉｄｅｓ ａｎｄ ｌｉｐｏｓｏｍｅｓ ｅｎｈａｎｃｅｓ ｔｈｅ ａｎｔｉ−ｉｎｆｅｃｔｉｖｅ ａｃｔｉｖｉｔｙ ｏｆ ｍｕｒａｍｙｌｄｉｐｅｐｔｉｄｅｓ． １９８５．
Ｅｐｐｓｔｅｉｎ， Ｄ．Ａ．， Ｙ．Ｖ． Ｍａｒｓｈ， Ｍ． ｖａｎ ｄｅｒ Ｐａｓ， Ｐ．Ｌ． Ｆｅｌｇｎｅｒ， 等 １９８５． Ｂｉｏｌｏｇｉｃａｌ ａｃｔｉｖｉｔｙ ｏｆ ｌｉｐｏｓｏｍｅ−ｅｎｃａｐｓｕｌａｔｅｄ ｍｕｒｉｎｅ ｉｎｔｅｒｆｅｒｏｎ ｇａｍｍａ ｉｓ ｍｅｄｉａｔｅｄ ｂｙ ａ ｃｅｌｌ ｍｅｍｂｒａｎｅ ｒｅｃｅｐｔｏｒ． Ｐｒｏｃ Ｎａｔｌ Ａｃａｄ Ｓｃｉ ＵＳＡ． ８２：３６８８−９２．
Ｅｓｃｕｄｅｒｏ， Ｊ．， 及び Ｂ． Ｈｏｈｎ． １９９７． Ｔｒａｎｓｆｅｒ 及び ｉｎｔｅｇｒａｔｉｏｎ ｏｆ Ｔ−ＤＮＡ ｗｉｔｈｏｕｔ ｃｅｌｌ ｉｎｊｕｒｙ ｉｎ ｔｈｅ ｈｏｓｔ ｐｌａｎｔ． Ｐｌａｎｔ Ｃｅｌｌ． ９：２１３５−２１４２．
米国特許 ４，８７０，００９号 Ｍｅｔｈｏｄ ｏｆ ｏｂｔａｉｎｉｎｇ ｇｅｎｅ ｐｒｏｄｕｃｔ ｔｈｒｏｕｇｈ ｔｈｅ ｇｅｎｅｒａｔｉｏｎ ｏｆ ｔｒａｎｓｇｅｎｉｃ ａｎｉｍａｌｓ． １９８９．
Ｆｅｋｅｔｅ， Ｄ．Ｍ．， 及び Ｃ．Ｌ． Ｃｅｐｋｏ． １９９３． Ｒｅｔｒｏｖｉｒａｌ ｉｎｆｅｃｔｉｏｎ ｃｏｕｐｌｅｄ ｗｉｔｈ ｔｉｓｓｕｅ ｔｒａｎｓｐｌａｎｔａｔｉｏｎ ｌｉｍｉｔｓ ｇｅｎｅ ｔｒａｎｓｆｅｒ ｉｎ ｔｈｅ ｃｈｉｃｋ ｅｍｂｒｙｏ． Ｐｒｏｃ． Ｎａｔｌ． Ａｃａｄ． Ｓｃｉ． ＵＳＡ． ９０：２３５０−２３５４．
Ｆｅｌｇｎｅｒ， Ｐ．Ｌ．， Ｔ．Ｒ． Ｇａｄｅｋ， Ｍ． Ｈｏｌｍ， Ｒ． Ｒｏｍａｎ， 等 １９８７． Ｌｉｐｏｆｅｃｔｉｎ： Ａ ｈｉｇｈｌｙ ｅｆｆｉｃｉｅｎｔ， ｌｉｐｉｄ−ｍｅｄｉａｔｅｄ ＤＮＡ／ｔｒａｎｓｆｅｃｔｉｏｎ ｐｒｏｃｅｄｕｒｅ． Ｐｒｏｃ． Ｎａｔｌ． Ａｃａｄ Ｓｃｉ． ＵＳＡ． ８４：７４１３−７４１７．
Ｆｅｌｉｃｉ， Ｆ．， Ｌ． Ｃａｓｔａｇｎｏｌｉ， Ａ． Ｍｕｓａｃｃｈｉｏ， Ｒ． Ｊａｐｐｅｌｌｉ， 等 １９９１． Ｓｅｌｅｃｔｉｏｎ ｏｆ ａｎｔｉｂｏｄｙ ｌｉｇａｎｄｓ ｆｒｏｍ ａ ｌａｒｇｅ ｌｉｂｒａｒｙ ｏｆ ｏｌｉｇｏｐｅｐｔｉｄｅｓ ｅｘｐｒｅｓｓｅｄ ｏｎ ａ ｍｕｌｔｉｖａｌｅｎｔ ｅｘｐｏｓｉｔｉｏｎ ｖｅｃｔｏｒ． Ｊ Ｍｏｌ Ｂｉｏｌ． ２２２：３０１−１０．
Ｆｉｅｃｋ， Ａ．， Ｄ．Ｌ． Ｗｙｂｏｒｓｋｉ， 及び Ｊ．Ｍ． Ｓｈｏｒｔ． １９９２． Ｍｏｄｉｆｉｃａｔｉｏｎｓ ｏｆ ｔｈｅ Ｅ．ｃｏｌｉ Ｌａｃ ｒｅｐｒｅｓｓｏｒ ｆｏｒ ｅｘｐｒｅｓｓｉｏｎ ｉｎ ｅｕｋａｒｙｏｔｉｃ ｃｅｌｌｓ： ｅｆｆｅｃｔｓ ｏｆ ｎｕｃｌｅａｒ ｓｉｇｎａｌ ｓｅｑｕｅｎｃｅｓ ｏｎ ｐｒｏｔｅｉｎ ａｃｔｉｖｉｔｙ ａｎｄ ｎｕｃｌｅａｒ ａｃｃｕｍｕｌａｔｉｏｎ． Ｎｕｃｌｅｉｃ Ａｃｉｄｓ Ｒｅｓ． ２０：１７８５−９１．
Ｆｉｎｅｒ， Ｊ．Ｊ．， Ｋ．Ｒ． Ｆｉｎｅｒ， 及び Ｔ． Ｐｏｎａｐｐａ． １９９９． Ｐａｒｔｉｃｌｅ ｂｏｍｂａｒｄｍｅｎｔ−ｍｅｄｉａｔｅｄ ｔｒａｎｓｆｏｒｍａｔｉｏｎ． Ｃｕｒｒｅｎｔ Ｔｏｐｉｃｓ ｉｎ ｍｉｃｒｏｂｉｏｌｏｇｙ ａｎｄ ｉｍｍｕｎｏｌｏｇｙ． ２４０：５９−８０．
Ｆｉｎｎ， Ｐ．Ｊ．， Ｎ．Ｊ． Ｇｉｂｓｏｎ， Ｒ． Ｆａｌｌｏｎ， Ａ． Ｈａｍｉｌｔｏｎ， 等１９９６． Ｓｙｎｔｈｅｓｉｓ 及び ｐｒｏｐｅｒｔｉｅｓ ｏｆ ＤＮＡ−ＰＮＡ ｃｈｉｍｅｒｉｃ ｏｌｉｇｏｍｅｒｓ． Ｎｕｃｌｅｉｃ Ａｃｉｄｓ Ｒｅｓ． ２４：３３５７−６３．
Ｆｌｅｅｒ， Ｒ， Ｐ． Ｙｅｈ， Ｎ． Ａｍｅｌｌａｌ， Ｉ． Ｍａｕｒｙ， 等 １９９１． Ｓｔａｂｌｅ ｍｕｌｔｉｃｏｐｙ ｖｅｃｔｏｒｓ ｆｏｒ ｈｉｇｈ−ｌｅｖｅｌ ｓｅｃｒｅｔｉｏｎ ｏｆ ｒｅｃｏｍｂｉｎａｎｔ ｈｕｍａｎ ｓｅｒｕｍ ａｌｂｕｍｉｎ ｂｙ Ｋｌｕｙｖｅｒｏｍｙｃｅｓ  ｙｅａｓｔｓ． Ｂｉｏｔｅｃｈｎｏｌｏｇｙ （Ｎ Ｙ）． ９：９６８−７５．
Ｆｏｄｏｒ， Ｓ．Ｐ．， Ｒ．Ｐ． Ｒａｖａ， Ｘ．Ｃ． Ｈｕａｎｇ， Ａ．Ｃ． Ｐｅａｓｅ， 等 １９９３． Ｍｕｌｔｉｐｌｅｘｅｄ ｂｉｏｃｈｅｍｉｃａｌ ａｓｓａｙｓ ｗｉｔｈ ｂｉｏｌｏｇｉｃａｌ ｃｈｉｐｓ． Ｎａｔｕｒｅ． ３６４：５５５−６．
Ｆｒｏｍｍ， Ｍ．， Ｌ．Ｐ． Ｔａｙｌｏｒ， 及び Ｖ． Ｗａｌｂｏｔ． １９８５． Ｅｘｐｒｅｓｓｉｏｎ ｏｆ ｇｅｎｅｓ ｔｒａｎｓｆｅｒｒｅｄ ｉｎｔｏ ｍｏｎｏｃｏｔ ａｎｄ ｄｉｃｏｔ ｐｌａｎｔ ｃｅｌｌｓ ｂｙ ｅｌｅｃｔｒｏｐｏｒａｔｉｏｎ． Ｐｒｏｃ． Ｎａｔｌ． Ａｃａｄ Ｓｃｉ． ＵＳＡ． ８２：５８２４−５８２８．
Ｆｕｊｉｔａ， Ｔ．， Ｈ． Ｓｈｕｂｉｙａ， Ｔ． Ｏｈａｓｈｉ， Ｋ． Ｙａｍａｎｉｓｈｉ， 等 １９８６． Ｒｅｇｕｌａｔｉｏｎ ｏｆ ｈｕｍａｎ ｉｎｔｅｒｌｅｕｋｉｎ−２ ｇｅｎｅ： Ｆｕｎｃｔｉｏｎａｌ ＤＮＡ ｓｅｑｕｅｎｃｅｓ ｉｎ ｔｈｅ ５’ ｆｌａｎｋｉｎｇ ｒｅｇｉｏｎ ｆｏｒ ｔｈｅ ｇｅｎｅ ｅｘｐｒｅｓｓｉｏｎ ｉｎ ａｃｔｉｖａｔｅｄ Ｔ ｌｙｍｐｈｏｃｙｔｅｓ． Ｃｅｌｌ． ４６：４０１−４０７．
Ｇａｂｉｚｏｎ， Ａ．， Ｒ． Ｓｈｉｏｔａ， 及び Ｄ． Ｐａｐａｈａｄｊｏｐｏｕｌｏｓ． １９８９． Ｐｈａｒｍａｃｏｋｉｎｅｔｉｃｓ ａｎｄ ｔｉｓｓｕｅ ｄｉｓｔｒｉｂｕｔｉｏｎ ｏｆ ｄｏｘｏｒｕｂｉｃｉｎ ｅｎｃａｐｓｕｌａｔｅｄ ｉｎ ｓｔａｂｌｅ ｌｉｐｏｓｏｍｅｓ ｗｉｔｈ ｌｏｎｇ ｃｉｒｃｕｌａｔｉｏｎ ｔｉｍｅｓ． Ｊ Ｎａｔｌ Ｃａｎｃｅｒ Ｉｎｓｔ． ８１：１４８４−８．
Ｇａｌｌａｇｈｅｒ， Ｓ．Ｒ． １９９２． ＧＵＳ ｐｒｏｔｏｃｏｌｓ： Ｕｓｉｎｇ ｔｈｅ ＧＵＳ ｇｅｎｅ ａｓ ａ ｒｅｐｏｒｔｅｒ ｏｆ ｇｅｎｅ ｅｘｐｒｅｓｓｉｏｎ． Ａｃａｄｅｍｉｃ Ｐｒｅｓｓ， Ｓａｎ Ｄｉｅｇｏ， ＣＡ．
Ｇａｌｌｏｐ， Ｍ．Ａ．， Ｒ．Ｗ． Ｂａｒｒｅｔｔ， Ｗ．Ｊ． Ｄｏｗｅｒ， Ｓ．Ｐ． Ｆｏｄｏｒ， 等． １９９４． Ａｐｐｌｉｃａｔｉｏｎｓ ｏｆ ｃｏｍｂｉｎａｔｏｒｉａｌ ｔｅｃｈｎｏｌｏｇｉｅｓ ｔｏ ｄｒｕｇ ｄｉｓｃｏｖｅｒｙ． １． Ｂａｃｋｇｒｏｕｎｄ ａｎｄ ｐｅｐｔｉｄｅ ｃｏｍｂｉｎａｔｏｒｉａｌ ｌｉｂｒａｒｉｅｓ． Ｊ Ｍｅｄ Ｃｈｅｍ． ３７：１２３３−５１．
Ｇａｓｐａｒｉｎｉ， Ｐ．， Ａ． Ｂｏｎｉｚｚａｔｏ， Ｍ． Ｄｏｇｎｉｎｉ， 及び Ｐ．Ｆ． Ｐｉｇｎａｔｔｉ． １９９２． Ｒｅｓｔｒｉｃｔｉｏｎ ｓｉｔｅ ｇｅｎｅｒａｔｉｎｇ−ｐｏｌｙｍｅｒａｓｅ ｃｈａｉｎ ｒｅａｃｔｉｏｎ （ＲＧ−ＰＣＲ） ｆｏｒ ｔｈｅ ｐｒｏｂｅｌｅｓｓ ｄｅｔｅｃｔｉｏｎ ｏｆ ｈｉｄｄｅｎ ｇｅｎｅｔｉｃ ｖａｒｉａｔｉｏｎ： ａｐｐｌｉｃａｔｉｏｎ ｔｏ ｔｈｅ ｓｔｕｄｙ ｏｆ ｓｏｍｅ ｃｏｍｍｏｎ ｃｙｓｔｉｃ ｆｉｂｒｏｓｉｓ ｍｕｔａｔｉｏｎｓ． Ｍｏｌ Ｃｅｌｌ Ｐｒｏｂｅｓ． ６：１−７．
Ｇａｕｔｉｅｒ， Ｃ．， Ｆ． Ｍｏｒｖａｎ， Ｂ． Ｒａｙｎｅｒ， Ｔ． Ｈｕｙｎｈ−Ｄｉｎｈ， 等 １９８７． α−ＤＮＡ． ＩＶ： α−ａｎｏｍｅｒｉｃ ａｎｄ β−ａｎｏｍｅｒｉｃ ｔｅｔｒａｔｈｙｍｉｄｙｌａｔｅｓ ｃｏｖａｌｅｎｔｌｙ ｌｉｎｋｅｄ ｔｏ ｉｎｔｅｒｃａｌａｔｉｎｇ ｏｘａｚｏｌｏｐｙｒｉｄｏｃａｒｂａｚｏｌｅ． Ｓｙｎｔｈｅｓｉｓ， ｐｈｙｓｉｃｏｃｈｅｍｉｃａｌ ｐｒｏｐｅｒｔｉｅｓ ａｎｄ ｐｏｌｙ （ｒＡ）ｂｉｎｄｉｎｇ． Ｎｕｃｌｅｉｃ Ａｃｉｄｓ Ｒｅｓ． １５：６６２５−４１．
Ｇｅｎｎａｒｏ， Ａ．Ｒ． ２０００． Ｒｅｍｉｎｇｔｏｎ： Ｔｈｅ ｓｃｉｅｎｃｅ ａｎｄ ｐｒａｃｔｉｃｅ ｏｆ ｐｈａｒｍａｃｙ． Ｌｉｐｐｉｎｃｏｔｔ， Ｗｉｌｌｉａｍｓ ＆ Ｗｉｌｋｉｎｓ， Ｐｈｉｌａｄｅｌｐｈｉａ， ＰＡ．
Ｇｉｂｂｓ， Ｒ．Ａ．， Ｐ．Ｎ． Ｎｇｕｙｅｎ， 及び Ｃ．Ｔ． Ｃａｓｋｅｙ． １９８９． Ｄｅｔｅｃｔｉｏｎ ｏｆ ｓｉｎｇｌｅ ＤＮＡ ｂａｓｅ ｄｉｆｆｅｒｅｎｃｅｓ ｂｙ ｃｏｍｐｅｔｉｔｉｖｅ ｏｌｉｇｏｎｕｃｌｅｏｔｉｄｅ ｐｒｉｍｉｎｇ． Ｎｕｃｌｅｉｃ Ａｃｉｄｓ Ｒｅｓ．１７：２４３７−４８．
Ｇｉｅｔｚ， Ｒ．Ｄ．， Ｒ．Ａ． Ｗｏｏｄｓ， Ｐ． Ｍａｎｉｖａｓａｋａｍ， 及び Ｒ．Ｈ． Ｓｃｈｉｅｓｔｌ． １９９８． Ｇｒｏｗｔｈ ａｎｄ ｔｒａｎｓｆｏｒｍａｔｉｏｎ ｏｆ Ｓａｃｃｈａｒｏｍｙｃｅｓ ｃｅｒｅｖｉｓｉａｅ． Ｉｎ Ｃｅｌｌｓ： Ａ  ｌａｂｏｒａｔｏｒｙ ｍａｎｕａｌ． Ｖｏｌ． Ｉ． Ｄ． Ｓｐｅｃｔｏｒ， Ｒ． Ｇｏｌｄｍａｎ， 及び Ｌ． Ｌｅｉｎｗａｎｄ， ｅｄｉｔｏｒｓ． Ｃｏｌｄ Ｓｐｒｉｎｇ Ｈａｒｂｏｒ Ｐｒｅｓｓ， Ｃｏｌｄ Ｓｐｒｉｎｇ Ｈａｒｂｏｒ， ＮＹ．
Ｇｏｄｉｎｇ， Ｊ．Ｗ． １９９６． Ｍｏｎｏｃｌｏｎａｌ ａｎｔｉｂｏｄｉｅｓ： Ｐｒｉｎｃｉｐｌｅｓ 及び Ｐｒａｃｔｉｃｅ． Ａｃａｄｅｍｉｃ Ｐｒｅｓｓ， Ｓａｎ Ｄｉｅｇｏ． ４９２ ｐｐ．
Ｇｏｒｍａｎ， Ｃ．Ｍ．， Ｌ．Ｆ． Ｍｏｆｆａｔ， 及び Ｂ．Ｈ． Ｈｏｗａｒｄ． １９８２． Ｒｅｃｏｍｂｉｎａｎｔ ｇｅｎｏｍｅｓ ｗｈｉｃｈ ｅｘｐｒｅｓｓ ｃｈｉｏｒａｍｐｈｅｎｉｃｏｌ ａｃｅｔｙｌｔｒａｎｓｆｅｒａｓｅ ｉｎ ｍａｍｍａｌｉａｎ ｃｅｌｌｓ． Ｍｏｌ Ｃｅｌｌ． Ｂｉｏｌ． ２：１０４４−１０５１．
Ｇｒａｈａｍ， Ｆ．Ｌ．， 及び Ａ．Ｊ． ｖａｎ ｄｅｒ Ｅｂ． １９７３． Ａ ｎｅｗ ｔｅｃｈｎｉｑｕｅ ｆｏｒ ｔｈｅ ａｓｓａｙ ｏｆ ｉｎｆｅｃｔｉｖｉｔｙ ｏｆ ｈｕｍａｎ ａｄｅｎｏｖｉｒｕｓ ５ ＤＮＡ． Ｖｉｒｏｌｏｇｙ． ５２：４５６−．
Ｇｒｉｆｆｉｎ， Ｈ．Ｇ．， 及び Ａ．Ｍ． Ｇｒｉｆｆｉｎ． １９９３． ＤＮＡ ｓｅｑｕｅｎｃｉｎｇ． Ｒｅｃｅｎｔ ｉｎｎｏｖａｔｉｏｎｓ 及び ｆｕｔｕｒｅ ｔｒｅｎｄｓ． Ａｐｐｌ Ｂｉｏｃｈｅｍ Ｂｉｏｔｅｃｈｎｏｌ． ３８：１４７−５９．
Ｇｒｏｍｐｅ， Ｍ．， Ｄ．Ｍ． Ｍｕｚｎｙ， 及び Ｃ．Ｔ． Ｃａｓｋｅｙ． １９８９． Ｓｃａｎｎｉｎｇ ｄｅｔｅｃｔｉｏｎ ｏｆ ｍｕｔａｔｉｏｎｓ ｉｎ ｈｕｍａｎ ｏｒｎｉｔｈｉｎｅ ｔｒａｎｓｃａｒｂａｍｏｙｌａｓｅ ｂｙ ｃｈｅｍｉｃａｌ ｍｉｓｍａｔｃｈ ｃｌｅａｖａｇｅ． Ｐｒｏｃ Ｎａｔｌ Ａｃａｄ Ｓｃｉ ＵＳＡ． ８６：５８８８−９２．
Ｇｒｕｂｅｒ， Ｍ．， Ｂ．Ａ． Ｓｃｈｏｄｉｎ， Ｅ．Ｒ． Ｗｉｌｓｏｎ， 及び Ｄ．Ｍ． Ｋｒａｎｚ． １９９４． Ｅｆｆｉｃｉｅｎｔ ｔｕｍｏｒ ｃｅｌｌ ｌｙｓｉｓ ｍｅｄｉａｔｅｄ ｂｙ ａ ｂｉｓｐｅｃｉｆｉｃ ｓｉｎｇｌｅ ｃｈａｉｎ ａｎｔｉｂｏｄｙ ｅｘｐｒｅｓｓｅｄ ｉｎ Ｅｓｃｈｅｒｉｃｈｉａ ｃｏｌｉ． Ｊ Ｉｍｍｕｎｏｌ． １５２：５３６８−７４．
Ｇｕａｔｅｌｌｉ， Ｊ．Ｃ．， Ｋ．Ｍ． Ｗｈｉｔｆｉｅｌｄ， Ｄ．Ｙ．Ｋｗｏｈ， Ｋ．Ｊ． Ｂａｒｒｉｎｇｅｒ，等 １９９０． Ｉｓｏｔｈｅｒｍａｌ， ｉｎ ｖｉｔｒｏ ａｍｐｌｉｆｉｃａｔｉｏｎ ｏｆ ｎｕｃｌｅｉｃ ａｃｉｄｓ ｂｙ ａ ｍｕｔｌｉｅｎｚｙｍｅ ｒｅａｃｔｉｏｎ ｍｏｄｅｌｅｄ ａｆｔｅｒ ｒｅｔｒｏｖｉｒａｌ ｒｅｐｌｉｃａｔｉｏｎ． Ｐｒｏｃ Ｎａｔｌ Ａｃａｄ Ｓｃｉ ＵＳＡ． ８７：１８７４−８
Ｈａｎａｈａｎ， Ｄ． １９８３． Ｓｔｕｄｉｅｓ ｏｎ ｔｒａｎｓｆｏｒｍａｔｉｏｎ ｏｆ Ｅｓｃｈｅｒｉｃｈｉａ ｃｏｌｉ ｗｉｔｈ ｐｌａｓｍｉｄｓ． Ｊ． Ｍｏｌ． Ｂｉｏｌ． １６６：５５７−５８０．
Ｈａｎｓｅｎ， Ｇ．， 及び Ｍ．−Ｄ． Ｃｈｉｌｔｏｎ． １９９９． Ｌｅｓｓｏｎｓ ｉｎ ｇｅｎｅ ｔｒａｎｓｆｅｒ ｔｏ ｐｌａｎｔｓ ｂｙ ａ ｇｉｆｔｅｄ ｍｉｃｒｏｂｅ． Ｃｕｒｒ． Ｔｏｐ． Ｍｉｃｒｏｂｉｏｌ． Ｉｍｍｕｎｏｌ． ２４０：２１−５７．
Ｈａｎｓｅｎ， Ｇ．， 及び Ｍ．Ｓ． Ｗｒｉｇｈｔ． １９９９． Ｒｅｃｅｎｔ ａｄｖａｎｃｅｓ ｉｎ ｔｈｅ ｔｒａｎｓｆｏｒｍａｔｉｏｎ ｏｆ ｐｌａｎｔｓ． Ｔｒｅｎｄｓ Ｐｌａｎｔ Ｓｃｉ． ４：２２６−２３１．
Ｈａｒｌｏｗ， Ｅ．， 及び Ｄ． Ｌａｎｅ． １９８８． Ａｎｔｉｂｏｄｉｅｓ： Ａ ｌａｂｏｒａｔｏｒｙ ｍａｎｕａｌ． Ｃｏｌｄ Ｓｐｒｉｎｇ Ｈａｒｂｏｒ Ｌａｂｏｒａｔｏｒｙ Ｐｒｅｓｓ， Ｃｏｌｄ Ｓｐｒｉｎｇ Ｈａｒｂｏｒ． ７２６ ｐｐ．
Ｈａｒｌｏｗ， Ｅ．， 及び Ｄ． Ｌａｎｅ． １９９９． Ｕｓｉｎｇ ａｎｔｉｂｏｄｉｅｓ： Ａ ｌａｂｏｒａｔｏｒｙ ｍａｎｕａｌ． Ｃｏｌｄ Ｓｐｒｉｎｇ Ｈａｒｂｏｒ Ｌａｂｏｒａｔｏｒｙ ＰＲｅｓｓ， Ｃｏｌｄ Ｓｐｒｉｎｇ Ｈａｒｂｏｒ， Ｎｅｗ Ｙｏｒｋ．
Ｈａｓｅｌｏｆｆ， Ｊ．， 及び Ｗ．Ｌ． Ｇｅｒｌａｃｈ． １９８８． Ｓｉｍｐｌｅ ＲＮＡ ｅｎｚｙｍｅｓ ｗｉｔｈ ｎｅｗ ａｎｄ ｈｉｇｈｌｙ ｓｐｅｃｉｆｉｃ ｅｎｄｏｒｉｂｏｎｕｃｌｅａｓｅ ａｃｔｉｖｉｔｉｅｓ． Ｎａｔｕｒｅ． ３３４：５８５−９１．
Ｈａｙａｓｈｉ， Ｋ． １９９２． ＰＣＲ−ＳＳＣＰ： Ａ ｍｅｔｈｏｄ ｆｏｒ ｄｅｔｅｃｔｉｏｎ ｏｆ ｍｕｔａｔｉｏｎｓ． Ｇｅｎｅｔｉｃ ａｎｄ Ａｎａｌｙｔｉｃａｌ Ｔｅｃｈｎｉｑｕｅｓ Ａｐｐｌｉｃａｔｉｏｎｓ． ９：７３−７９．
Ｈｅｉｄ， Ｃ．Ａ．， Ｊ． Ｓｔｅｖｅｎｓ， Ｋ．Ｊ． Ｌｉｖａｋ，及びＰ．Ｍ． Ｗｉｌｌｉａｍｓ． １９９６． Ｒｅａｌ ｔｉｍｅ ｑｕａｎｔｉｔａｔｉｖｅ ＰＣＲ． Ｇｅｎｏｍｅ Ｒｅｓ． ６：９８６−９４
Ｈｅｌｅｎｅ， Ｃ． １９９１． Ｔｈｅ ａｎｔｉ−ｇｅｎｅ ｓｔｒａｔｅｇｙ： ｃｏｎｔｒｏｌ ｏｆ ｇｅｎｅ ｅｘｐｒｅｓｓｉｏｎ ｂｙ ｔｒｉｐｌｅｘ−ｆｏｒｍｉｎｇ− ｏｌｉｇｏｎｕｃｌｅｏｔｉｄｅｓ． Ａｎｔｉｃａｎｃｅｒ Ｄｒｕｇ Ｄｅｓ． ６：５６９−８４．
Ｈｅｌｅｎｅ， Ｃ．， Ｎ．Ｔ． Ｔｈｕｏｎｇ， 及び Ａ． Ｈａｒｅｌ−Ｂｅｌｌａｎ． １９９２． Ｃｏｎｔｒｏｌ ｏｆ ｇｅｎｅ ｅｘｐｒｅｓｓｉｏｎ ｂｙ ｔｒｉｐｌｅ ｈｅｌｉｘ−ｆｏｒｍｉｎｇ ｏｌｉｇｏｎｕｃｌｅｏｔｉｄｅｓ． Ｔｈｅ ａｎｔｉｇｅｎｅ ｓｔｒａｔｅｇｙ． Ａｎｎ Ｎ Ｙ Ａｃａｄ Ｓｃｉ． ６６０：２７−３６．
Ｈｉｎｎｅｎ， Ａ．， Ｊ．Ｂ． Ｈｉｃｋｓ， 及び Ｇ．Ｒ． Ｆｉｎｋ． １９７８． Ｔｒａｎｓｆｏｒｍａｔｉｏｎ ｏｆ ｙｅａｓｔ． Ｐｒｏｃ． Ｎａｔｌ． Ａｃａｄ Ｓｃｉ． ＵＳＡ． ７５：１９２９−１９３３．
Ｈｏｆｆｍａｎ， Ｆ． １９９６． Ｌａｓｅｒ ｍｉｃｒｏｂｅａｍｓ ｆｏｒ ｔｈｅ ｍａｎｉｐｕｌａｔｉｏｎ ｏｆ  ｐｌａｎｔ ｃｅｌｌｓ ａｎｄ ｓｕｂｃｅｌｌｕｌａｒ ｓｔｒｕｃｔｕｒｅｓ． Ｐｌａｎｔ Ｓｃｉ． １１３：１−１１．
Ｈｏｇａｎ， Ｂ．， Ｂｅｄｄｉｎｇｔｏｎ， Ｒ．， Ｃｏｓｔａｎｔｉｎｉ， Ｆ．， Ｌａｃｙ， Ｅ． １９９４． Ｍａｎｉｐｕｌａｔｉｎｇ ｔｈｅ Ｍｏｕｓｅ Ｅｍｂｒｙｏ： Ａ Ｌａｂｏｒａｔｏｒｙ Ｍａｎｕａｌ． Ｃｏｌｄ Ｓｐｒｉｎｇ Ｈａｒｂｏｒ Ｌａｂｏｒａｔｏｒｙ Ｐｒｅｓｓ． ５００ ｐｐ．
Ｈｏｌｌｉｇｅｒ， Ｐ．， Ｔ． Ｐｒｏｓｐｅｒｏ， 及び Ｇ． Ｗｉｎｔｅｒ． １９９３． ”Ｄｉａｂｏｄｉｅｓ”： ｓｍａｌｌ ｂｉｖａｌｅｎｔ ａｎｄ ｂｉｓｐｅｃｉｆｉｃ ａｎｔｉｂｏｄｙ ｆｒａｇｍｅｎｔｓ． Ｐｒｏｃ Ｎａｔｌ Ａｃａｄ Ｓｃｉ ＵＳＡ． ９０：６４４４−８．
Ｈｏｏｇｅｎｂｏｏｍ， Ｈ．Ｒ．， Ａ．Ｄ． Ｇｒｉｆｆｉｔｈｓ， Ｋ．Ｓ． Ｊｏｈｎｓｏｎ， Ｄ．Ｊ． Ｃｈｉｓｗｅｌｌ， 等 １９９１． Ｍｕｌｔｉ−ｓｕｂｕｎｉｔ ｐｒｏｔｅｉｎｓ ｏｎ ｔｈｅ ｓｕｒｆａｃｅ ｏｆ ｆｉｌａｍｅｎｔｏｕｓ ｐｈａｇｅ： ｍｅｔｈｏｄｏｌｏｇｉｅｓ ｆｏｒ ｄｉｓｐｌａｙｉｎｇ ａｎｔｉｂｏｄｙ （Ｆａｂ） ｈｅａｖｙ ａｎｄ ｌｉｇｈｔ ｃｈａｉｎｓ． Ｎｕｃｌｅｉｃ Ａｃｉｄｓ Ｒｅｓ． １９：４１３３−７．
Ｈｏｕｇｈｔｅｎ， Ｒ．Ａ．， Ｊ．Ｒ． Ａｐｐｅｌ， Ｓ．Ｅ． Ｂｌｏｎｄｅｌｌｅ， Ｊ．Ｈ． Ｃｕｅｒｖｏ， 等 １９９２． Ｔｈｅ ｕｓｅ ｏｆ ｓｙｎｔｈｅｔｉｃ ｐｅｐｔｉｄｅ ｃｏｍｂｉｎａｔｏｒｉａｌ ｌｉｂｒａｒｉｅｓ ｆｏｒ ｔｈｅ ｉｄｅｎｔｉｆｉｃａｔｉｏｎ ｏｆ ｂｉｏａｃｔｉｖｅ ｐｅｐｔｉｄｅｓ． Ｂｉｏｔｅｃｈｎｉｑｕｅｓ． １３：４１２−２１．
Ｈｓｕ， ＩＣ．， Ｑ． Ｙａｎｇ， Ｍ．Ｗ． Ｋａｈｎｇ， 及び Ｊ．Ｆ． Ｘｕ． １９９４． Ｄｅｔｅｃｔｉｏｎ ｏｆ ＤＮＡ ｐｏｉｎｔ ｍｕｔａｔｉｏｎｓ ｗｉｔｈ ＤＮＡ ｍｉｓｍａｔｃｈ ｒｅｐａｉｒ ｅｎｚｙｍｅｓ． Ｃａｒｃｉｎｏｇｅｎｅｓｉｓ． １５：１６５７−６２．
Ｈｗａｎｇ， Ｋ．Ｊ．， Ｋ．Ｆ． Ｌｕｋ， 及び Ｐ．Ｌ． Ｂｅａｕｍｉｅｒ． １９８０． Ｈｅｐａｔｉｃ ｕｐｔａｋｅ ａｎｄ ｄｅｇｒａｄａｔｉｏｎ ｏｆ ｕｎｉｌａｍｅｌｌａｒ ｓｐｈｉｎｇｏｍｙｅｌｉｎ／ｃｈｏｌｅｓｔｅｒｏｌ ｌｉｐｏｓｏｍｅｓ： ａ ｋｉｎｅｔｉｃ ｓｔｕｄｙ． Ｐｒｏｃ Ｎａｔｌ Ａｃａｄ Ｓｃｉ ＵＳＡ． ７７：４０３０−４．
Ｈｙｒｕｐ， Ｂ．， 及び Ｐ．Ｅ． Ｎｉｅｌｓｅｎ． １９９６． Ｐｅｐｔｉｄｅ ｎｕｃｌｅｉｃ ａｃｉｄｓ （ＰＮＡ）： ｓｙｎｔｈｅｓｉｓ， ｐｒｏｐｅｒｔｉｅｓ ａｎｄ ｐｏｔｅｎｔｉａｌ ａｐｐｌｉｃａｔｉｏｎｓ． Ｂｉｏｏｒｇ Ｍｅｄ Ｃｈｅｍ． ４：５−２３．
Ｉｎｏｕｅ， Ｈ．， Ｙ． Ｈａｙａｓｅ， Ａ． Ｉｍｕｒａ， Ｓ． Ｉｗａｉ， 等 １９８７ａ． Ｓｙｎｔｈｅｓｉｓ ａｎｄ ｈｙｂｒｉｄｉｚａｔｉｏｎ ｓｔｕｄｉｅｓ ｏｎ ｔｗｏ ｃｏｍｐｌｅｍｅｎｔａｒｙ ｎｏｎａ（２’−Ｏ− ｍｅｔｈｙｌ）ｒｉｂｏｎｕｃｌｅｏｔｉｄｅｓ． Ｎｕｃｌｅｉｃ Ａｃｉｄｓ Ｒｅｓ． １５：６１３１−４８．
Ｉｎｏｕｅ， Ｈ．， Ｙ． Ｈａｙａｓｅ， Ｓ． Ｉｗａｉ， 及び Ｅ． Ｏｈｔｓｕｋａ． １９８７ｂ． Ｓｅｑｕｅｎｃｅ−ｄｅｐｅｎｄｅｎｔ ｈｙｄｒｏｌｙｓｉｓ  ｏｆ ＲＮＡ ｕｓｉｎｇ ｍｏｄｉｆｉｅｄ ｏｌｉｇｏｎｕｃｌｅｏｔｉｄｅ ｓｐｌｉｎｔｓ 及び ＲＮａｓｅ Ｈ． ＦＥＢＳＬｅｔｔ． ２１５：３２７−３０．
Ｉｓｈｉｕｒａ， Ｍ．， Ｓ． Ｈｉｒｏｓｅ， Ｔ． Ｕｃｈｉｄａ， Ｙ． Ｈａｍａｄａ， 等． １９８２． Ｐｈａｇｅ ｐａｒｔｉｃｌｅ−ｍｅｄｉａｔｅｄ ｇｅｎｅ ｔｒａｎｓｆｅｒ ｔｏ ｃｕｌｔｕｒｅｄ ｍａｍｍａｌｉａｎ ｃｅｌｌｓ． Ｍｏｌｅｃｕｌａｒ 及び Ｃｅｌｌｕｌａｒ Ｂｉｏｌｏｇｙ． ２：６０７−６１６．
Ｉｔｏ， Ｈ．， Ｙ． Ｆｕｋｕｄａ， Ｋ． Ｍｕｒａｔａ， 及び Ａ． Ｋｉｍｕｒａ． １９８３． Ｔｒａｎｓｆｏｒｍａｔｉｏｎ ｏｆ ｉｎｔａｃｔ ｙｅａｓｔ ｃｅｌｌｓ ｔｒｅａｔｅｄ ｗｉｔｈ ａｌｋａｌｉ ｃａｔｉｏｎｓ． Ｊ． Ｂａｃｔｅｒｉｏｌ １５３：１６３−１６８．
Ｉｗａｂｕｃｈｉ， Ｋ．， Ｂ． Ｌｉ， Ｐ． Ｂａｒｔｅｌ，及びＳ． Ｆｉｅｌｄｓ． １９９３． Ｕｓｅ ｏｆ ｔｈｅ ｔｗｏ−ｈｙｂｒｉｄ ｓｙｓｔｅｍ ｔｏ ｉｄｅｎｔｉｆｙ ｔｈｅ ｄｏｍａｉｎ ｏｆ ｐ５３ ｉｎｖｏｌｖｅｄ ｉｎ ｏｌｉｇｏｍｅｒｉｚａｔｉｏｎ． Ｏｎｃｏｇｅｎｅ． ８：１６９３−６．
Ｊａｙａｓｅｎａ， Ｓ．Ｄ． １９９９． Ａｐｔａｍｅｒｓ： ａｎ ｅｍｅｒｇｉｎｇ ｃｌａｓｓ ｏｆ ｍｏｌｅｃｕｌｅｓ ｔｈａｔ ｒｉｖａｌ ａｎｔｉｂｏｄｉｅｓ ｉｎ ｄｉａｇｎｏｓｔｉｃｓ． Ｃｌｉｎ Ｃｈｅｍ． ４５：１６２８−５０．
Ｊｏｎｅｓ， Ｐ．Ｔ．， Ｐ．Ｈ． Ｄｅａｒ， Ｊ． Ｆｏｏｔｅ， Ｍ．Ｓ． Ｎｅｕｂｅｒｇｅｒ， 等 １９８６． Ｒｅｐｌａｃｉｎｇ ｔｈｅ ｃｏｍｐｌｅｍｅｎｔａｒｉｔｙ−ｄｅｔｅｒｍｉｎｉｎｇ ｒｅｇｉｏｎｓ ｉｎ ａ ｈｕｍａｎ ａｎｔｉｂｏｄｙ ｗｉｔｈ ｔｈｏｓｅ ｆｒｏｍ ａ ｍｏｕｓｅ． Ｎａｔｕｒｅ． ３２１：５２２−５．
Ｋａｕｆｍａｎ， Ｒ．Ｊ． １９９０． Ｖｅｃｔｏｒｓ ｕｓｅｄ ｆｏｒ ｅｘｐｒｅｓｓｉｏｎ ｉｎ ｍａｍｍａｌｉａｎ ｃｅｌｌｓ． Ｍｅｔｈｏｄｓ Ｅｎｚｙｍｏｌ． １８５：４８７−５１１．
Ｋａｕｆｍａｎ， Ｒ．Ｊ．， Ｐ． Ｍｕｒｔｈａ， Ｄ．Ｅ． Ｉｎｇｏｌｉａ， Ｃ．−Ｙ． Ｙｅｕｎｇ， 等 １９８６． Ｓｅｌｅｃｔｉｏｎ ａｎｄ ａｍｐｌｉｆｉｃａｔｉｏｎ ｏｆ ｈｅｔｅｒｏｌｏｇｏｕｓ ｇｅｎｅｓ ｅｎｃｏｄｉｎｇ ａｄｅｎｏｓｉｎｅ ｄｅａｍｉｎａｓｅ ｉｎ ｍａｍｍａｌｉａｎ ｃｅｌｌｓ． Ｐｒｏｃ． Ｎａｔｌ． Ａｃａｄ Ｓｃｉ． ＵＳＡ． ８３：３１３６−３１４０．
Ｋａｗａｉ， Ｓ．， 及び Ｍ． Ｎｉｓｈｉｚａｗａ． １９８４． Ｎｅｗ ｐｒｏｃｅｄｕｒｅ ｆｏｒ ＤＮＡ ｔｒａｎｓｆｅｃｔｉｏｎ ｗｉｔｈ ｐｏｌｙｃａｔｉｏｎ ａｎｄ ｄｉｍｅｔｈｙｌ ｓｕｌｆｏｘｉｄｅ． Ｍｏｌ． Ｃｅｌｌ． Ｂｉｏｌ． ４：１１７２．
Ｋｅｅｎ， Ｊ．， Ｄ． Ｌｅｓｔｅｒ， Ｃ． Ｉｎｇｌｅｈｅａｒｎ， Ａ． Ｃｕｒｔｉｓ， 等． １９９１． Ｒａｐｉｄ ｄｅｔｅｃｔｉｏｎ ｏｆ ｓｉｎｇｌｅ ｂａｓｅ ｍｉｓｍａｔｃｈｅｓ ａｓ ｈｅｔｅｒｏｄｕｐｌｅｘｅｓ ｏｎ Ｈｙｄｒｏｌｉｎｋ ｇｅｌｓ． Ｔｒｅｎｄｓ Ｇｅｎｅｔ． ７：５．
Ｋｅｌｌｙ， Ｊ．Ｍ．， 及びＭ．Ｊ． Ｈｙｎｅｓ． １９８５． Ｔｒａｎｓｆｏｒｍａｔｉｏｎ ｏｆ Ａｓｐｅｒｇｉｌｌｕｓ ｎｉｇｅｒ ｂｙ ｔｈｅ ａｍｄＳ ｇｅｎｅ ｏｆ Ａｓｐｅｒｇｉｌｌｕｓ ｎｉｄｕｌａｎｓ． Ｅｍｂｏ Ｊ． ４：４７５−９．
Ｋｏｓｔｅｌｎｙ， Ｓ．Ａ．， Ｍ．Ｓ． Ｃｏｌｅ， 及び Ｊ．Ｙ． Ｔｓｏ． １９９２． Ｆｏｒｍａｔｉｏｎ ｏｆ ａ ｂｉｓｐｅｃｉｆｉｃ ａｎｔｉｂｏｄｙ ｂｙ ｔｈｅ ｕｓｅ ｏｆ ｌｅｕｃｉｎｅ ｚｉｐｐｅｒｓ． Ｊ ｌｍｍｕｎｏｌ． １４８：１５４７−５３．
国際公開第９４／１６１０１号． ＤＮＡ ＳＥＱＵＥＮＣＩＮＧ ＢＹ ＭＡＳＳ ＳＰＥＣＴＲＯＭＥＴＲＹ． １９９４．
Ｋｏｚａｌ， Ｍ．Ｊ．， Ｎ． Ｓｈａｈ， Ｎ． Ｓｈｅｎ， Ｒ． Ｙａｎｇ， 等． １９９６． Ｅｘｔｅｎｓｉｖｅ ｐｏｌｙｍｏｒｐｈｉｓｍｓ  ｏｂｓｅｒｖｅｄ ｉｎ ＨＩＶ−１ ｃｌａｄｅ Ｂ ｐｒｏｔｅａｓｅ ｇｅｎｅ ｕｓｉｎｇ ｈｉｇｈ−ｄｅｎｓｉｔｙ ｏｌｉｇｏｎｕｃｌｅｏｔｉｄｅ  ａｒｒａｙｓ． Ｎａｔ Ｍｅｄ． ２：７５３−９．
Ｋｏｚｂｏｒ， Ｄ．， Ｐ． Ｔｒｉｐｐｕｔｉ， Ｊ．Ｃ． Ｒｏｄｅｒ， 及び Ｃ．Ｍ． Ｃｒｏｃｅ． １９８４． Ａ ｈｕｍａｎ ｈｙｂｒｉｄ ｍｙｅｌｏｍａ  ｆｏｒ ｐｒｏｄｕｃｔｉｏｎ ｏｆ ｈｕｍａｎ ｍｏｎｏｃｌｏｎａｌ ａｎｔｉｂｏｄｉｅｓ． Ｊ Ｉｍｍｕｎｏｌ． １３３：３００１−５．
Ｋｒｉｅｇｌｅｒ， Ｍ． １９９０． Ｇｅｎｅ ｔｒａｎｓｆｅｒ 及び ｅｘｐｒｅｓｓｉｏｎ： Ａ ｌａｂｏｒａｔｏｒｙ ｍａｎｕａｌ． ＳｔｏｃｋｔｏｎＰｒｅｓｓ， Ｎｅｗ Ｙｏｒｋ． ２４２ ｐｐ．
国際公開第 ９１／０１１４０号 ＨＯＭＯＬＯＧＯＵＳ ＲＥＣＯＭＢＩＮＡＴＩＯＮ ＦＯＲ ＵＮＩＶＥＲＳＡＬ ＤＯＮＯＲ  ＣＥＬＬＳ ＡＮＤ ＣＨＩＭＥＲＩＣ ＭＡＭＭＡＬＩＡＮ ＨＯＳＴＳ． １９９１．
Ｋｗｏｈ， Ｄ．Ｙ．， Ｇ．Ｒ． Ｄａｖｉｓ， Ｋ．Ｍ． Ｗｈｉｔｆｉｅｌｄ， Ｈ．Ｌ． Ｃｈａｐｐｅｌｌｅ， 等 １９８９． Ｔｒａｎｓｃｒｉｐｔｉｏｎ−ｂａｓｅｄ ａｍｐｌｉｆｉｃａｔｉｏｎ ｓｙｓｔｅｍ ａｎｄ ｄｅｔｅｃｔｉｏｎ ｏｆ ａｍｐｌｉｆｉｅｄ ｈｕｍａｎ ｉｍｍｕｎｏｄｅｆｉｃｉｅｎｃｙ ｖｉｒｕｓ ｔｙｐｅ １ ｗｉｔｈ ａ ｂｅａｄ−ｂａｓｅｄ ｓａｎｄｗｉｃｈ ｈｙｂｒｉｄｉｚａｔｉｏｎ ｆｏｒｍａｔ． Ｐｒｏｃ Ｎａｔｌ Ａｃａｄ Ｓｃｉ ＵＳＡ． ８６：１１７３−７．
米国特許５，２２３，４０９号 Ｄｉｒｅｃｔｅｄ ｅｖｏｌｕｔｉｏｎ ｏｆ ｎｏｖｅｌ ｂｉｎｄｉｎｇ ｐｒｏｔｅｉｎｓ． １９９３．
Ｌａｋｓｏ， Ｍ．， Ｂ． Ｓａｕｅｒ， Ｂ． Ｍｏｓｉｎｇｅｒ， Ｅ．Ｊ． Ｌｅｅ， 等． １９９２． Ｔａｒｇｅｔｅｄ ｏｎｃｏｇｅｎｅ ａｃｔｉｖａｔｉｏｎ  ｂｙ ｓｉｔｅ−ｓｐｅｃｉｆｉｃ ｒｅｃｏｍｂｉｎａｔｉｏｎ ｉｎ ｔｒａｎｓｇｅｎｉｃ ｍｉｃｅ． Ｐｒｏｃ Ｎａｔｌ Ａｃａｄ Ｓｃｉ ＵＳＡ．  ８９：６２３２−６．
Ｌａｍ， Ｋ．Ｓ． １９９７． Ａｐｐｌｉｃａｔｉｏｎ ｏｆ ｃｏｍｂｉｎａｔｏｒｉａｌ ｌｉｂｒａｒｙ ｍｅｔｈｏｄｓ ｉｎ ｃａｎｃｅｒ ｒｅｓｅａｒｃｈ ａｎｄ ｄｒｕｇ ｄｉｓｃｏｖｅｒｙ． Ａｎｔｉｃａｎｃｅｒ Ｄｒｕｇ Ｄｅｓｉｇｎ． １２：１４５−１６７．
Ｌａｍ， Ｋ．Ｓ．， Ｓ．Ｅ． Ｓａｌｍｏｎ， Ｅ．Ｍ． Ｈｅｒｓｈ， Ｖ．Ｊ． Ｈｒｕｂｙ， 等． １９９１． Ｇｅｎｅｒａｌ ｍｅｔｈｏｄ ｆｏｒ ｒａｐｉｄ ｓｙｎｔｈｅｓｉｓ ｏｆ ｍｕｌｔｉｃｏｍｐｏｎｅｎｔ ｐｅｐｔｉｄｅ ｍｉｘｔｕｒｅｓ． Ｎａｔｕｒｅ． ３５４：８２−８４．
Ｌａｎｄｅｇｒｅｎ， Ｕ．， Ｒ． Ｋａｉｓｅｒ， Ｊ． Ｓａｎｄｅｒｓ，及びＬ． Ｈｏｏｄ． １９８８． Ａ ｌｉｇａｓｅ−ｍｅｄｉａｔｅｄ ｇｅｎｅ ｄｅｔｅｃｔｉｏｎ ｔｅｃｈｎｉｑｕｅ． Ｓｃｉｅｎｃｅ． ２４１：１０７７−８０．
国際公開第 ９０／１１３５４号 Ｐｒｏｃｅｓｓ ｆｏｒ ｔｈｅ ｓｐｅｃｉｆｉｃ ｒｅｐｌａｃｅｍｅｎｔ ｏｆ ａ ｃｏｐｙ ｏｆ ａ ｇｅｎｅ ｐｒｅｓｅｎｔ ｉｎ ｔｈｅ ｒｅｃｅｉｖｅｒ ｇｅｎｏｍｅ ｖｉａ ｔｈｅ ｉｎｔｅｇｒａｔｉｏｎ ｏｆ ａ ｇｅｎｅ． １９９０．
米国特許 ４，７３６，８６６号 Ｔｒａｎｓｇｅｎｉｃ ｎｏｎ−ｈｕｍａｎ ａｎｉｍａｌｓ． １９８８
Ｌｅｄｕｃ， Ｎ．， 及び ｅ． ａｌ． １９９６． Ｉｓｏｌａｔｅｄ ｍａｉｚｅ ｚｙｇｏｔｅｓ ｍｉｍｉｃ ｉｎ ｖｉｖｏ ｅｍｂｒｙｏｇｅｎｉｃ  ｄｅｖｅｌｏｐｍｅｎｔ ａｎｄ ｅｘｐｒｅｓｓ ｍｉｃｒｏｉｎｊｅｃｔｅｄ ｇｅｎｅｓ ｗｈｅｎ ｃｕｌｔｕｒｅｄ ｉｎ ｖｉｔｒｏ． Ｄｅｖ． Ｂｉｏｌ． １０：１９０−２０３．
Ｌｅｅ， Ｊ．Ｓ．， Ｄ．Ａ． Ｊｏｈｎｓｏｎ， 及び Ａ．Ｒ． Ｍｏｒｇａｎ． １９７９． Ｃｏｍｐｌｅｘｅｓ ｆｏｒｍｅｄ ｂｙ （ｐｙｒｍｉｄｉｎｅ）ｎ． （ｐｕｒｉｎｅ）ｎ ＤＮＡｓ ｏｎ ｌｏｗｅｒｉｎｇ ｔｈｅ ｐＨ ａｒｅ ｔｈｒｅｅ−ｓｔｒａｎｄｅｄ． Ｎｕｃｌｅｉｃ Ａｃｉｄｓ Ｒｅｓ． ６：３０７３−９１．
Ｌｅｅ， Ｖ．Ｈ．Ｌ． １９９０． Ｐｅｐｔｉｄｅ ａｎｄ ｐｒｏｔｅｉｎ ｄｒｕｇ ｄｅｌｉｖｅｒｙ． Ｍａｒｃｅｌ Ｄｅｋｋｅｒ， Ｎｅｗ Ｙｏｒｋ， ＮＹ．
Ｌｅｍａｉｔｒｅ， Ｍ．， Ｂ． Ｂａｙａｒｄ， 及び Ｂ． Ｌｅｂｌｅｕ． １９８７． Ｓｐｅｃｉｆｉｃ ａｎｔｉｖｉｒａｌ ａｃｔｉｖｉｔｙ ｏｆ ａ ｐｏｌｙ（Ｌ−ｌｙｓｉｎｅ）−ｃｏｎｊｕｇａｔｅｄ ｏｌｉｇｏｄｅｏｘｙｒｉｂｏｎｕｃｌｅｏｔｉｄｅ ｓｅｑｕｅｎｃｅ ｃｏｍｐｌｅｍｅｎｔａｒｙ ｔｏ ｖｅｓｉｃｕｌａｒ ｓｔｏｍａｔｉｔｉｓ ｖｉｒｕｓ Ｎ ｐｒｏｔｅｉｎ ｍＲＮＡ ｉｎｉｔｉａｔｉｏｎ ｓｉｔｅ． Ｐｒｏｃ Ｎａｔｌ Ａｃａｄ Ｓｃｉ ＵＳＡ． ８４：６４８−５２．
Ｌｅｍｉｓｃｈｋａ， Ｉ．Ｒ．， Ｄ．Ｈ． Ｒａｕｌｅｔ， 及び Ｒ．Ｃ． Ｍｕｌｌｉｇａｎ． １９８６． Ｄｅｖｅｌｏｐｍｅｎｔａｌ ｐｏｔｅｎｔｉａｌ ａｎｄ ｄｙｎａｍｉｃ ｂｅｈａｖｉｏｒ ｏｆ ｈｅｍａｔｏｐｏｉｅｔｉｃ ｓｔｅｍ ｃｅｌｌｓ． Ｃｅｌｌ． ４５：９１７−９２７．
Ｌｅｔｓｉｎｇｅｒ， Ｒ．Ｌ．， Ｇ．Ｒ． Ｚｈａｎｇ， Ｄ．Ｋ． Ｓｕｎ， Ｔ． Ｉｋｅｕｃｈｉ， 等． １９８９． Ｃｈｏｌｅｓｔｅｒｙｌ−ｃｏｎｊｕｇａｔｅｄ ｏｌｉｇｏｎｕｃｌｅｏｔｉｄｅｓ： ｓｙｎｔｈｅｓｉｓ， ｐｒｏｐｅｒｔｉｅｓ， 及び ａｃｔｉｖｉｔｙ ａｓ ｉｎｈｉｂｉｔｏｒｓ ｏｆ ｒｅｐｌｉｃａｔｉｏｎ ｏｆ ｈｕｍａｎ ｉｍｍｕｎｏｄｅｆｉｃｉｅｎｃｙ ｖｉｒｕｓ ｉｎ ｃｅｌｌ ｃｕｌｔｕｒｅ． Ｐｒｏｃ Ｎａｔｌ Ａｃａｄ Ｓｃｉ ＵＳＡ． ８６：６５５３−６．
Ｌｉ， Ｅ．， Ｔ．Ｈ． Ｂｅｓｔｏｒ， 及び Ｒ． Ｊａｅｎｉｓｃｈ． １９９２． Ｔａｒｇｅｔｅｄ ｍｕｔａｔｉｏｎ ｏｆ ｔｈｅ ＤＮＡ ｍｅｔｈｙｌｔｒａｎｓｆｅｒａｓｅ ｇｅｎｅ ｒｅｓｕｌｔｓ ｉｎ ｅｍｂｒｙｏｎｉｃ ｌｅｔｈａｌｉｔｙ． Ｃｅｌｌ． ６９：９１５−２６．
Ｌｉｎｄｅｒ， Ｍ．Ｗ．， Ｒ．Ａ． Ｐｒｏｕｇｈ， 及び Ｒ． Ｖａｌｄｅｓ． １９９７． Ｐｈａｒｍａｃｏｇｅｎｅｔｉｃｓ： ａ ｌａｂｏｒａｔｏｒｙ ｔｏｏｌ ｆｏｒ ｏｐｔｉｍｉｚｉｎｇ ｔｈｅｒａｐｅｕｔｉｃ ｅｆｆｉｃｉｅｎｃｙ． Ｃｌｉｎ Ｃｈｅｍ． ４３：２５４−６６．
Ｌｉｔｔｌｅｆｉｅｌｄ， Ｊ．Ｗ． １９６４． Ｓｅｌｅｃｔｉｏｎ ｏｆ ｈｙｂｒｉｄｓ ｆｒｏｍ ｍａｔｉｎｇｓ ｏｆ ｆｉｂｒｏｂｌａｓｔｓ ｉｎ ｖｉｔｒｏ ａｎｄ ｔｈｅｉｒ ｐｒｅｓｕｍｅｄ ｒｅｃｏｍｂｉｎａｎｔｓ． Ｓｃｉｅｎｃｅ． １４５：７０９−７１０．
Ｌｉｚａｒｄｉ， Ｐ．Ｍ．， Ｃ．Ｅ． Ｇｕｅｒｒａ， Ｈ． Ｌｏｍｅｌｉ， Ｉ． Ｔｕｓｓｉｅ−Ｌｕｎａ， 等 １９８８． Ｅｘｐｏｎｅｎｔｉａｌ ａｍｐｌｉｆｉｃａｔｉｏｎ ｏｆ ｒｅｃｏｍｂｉｎａｎｔ−ＲＮＡ ｈｙｂｒｉｄｉｚａｔｉｏｎ ｐｒｏｂｅｓ． Ｂｉｏｔｅｃｈｎｏｌｏｇｙ． ６：１１９７−１２０２．
Ｌｏｐａｔａ， Ｍ．Ａ．， Ｄ．Ｗ． Ｃｌｅｖｅｌａｎｄ， 及び Ｂ． Ｓｏｌｌｎｅｒ−Ｗｅｂｂ． １９８４． Ｈｉｇｈ−ｌｅｖｅｌ ｅｘｐｒｅｓｓｉｏｎ ｏｆ ａ ｃｈｌｏｒａｍｐｈｅｎｉｃｏｌ ａｃｅｔｙｌｔｒａｎｓｆｅｒａｓｅ ｇｅｎｅ ｂｙ ＤＥＡＥｄｅｘｔｒａｎ−ｍｅｄｉａｔｅｄ ＤＮＡ ｔｒａａｎｓｆｅｃｔｉｏｎ ｃｏｕｌｅｄ ｗｉｔｈ ａ ｄｉｍｅｔｈｙｌｓｕｌｆｏｘｉｄｅ ｏｒ ｇｌｙｃｅｒｏｌ ｓｈｏｃｋ ｔｒｅａｔｍｅｎｔ． Ｎｕｃｌｅｉｃ Ａｃｉｄｓ Ｒｅｓｅａｒｃｈ． １２：５７０７．
Ｌｕｃｋｏｗ， Ｖ．Ａ． １９９１． Ｃｌｏｎｉｎｇ 及び ｅｘｐｒｅｓｓｉｏｎ ｏｆ ｈｅｔｅｒｏｌｏｇｏｕｓ ｇｅｎｅｓ ｉｎ ｉｎｓｅｃｔ ｃｅｌｌｓ ｗｉｔｈ ｂａｃｕｌｏｖｉｒｕｓ ｖｅｃｔｏｒｓ． Ｉｎ Ｒｅｃｏｍｂｉｎａｎｔ ＤＮＡ ｔｅｃｈｎｏｌｏｇｙ ａｎｄ ａｐｐｌｉｃａｔｉｏｎｓ． Ａ． Ｐｒｏｋｏｐ， Ｒ．Ｋ． Ｂａｊｐａｉ， ａｎｄ Ｃ． Ｈｏ， ｅｄｉｔｏｒｓ． ＭｃＧｒａｗ−Ｈｉｌｌ， Ｎｅｗ Ｙｏｒｋ． ９７−１５２．
Ｍａｄｕｒａ， Ｋ．， Ｒ．Ｊ． Ｄｏｈｍｅｎ，及びＡ． Ｖａｒｓｈａｖｓｋｙ． １９９３． Ｎ−ｒｅｃｏｇｎｉｎ／Ｕｂｃ２ ｉｎｔｅｒａｃｔｉｏｎｓ ｉｎ ｔｈｅ Ｎ−ｅｎｄ ｒｕｌｅ ｐａｔｈｗａｙ． Ｊ Ｂｉｏｌ Ｃｈｅｍ． ２６８：１２０４６−５４．
Ｍａｈｅｒ， Ｌ．Ｊ． １９９２． ＤＮＡ ｔｒｉｐｌｅ−ｈｅｌｉｘ ｆｏｒｍａｔｉｏｎ： ａｎ ａｐｐｒｏａｃｈ ｔｏ ａｒｔｉｆｉｃｉａｌ ｇｅｎｅ ｒｅｐｒｅｓｓｏｒｓ？ Ｂｉｏｅｓｓａｙｓ． １４：８０７−１５．
Ｍａｎｄｅｌ， Ｍ．， 及び Ａ． Ｈｉｇａ． １９７０． Ｃａｌｃｉｕｍ−ｄｅｐｅｎｄｅｎｔ ｂａｃｔｅｒｉｏｐｈａｇｅ ＤＮＡ ｉｎｆｅｃｔｉｏｎ． Ｊ． Ｍｏｌ． ｂｉｏｌ． ５３：１５９−１６２．
Ｍａｒａｓｃｏ， Ｗ．Ａ．， Ｗ．Ａ． Ｈａｓｅｌｔｉｎｅ， 及び Ｓ．Ｙ． Ｃｈｅｎ． １９９３． Ｄｅｓｉｇｎ， ｉｎｔｒａｃｅｌｌｕｌａｒ  ｅｘｐｒｅｓｓｉｏｎ， ａｎｄ ａｃｔｉｖｉｔｙ ｏｆ ａ ｈｕｍａｎ ａｎｔｉ−ｈｕｍａｎ ｉｍｍｕｎｏｄｅｆｉｃｉｅｎｃｙ ｖｉｒｕｓ ｔｙｐｅ １ ｇｐ ｌ２０ ｓｉｎｇｌｅ−ｃｈａｉｎ ａｎｔｉｂｏｄｙ． Ｐｒｏｃ Ｎａｔｌ Ａｃａｄ Ｓｃｉ ＵＳＡ． ９０：７８８９−９３．
Ｍａｒｋｓ， Ｊ．Ｄ．， Ｈ．Ｒ． Ｈｏｏｇｅｎｂｏｏｍ， Ｔ．Ｐ． Ｂｏｎｎｅｒｔ， Ｊ． ＭｃＣａｆｆｅｒｔｙ， 等 １９９１． Ｂｙ−ｐａｓｓｉｎｇ ｉｍｍｕｎｉｚａｔｉｏｎ． Ｈｕｍａｎ ａｎｔｉｂｏｄｉｅｓ ｆｒｏｍ Ｖ−ｇｅｎｅ ｌｉｂｒａｒｉｅｓ ｄｉｓｐｌａｙｅｄ ｏｎ ｐｈａｇｅ． Ｊ Ｍｏｌ Ｂｉｏｌ． ２２２：５８１−９７．
Ｍａｒｔｉｎ， Ｆ．Ｊ．， 及び Ｄ． Ｐａｐａｈａｄｊｏｐｏｕｌｏｓ． １９８２． Ｉｒｒｅｖｅｒｓｉｂｌｅ ｃｏｕｐｌｉｎｇ ｏｆ ｉｍｍｕｎｏｇｌｏｂｕｌｉｎ ｆｒａｇｍｅｎｔｓ ｔｏ ｐｒｅｆｏｒｍｅｄ ｖｅｓｉｃｌｅｓ． Ａｎ ｉｍｐｒｏｖｅｄ ｍｅｔｈｏｄ ｆｏｒ ｌｉｐｏｓｏｍｅ ｔａｒｇｅｔｉｎｇ． Ｊ Ｂｉｏｌ Ｃｈｅｍ． ２５７：２８６−８．
Ｍａｘａｍ， Ａ．Ｍ．， 及び Ｗ． Ｇｉｌｂｅｒｔ． １９７７． Ａ ｎｅｗ ｍｅｔｈｏｄ ｆｏｒ ｓｅｑｕｅｎｃｉｎｇ ＤＮＡ． Ｐｒｏｃ Ｎａｔｌ Ａｃａｄ Ｓｃｉ ＵＳＡ． ７４：５６０−４
Ｍｉｌｌｅｒ， Ａ．Ｄ．， 及び Ｃ． Ｂｕｔｔｉｍｏｒｅ． １９８６． Ｒｅｄｅｓｉｇｎ ｏｆ ｒｅｔｒｏｖｉｒｕｓ ｐａｃｋａｇｉｎｇ ｃｅｌｌ ｌｉｎｅｓ ｔｏ ａｖｏｉｄ ｒｅｃｏｍｂｉｎａｔｉｏｎ ｌｅａｄｉｎｇ ｔｏ ｈｅｌｐｅｒ ｖｉｒｕｓ ｐｒｏｄｕｃｔｉｏｎ． Ｍｏｌ． Ｃｅｌｌ ｂｉｏｌ ６：２８９５−２９０２．
Ｍｉｌｌｅｒ， Ｌ．Ｋ． １９８８． Ｂａｃｕｌｏｖｉｒｕｓｅｓ ａｓ ｇｅｎｅ ｅｘｐｒｅｓｓｉｏｎ ｖｅｃｔｏｒｓ． Ａｎｎｕ． Ｒｅｖ． Ｍｉｃｒｏｂｉｏｌ． ４２：１７７−１９９．
Ｍｉｌｓｔｅｉｎ， Ｃ．， 及び Ａ．Ｃ． Ｃｕｅｌｌｏ． １９８３． Ｈｙｂｒｉｄ ｈｙｂｒｉｄｏｍａｓ ａｎｄ ｔｈｅｉｒ ｕｓｅ ｉｎ ｉｍｍｕｎｏｈｉｓｔｏｃｈｅｍｉｓｔｒｙ． Ｎａｔｕｒｅ． ３０５：５３７−４０．
米国特許 ５，４５９，０３９号． Ｍｅｔｈｏｄｓ ｆｏｒ ｍａｐｐｉｎｇ ｇｅｎｅｔｉｃ ｍｕｔａｔｉｏｎｓ． １９９５．
Ｍｏｒｒｉｓｏｎ， Ｓ．Ｌ．， Ｌ． Ｗｉｍｓ， Ｓ． Ｗａｌｌｉｃｋ， Ｌ． Ｔａｎ， 等． １９８７． Ｇｅｎｅｔｉｃａｌｌｙ ｅｎｇｉｎｅｅｒｅｄ ａｎｔｉｂｏｄｙ ｍｏｌｅｃｕｌｅｓ ａｎｄ ｔｈｅｉｒ ａｐｐｌｉｃａｔｉｏｎ． Ａｎｎ ＮＹ Ａｃａｄ Ｓｃｉ． ５０７：１８７−９８．
米国特許 ４，６８３，２０２号 Ｐｒｏｃｅｓｓ ｆｏｒ ａｍｐｌｉｆｙｉｎｇ ｎｕｃｌｅｉｃ ａｃｉｄ ｓｅｑｕｅｎｃｅｓ． １９８７．
米国特許 ４，６８３，１９５号 Ｐｒｏｃｅｓｓ ｆｏｒ ａｍｐｌｉｆｙｉｎｇ， ｄｅｔｅｃｔｉｎｇ， ａｎｄ／ｏｒ ｃｌｏｎｉｎｇ ｎｕｃｌｅｉｃ ａｃｉｄ ｓｅｑｕｅｎｃｅｓ． １９８７．
Ｍｕｎｓｏｎ， Ｐ．Ｊ．， 及び Ｄ． Ｒｏｄｂａｒｄ． １９８０． Ｌｉｇａｎｄ： ａ ｖｅｒｓａｔｉｌｅ ｃｏｍｐｕｔｅｒｉｚｅｄ ａｐｐｒｏａｃｈ ｆｏｒ ｃｈａｒａｃｔｅｒｉｚａｔｉｏｎ ｏｆ ｌｉｇａｎｄ−ｂｉｎｄｉｎｇ ｓｙｓｔｅｍｓ． Ａｎａｌ Ｂｉｏｃｈｅｍ． １０７：２２０−３９．
Ｍｙｅｒｓ， Ｒ．Ｍ．， Ｚ． Ｌａｒｉｎ， 及び Ｔ． Ｍａｎｉａｔｉｓ． １９８５． Ｄｅｔｅｃｔｉｏｎ ｏｆ ｓｉｎｇｌｅ ｂａｓｅ ｓｕｂｓｔｉｔｕｔｉｏｎｓ ｂｙ ｒｉｂｏｎｕｃｌｅａｓｅ ｃｌｅａｖａｇｅ ａｔ ｍｉｓｍａｔｃｈｅｓ ｉｎ ＲＮＡ：ＤＮＡ ｄｕｐｌｅｘｅｓ． Ｓｃｉｅｎｃｅ． ２３０：１２４２−６．
米国特許 ５，３２８，４７０号 Ｔｒｅａｔｍｅｎｔ ｏｆ ｄｉｓｅａｓｅｓ ｂｙ ｓｉｔｅ−ｓｐｅｃｉｆｉｃ ｉｎｓｔｉｌｌａｔｉｏｎ ｏｆ ｃｅｌｌｓ ｏｒ ｓｉｔｅ−ｓｐｅｃｉｆｉｃ ｔｒａｎｓｆｏｒｍａｔｉｏｎ ｏｆ ｃｅｌｌｓ ａｎｄ ｋｉｔｓ ｔｈｅｒｅｆｏｒ． １９９４．
Ｎａｅｖｅ， Ｃ．Ｗ．， Ｇ．Ａ． Ｂｕｃｋ， Ｒ．Ｌ． Ｎｉｅｃｅ， Ｒ．Ｔ． Ｐｏｎ， 等． １９９５． Ａｃｃｕｒａｃｙ ｏｆ ａｕｔｏｍａｔｅｄ ＤＮＡ ｓｅｑｕｅｎｃｉｎｇ： ａ ｍｕｌｔｉ−ｌａｂｏｒａｔｏｒｙ ｃｏｍｐａｒｉｓｏｎ ｏｆ ｓｅｑｕｅｎｃｉｎｇ ｒｅｓｕｌｔｓ． Ｂｉｏｔｅｃｈｎｉｑｕｅｓ． １９：４４８−５３．
Ｎａｋａｉ， Ｋ．， 及び Ｐ． Ｈｏｒｔｏｎ． １９９９． ＰＳＯＲＴ： ａ ｐｒｏｇｒａｍ ｆｏｒ ｄｅｔｅｃｔｉｎｇ ｓｏｒｔｉｎｇ ｓｉｇｎａｌｓ ｉｎ ｐｒｏｔｅｉｎｓ ａｎｄ ｐｒｅｄｉｃｔｉｎｇ ｔｈｅｉｒ ｓｕｂｃｅｌｌｕｌａｒ ｌｏｃａｌｉｚａｔｉｏｎ． Ｔｒｅｎｄｓ Ｂｉｏｃｈｅｍ Ｓｃｉ． ２４：３４−６．
Ｎａｋａｚａｗａ， Ｈ．， Ｄ． Ｅｎｇｌｉｓｈ， Ｐ．Ｌ． Ｒａｎｄｅｌｌ， Ｋ． Ｎａｋａｚａｗａ， 等 １９９４． ＵＶ ａｎｄ ｓｋｉｎ ｃａｎｃｅｒ： ｓｐｅｃｉｆｉｃ ｐ５３ ｇｅｎｅ ｍｕｔａｔｉｏｎ ｉｎ ｎｏｒｍａｌ ｓｋｉｎ ａｓ ａ ｂｉｏｌｏｇｉｃａｌｌｙ ｒｅｌｅｖａｎｔ ｅｘｐｏｓｕｒｅ ｍｅａｓｕｒｅｍｅｎｔ． Ｐｒｏｃ Ｎａｔｌ Ａｃａｄ Ｓｃｉ ＵＳＡ． ９１：３６０−４．
Ｎｅｕｍａｎｎ， Ｅ．， Ｍ． Ｓｃｈａｅｆｅｒ−Ｒｉｄｄｅｒ， Ｙ． Ｗａｎｇ， 及び Ｐ．Ｈ． Ｈｏｆｓｃｈｎｅｉｄｅｒ． １９８２． Ｇｅｎｅ ｔｒａｎｓｆｅｒ ｉｎｔｏ ｍｏｕｓｅ ｌｙｏｍａ ｃｅｌｌｓ ｂｙ ｅｌｅｃｔｒｏｐｏｒａｔｉｏｎ ｉｎ ｈｉｇｈ ｅｌｅｃｔｒｉｃ ｆｉｅｌｄｓ． ＥＭＢＯ Ｊ． １：８４１−８４５．
Ｏ’Ｇｏｒｍａｎ， Ｓ．， Ｄ．Ｔ． Ｆｏｘ， 及び Ｇ．Ｍ． Ｗａｈｌ． １９９１． Ｒｅｃｏｍｂｉｎａｓｅ−ｍｅｄｉａｔｅｄ ｇｅｎｅ ａｃｔｉｖａｔｉｏｎ ａｎｄ ｓｉｔｅ−ｓｐｅｃｉｆｉｃ ｉｎｔｅｇｒａｔｉｏｎ ｉｎ ｍａｍｍａｌｉａｎ ｃｅｌｌｓ． Ｓｃｉｅｎｃｅ． ２５１：１３５１−５．
Ｏｋａｎｏ， Ｈ．， Ｊ． Ａｒｕｇａ， Ｔ． Ｎａｋａｇａｗａ， Ｃ． Ｓｈｉｏｔａ， 等 １９９１． Ｍｙｅｌｉｎ ｂａｓｉｃ ｐｒｏｔｅｉｎ ｇｅｎｅ ａｎｄ ｔｈｅ ｆｕｎｃｔｉｏｎ ｏｆ ａｎｔｉｓｅｎｓｅ ＲＮＡ ｉｎ ｉｔｓ ｒｅｐｒｅｓｓｉｏｎ ｉｎ ｍｙｅｌｉｎ−ｄｅｆｉｃｉｅｎｔ ｍｕｔａｎｔ ｍｏｕｓｅ． Ｊ Ｎｅｕｒｏｃｈｅｍ． ５６：５６０−７．
Ｏ’Ｒｅｉｌｌｙ， Ｄ．Ｒ．， Ｌ．Ｋ． Ｍｉｌｌｅｒ， 及び Ｖ．Ａ． Ｌｕｃｋｏｗ． １９９２． Ｂａｃｕｌｏｖｉｒｕｓ ｅｘｐｒｅｓｓｉｏｎ ｖｅｃｔｏｒｓ． Ｗ．Ｈ． Ｆｒｅｅｍａｎ ａｎｄ Ｃｏｍｐａｎｙ， Ｎｅｗ Ｙｏｒｋ．
Ｏｒｉｔａ， Ｍ．， Ｈ． Ｉｗａｈａｎａ， Ｈ． Ｋａｎａｚａｗａ， Ｋ． Ｈａｙａｓｈｉ， 等． １９８９． Ｄｅｔｅｃｔｉｏｎ ｏｆ ｐｏｌｙｍｏｒｐｈｉｓｍｓ ｏｆ ｈｕｍａｎ ＤＮＡ ｂｙ ｇｅｌ ｅｌｅｃｔｒｏｐｈｏｒｅｓｉｓ ａｓ ｓｉｎｇｌｅ−ｓｔｒａｎｄ ｃｏｎｆｏｒｍａｔｉｏｎ ｐｏｌｙｍｏｒｐｈｉｓｍｓ． Ｐｒｏｃ Ｎａｔｌ Ａｃａｄ Ｓｃｉ ＵＳ Ａ． ８６：２７６６−７０．
Ｏｕ−Ｌｅｅ， Ｔ．Ｍ．， Ｒ． Ｔｕｒｇｅｏｎ， 及び Ｒ． Ｗｕ． １９８６． Ｕｐｔａｋｅ ａｎｄ ｅｘｐｒｅｓｓｉｏｎ ｏｆ ａ ｆｏｒｅｉｇｎ ｇｅｎｅ ｌｉｎｋｅｄ ｔｏ ｅｉｔｈｅｒ ａ ｐｌａｎｔ ｖｉｒｕｓ ｏｒ Ｄｒｏｓｏｐｈｉｌａ ｐｒｏｍｏｔｅｒ ｉｎ ｐｒｏｔｏｐｌａｓｔｓ ｏｆ ｒｉｃｅ， ｗｈｅａｔ ａｎｄ ｓｏｒｇｈｕｍ． Ｐｒｏｃ． Ｎａｔｌ． Ａｃａｄ Ｓｃｉ． ＵＳＡ． ８３：６８１５−６８１９．
Ｐａｌｍｅｒ， Ｔ．Ｄ．， Ｒ．Ａ． Ｈｏｃｋ， Ｗ．Ｒ．Ａ． ｏｓｂｏｒｎｅ， 及び Ａ．Ｄ． Ｍｉｌｌｅｒ． １９８７． Ｅｆｆｉｃｉｅｎｔ ｒｅｔｒｏｖｉｒｕｓ−ｍｅｄｉａｔｅｄ ｔｒａｎｓｆｅｒ ａｎｄ ｅｘｐｒｅｓｓｉｏｎ ｏｆ ａ ｈｕｍａｎ ａｄｅｎｏｓｉｎｅ ｄｅａｍｉｎａｓｅ ｇｅｎｅ ｉｎ ｄｉｐｌｏｉｄ ｓｋｉｎ ｆｉｂｒｏｂｌａｓｔｓ ｆｒｏｍ ａｎ ａｄｅｎｏｓｉｅ−ｄｅｆｉｃｉｅｎｔ ｈｕｍａｎ． Ｐｒｏｃ． Ｎａｔｌ． Ａｃａｄ Ｓｃｉ． ＵＳＡ． ８４：１０５５−１０５９．
Ｐｅａｒ， Ｗ．， Ｇ． Ｎｏｌａｎ， Ｍ． Ｓｃｏｔｔ， 及び Ｄ． Ｂａｌｔｉｍｏｒｅ． １９９３． Ｐｒｏｄｕｃｔｉｏｎ ｏｆ ｈｉｇｈ−ｔｉｔｅｒ ｈｅｌｐｅｒ−ｆｒｅｅ ｒｅｔｒｏｖｉｒｕｓｅｓ ｂｙ ｔｒａｎｓｉｅｎｔ ｔｒａｎｓｆｅｃｔｉｏｎ． Ｐｒｏｃ． Ｎａｔｌ． Ａｃａｄ Ｓｃｉ． ＵＳＡ． ９０：８３９２−８３９６．
Ｐｅｎｎｉｃａ， Ｄ．， Ｔ．Ａ． Ｓｗａｎｓｏｎ， Ｊ．Ｗ． Ｗｅｌｓｈ， Ｍ．Ａ． Ｒｏｙ，等 １９９８． ＷＩＳＰ ｇｅｎｅｓ ａｒｅ ｍｅｍｂｅｒｓ ｏｆ ｔｈｅ ｃｏｎｎｅｃｔｉｖｅ ｔｉｓｓｕｅ ｇｒｏｗｔｈ ｆａｃｔｏｒ ｆａｍｉｌｙ ｔｈａｔ ａｒｅ ｕｐ−ｒｅｇｕｌａｔｅｄ ｉｎ ｗｎｔ−１−ｔｒａｎｓｆｏｒｍｅｄ ｃｅｌｌｓ ａｎｄ ａｂｅｒｒａｎｔｌｙ ｅｘｐｒｅｓｓｅｄ ｉｎ ｈｕｍａｎ ｃｏｌｏｎ ｔｕｍｏｒｓ． Ｐｒｏｃ Ｎａｔｌ Ａｃａｄ Ｓｃｉ Ｕ Ｓ Ａ． ９５：１４７１７−２２．
Ｐｅｒｒｙ−Ｏ’Ｋｅｅｆｅ， Ｈ．， Ｘ．Ｗ． Ｙａｏ， Ｊ．Ｍ． Ｃｏｕｌｌ， Ｍ． Ｆｕｃｈｓ． 等 １９９６． Ｐｅｐｔｉｄｅ ｎｕｃｌｅｉｃ ａｃｉｄ ｐｒｅ−ｇｅｌ ｈｙｂｒｉｄｉｚａｔｉｏｎ： ａｎ ａｌｔｅｒｎａｔｉｖｅ ｔｏ ｓｏｕｔｈｅｒｎ ｈｙｂｒｉｄｉｚａｔｉｏｎ． Ｐｒｏｃ Ｎａｔｌ Ａｃａｄ Ｓｃｉ ＵＳＡ． ９３：１４６７０−５．
Ｐｅｔｅｒｓｅｎ， Ｋ．Ｈ．， Ｄ．Ｋ． Ｊｅｎｓｅｎ， Ｍ． Ｅｇｈｏｌｍ， ０． Ｂｕｃｈａｒｄｔ， 等 １９７６． Ａ ＰＮＡ−ＤＮＡ ｌｉｎｋｅｒ ｓｙｎｔｈｅｓｉｓ ｏｆ Ｎ−（（４，４’−ｄｉｍｅｔｈｏｘｙｔｒｉｔｙｌｏｘｙ）ｅｈｔｙ１）−Ｎ−（ｔｈｙｍｉｎ−１−ｙｌａｃｅｔｙｌ）ｇｌｙｃｉｎｅ． Ｂｉｏｒｇａｎｉｃ ａｎｄ Ｍｅｄｉｃｉａｎｌ Ｃｈｅｍｉｓｔｒｙ Ｌｅｔｔｅｒｓ． ５：１１１９−１１２４．
Ｐｏｔｔｅｒ， Ｈ． １９８８． Ｅｌｅｃｔｒｏｐｏｒａｔｉｏｎ ｉｎ ｂｉｏｌｏｇｙ： Ｍｅｔｈｏｄｓ， ａｐｐｌｉｃａｔｉｏｎｓ， ａｎｄ ｉｎｓｔｒｕｍｅｎｔａｔｉｏｎ． Ａｎａｌｙｔｉｃａｌ Ｂｉｏｃｈｅｍｉｓｔｒｙ． １７４：３６１−３７３．
Ｐｏｔｔｅｒ， Ｈ．， Ｌ． Ｗｅｉｒ， 及び Ｐ． Ｌｅｄｅｒ． １９８４． Ｅｎｈａｎｃｅｒ−ｄｅｐｅｎｄｅｎｔ ｅｘｐｒｅｓｓｉｏｎ ｏｆ ｈｕｍａｎ ｋａｐｐａ ｉｍｍｕｎｏｇｌｏｂｕｌｉｎ ｇｅｎｅｓ ｉｎｔｒｏｄｕｃｅｄ ｉｎｔｏ ｍｏｕｓｅ ｐｒｅ−Ｂ ｌｙｍｐｈｏｃｙｔｅｓ ｂｙ ｅｌｅｃｔｒｏｐｏｒａｔｉｏｎ． Ｐｒｏｃ． Ｎａｔｌ． Ａｃａｄ． Ｓｃｉ． ＵＳＡ． ８１：７１６１−７１６５．
Ｐｒｅｓｔａ， Ｌ．Ｇ． １９９２． Ａｎｔｉｂｏｄｙ ｅｎｇｉｎｅｅｒｉｎｇ． Ｃｕｒｒ Ｏｐｉｎ Ｂｉｏｔｅｃｈｎｏｌ． ３：３９４−８．
Ｐｒｏｓｓｅｒ， Ｊ． １９９３． Ｄｅｔｅｃｔｉｎｇ ｓｉｎｇｌｅ−ｂａｓｅ ｍｕｔａｉｏｎｓ． Ｔｒｅｎｄｓ Ｂｉｏｔｅｃｈｎｏｌ． １１：２３８−４６．
Ｒａｓｓｏｕｌｚａｄｅｇａｎ， Ｍ．， Ｂ． Ｂｉｎｅｔｒｕｙ， 及び Ｆ． Ｃｕｚｉｎ． １９８２． Ｈｉｇｈ ｆｒｅｑｕｅｎｃｙ ｏｆ ｇｅｎｅ ｔｒａｎｓｆｅｒ ａｆｔｅｒ ｆｕｓｉｏｎ ｂｅｔｗｅｅｎ ｂａｃｔｅｒｉａ 及び ｅｕｋａｒｙｏｔｉｃ ｃｅｌｌｓ． Ｎａｔｕｒｅ． ２９５：２５７．
Ｒｅｉｓｆｅｌｄ， Ｒ．Ａ．， 及び Ｓ． Ｓｅｌｌ． １９８５． Ｍｏｎｏｃｌｏｎａｌ ａｎｔｉｂｏｄｉｅｓ 及び ｃａｎｃｅｒ ｔｈｅｒａｐｙ： Ｐｒｏｃｅｅｄｉｎｇｓ ｏｆ ｔｈｅ Ｒｏｃｈｅ−ＵＣＬＡ ｓｙｍｐｏｓｉｕｍ ｈｅｌｄ ｉｎ Ｐａｒｋ Ｃｉｔｙ， Ｕｔａｈ， Ｊａｎｕａｒｙ ２６−Ｆｅｂｒｕａｒｙ ２， １９８５． Ａｌａｎ Ｒ． Ｌｉｓｓ， Ｎｅｗ Ｙｏｒｋ． ６０９ ｐｐ．
Ｒｈｏｄｅｓ， Ｃ．Ａ．， Ｄ．Ａ． Ｐｉｅｒｃｅ， Ｉ．Ｊ． Ｍｅｔｔｌｅｒ， Ｄ． Ｍａｓｃａｒｅｎｈａｓ， 等 １９８８． Ｇｅｎｅｔｉｃａｌｌｙ ｔｒａｎｓｆｏｒｍｅｄ ｍａｉｚｅ ｐｌａｎｔｓ ｆｒｏｍ ｐｒｏｔｏｐｌａｓｔｓ． Ｓｃｉｅｎｃｅ． ２４０：２０４−２０７．
Ｒｉｅｃｈｍａｎｎ， Ｌ．， Ｍ． Ｃｌａｒｋ， Ｈ． Ｗａｌｄｍａｎｎ， 及び Ｇ． Ｗｉｎｔｅｒ． １９８８． Ｒｅｓｈａｐｉｎｇ ｈｕｍａｎａｎｔｉｂｏｄｉｅｓ ｆｏｒ ｔｈｅｒａｐｙ． Ｎａｔｕｒｅ． ３３２：３２３−７．
Ｒｏｓｅ， Ｊ．Ｋ．， Ｌ． Ｂｕｏｎｏｃｏｒｅ， 及び Ｍ． Ｗｈｉｔｔ． １９９１． Ａ ｎｅｗ ｃａｔｉｏｎｉｃ ｌｉｐｏｓｏｍｅ ｒｅａｇｅｎｔ ｍｅｄｉａｔｉｎｇ ｎｅａｒｌｙ ｑｕａｎｔｉｔａｔｉｖｅ ｔｒａｎｓｆｅｃｔｉｏｎ ｏｆ ａｎｉｍａｌ ｃｅｌｌｓ． ＢｉｏＴｅｃｈｎｉｑｕｅｓ． １０：５２０−５２５．
Ｒｏｓｓｉ， Ｊ．Ｊ． １９９４． Ｐｒａｃｔｉｃａｌ ｒｉｂｏｚｙｍｅｓ． Ｍａｋｉｎｇ ｒｉｂｏｚｙｍｅｓ ｗｏｒｋ ｉｎ ｃｅｌｌｓ． Ｃｕｒｒ Ｂｉｏｌ． ４：４６９−７１．
Ｒｏｓｓｉｔｅｒ， Ｂ．Ｊ．， 及び Ｃ．Ｔ． Ｃａｓｋｅｙ． １９９０． Ｍｏｌｅｃｕｌａｒ ｓｃａｎｎｉｎｇ ｍｅｔｈｏｄｓ ｏｆ ｍｕｔａｔｉｏｎ ｄｅｔｅｃｔｉｏｎ． Ｊ Ｂｉｏｌ Ｃｈｅｍ． ２６５：１２７５３−６．
米国特許第５，２８３，３１７号 Ｉｎｔｅｒｍｅｄｉａｔｅｓ ｆｏｒ ｃｏｎｊｕｇａｔｉｏｎ ｏｆ ｐｏｌｙｐｅｐｔｉｄｅｓ ｗｉｔｈ ｈｉｇｈ ｍｏｌｅｃｕｌａｒ ｗｅｉｇｈｔ ｐｏｌｙａｌｋｙｌｅｎｅ ｇｌｙｃｏｌｓ． １９９４．
Ｓａｉｋｉ， Ｒ．Ｋ．， Ｔ．Ｌ． Ｂｕｇａｗａｎ， Ｇ．Ｔ． Ｈｏｒｎ， Ｋ．Ｂ． Ｍｕｌｌｉｓ， 等． １９８６． Ａｎａｌｙｓｉｓ ｏｆ ｅｎｚｙｍａｔｉｃａｌｌｙ ａｍｐｌｉｆｉｅｄ β−ｇｌｏｂｉｎ ａｎｄ ＨＬＡ−ＤＱ α ＤＮＡ ｗｉｔｈ ａｌｌｅｌｅ−ｓｐｅｃｉｆｉｃ ｏｌｉｇｏｎｕｃｌｅｏｔｉｄｅ ｐｒｏｂｅｓ． Ｎａｔｕｒｅ． ３２４：１６３−６．
Ｓａｉｋｉ， Ｒ．Ｋ．， Ｐ．Ｓ． Ｗａｌｓｈ， Ｃ．Ｈ． Ｌｅｖｅｎｓｏｎ， 及び Ｈ．Ａ． Ｅｒｌｉｃｈ． １９８９． Ｇｅｎｅｔｉｃ ａｎａｌｙｓｉｓ ｏｆ ａｍｐｌｉｆｉｅｄ ＤＮＡ ｗｉｔｈ ｉｍｍｏｂｉｌｉｚｅｄ ｓｅｑｕｅｎｃｅ−ｓｐｅｃｉｆｉｃ ｏｌｉｇｏｎｕｃｌｅｏｔｉｄｅ ｐｒｏｂｅｓ． Ｐｒｏｃ Ｎａｔｌ Ａｃａｄ Ｓｃｉ ＵＳＡ． ８６：６２３０−４．
Ｓａｌｅｅｂａ， Ｊ．Ａ．， 及び Ｒ．Ｇ． Ｃｏｔｔｏｎ． １９９３． Ｃｈｅｍｉｃａｌ ｃｌｅａｖａｇｅ ｏｆ ｍｉｓｍａｔｃｈ ｔｏ ｄｅｔｅｃｔ ｍｕｔａｔｉｏｎｓ． Ｍｅｔｈｏｄｓ Ｅｎｚｙｍｏｌ． ２１７：２８６−９５．
Ｓａｍｂｒｏｏｋ， Ｊ． １９８９． Ｍｏｌｅｃｕｌａｒ ｃｌｏｎｉｎｇ： ａ ｌａｂｏｒａｔｏｒｙ ｍａｎｕａｌ． Ｃｏｌｄ Ｓｐｒｉｎｇ Ｈａｒｂｏｒ Ｌａｂｏｒａｔｏｒｙ， Ｃｏｌｄ Ｓｐｒｉｎｇ Ｈａｒｂｏｒ．
Ｓａｎｄｒｉ−Ｇｏｌｄｉｎ， Ｒ．Ｍ．； Ａ．Ｌ． Ｇｏｌｄｉｎ， Ｊ．Ｃ． Ｇｌｏｒｉｏｓｏ， 及び Ｍ． Ｌｅｖｉｎｅ． １９８１． Ｈｉｇｈ−ｆｒｅｑｕｅｎｃｙ ｔｒａｎｓｆｅｒ ｏｆ ｃｌｏｎｅｄ ｈｅｒｐｅｓ ｓｉｍｊｐｌｅｘ ｖｉｒｕｓ ｔｙｐｅ Ｉ ｓｅｑｕｅｎｃｅｓ ｔｏ ｍａｍｍａｌｉａｎ ｃｅｌｌｓ ｂｙ ｐｒｏｔｏｐｌａｓｔ ｆｕｓｉｏｎ． Ｍｏｌ． Ｃｅｌｌ． Ｂｉｏｌ． １：７４５３−７５２．
Ｓａｎｇｅｒ， Ｆ．， Ｓ． Ｎｉｃｋｌｅｎ， 及び Ａ．Ｒ． Ｃｏｕｌｓｏｎ． １９７７． ＤＮＡ ｓｅｑｕｅｎｃｉｎｇ ｗｉｔｈ ｃｈａｉｎ−ｔｅｒｍｉｎａｔｉｎｇ ｉｎｈｉｂｉｔｏｒｓ． Ｐｒｏｃ Ｎａｔｌ Ａｃａｄ Ｓｃｉ ＵＳＡ． ７４：５４６３−７．
Ｓａｕｎｄｅｒｓ， Ｊ．Ａ．， Ｂ．Ｆ． Ｍａｔｔｈｅｗｓ， 及び Ｐ．Ｄ． Ｍｉｌｌｅｒ． １９８９． Ｐｌａｎｔ ｇｅｎｅ ｔｒａｎｓｆｅｒ ｕｓｉｎｇ ｅｌｅｃｔｒｏｆｕｓｉｏｎ ａｎｄ ｅｌｅｃｔｒｏｐｏｒａｔｉｏｎ． Ｉｎ Ｅｌｅｃｔｒｏｐｏｒａｔｉｏｎ ａｎｄ ｅｌｅｃｔｒｏｆｌｉｓｉｏｎ ｉｎ ｃｅｌｌ ｂｉｏｌｏｇｙ． Ｅ． Ｎｅｕｍａｎｎ， Ａ．Ｅ． Ｓｏｗｅｒｓ， 及びＣ．Ａ． Ｊｏｒｄａｎ， ｅｄｉｔｏｒｓ． Ｐｌｅｎｕｍ Ｐｒｅｓｓ， Ｎｅｗ Ｙｏｒｋ． ３４３−３５４
Ｓｃｈａｄｅ， Ｒ．， Ｃ． Ｓｔａａｋ， Ｃ． Ｈｅｎｄｒｉｋｓｅｎ， Ｍ． Ｅｒｈａｒｄ， 等． １９９６． Ｔｈｅ ｐｒｏｄｕｃｔｉｏｎ ｏｆ ａｖｉａｎ （ｅｇｇ ｙｏｌｄ） ａｎｔｉｂｏｄｉｅｓ： ＩｇＹ． Ｔｈｅ ｒｅｐｏｒｔ ａｎｄ ｒｅｃｏｍｍｅｎｄａｔｉｏｎｓ ｏｆ ＥＣＶＡＭ ｗｏｒｋｓｈｏｐ． Ａｌｔｅｒｎａｔｉｖｅｓ ｔｏ Ｌａｂｏｒａｔｏｒｙ Ａｎｉｍａｌｓ （ＡＴＬＡ）． ２４：９２５−９３４．
Ｓｃｈａｆｆｎｅｒ， Ｗ． １９８０． Ｄｉｒｅｃｔ ｔｒａｎｓｆｅｒ ｏｆ ｃｌｏｎｅｄ ｇｅｎｅｓ ｆｒｏｍ ｂａｃｔｅｒｉａ ｔｏ ｍａｍｍａｌｉａｎ ｃｅｌｌｓ． Ｐｒｏｃ． Ｎａｔｌ． Ａｃａｄ． Ｓｃｉ． ＵＳＡ． ７７：２１６３．
Ｓｃｈｏｏｋ， Ｌ．Ｂ． １９８７． Ｍｏｎｏｃｌｏｎａｌ ａｎｔｉｂｏｄｙ ｐｒｏｄｕｃｔｉｏｎ ｔｅｃｈｎｉｑｕｅｓ ａｎｄ ａｐｐｌｉｃａｔｉｏｎｓ． Ｍａｒｃｅｌ Ｄｅｋｋｅｒ， Ｉｎｃ．， Ｎｅｗ Ｙｏｒｋ． ３３６ ｐｐ．
Ｓｃｏｔｔ， Ｊ．Ｋ．， 及び Ｇ．Ｐ． Ｓｍｉｔｈ． １９９０． Ｓｅａｒｃｈｉｎｇ ｆｏｒ ｐｅｐｔｉｄｅ ｌｉｇａｎｄｓ ｗｉｔｈ ａｎ ｅｐｉｔｏｐｅ ｌｉｂｒａｒｙ． Ｓｃｉｅｎｃｅ． ２４９：３８６−９０．
Ｓｅｌｄｅｎ， Ｒ．Ｆ．， Ｋ． Ｂｕｒｋｅ−Ｈｏｗｉｅ， Ｍ．Ｅ． Ｒｏｗｅ， Ｈ．Ｍ． Ｇｏｏｄｍａｎ， 等． １９８６． Ｈｕｍａｎ ｇｒｏｗｔｈ ｈｏｒｍｏｎｅ ａｓ ａ ｒｅｐｏｒｔｅｒ ｇｅｎｅ ｉｎ ｒｅｇｕｌａｔｉｏｎ ｓｔｕｄｉｅｓ ｅｍｐｌｏｙｉｎｇ ｔｒａｎｓｉｅｎｔ ｇｅｎｅ ｅｘｐｒｅｓｓｉｏｎ． Ｍｏｌｅｃｕｌａｒ ａｎｄ Ｃｅｌｌｕｌａｒ Ｂｉｏｌｏｌｇｙ． ６：３１７３−３１７９．
Ｓｈａｌａｂｙ， Ｍ．Ｒ．， Ｈ．Ｍ． Ｓｈｅｐａｒｄ， Ｌ． Ｐｒｅｓｔａ， Ｍ．Ｌ． Ｒｏｄｒｉｇｕｅｓ， 等 １９９２． Ｄｅｖｅｌｏｐｍｅｎｔ ｏｆ ｈｕｍａｎｉｚｅｄ ｂｉｓｐｅｃｉｆｉｃ ａｎｔｉｂｏｄｉｅｓ ｒｅａｃｔｉｖｅ ｗｉｔｈ ｃｙｔｏｔｏｘｉｃ ｌｙｍｐｈｏｃｙｔｅｓ ａｎｄ ｔｕｍｏｒ ｃｅｌｌｓ ｏｖｅｒｅｘｐｒｅｓｓｉｎｇ ｔｈｅ ＨＥＲ２ ｐｒｏｔｏｏｎｃｏｇｅｎｅ． Ｊ Ｅｘｐ Ｍｅｄ． １７５：２１７−２５．
Ｓｈｉｇｅｋａｗａ， Ｋ．， 及び Ｗ．Ｊ． Ｄｏｗｅｒ． １９８８． Ｅｌｅｃｔｒｏｐｏｒａｔｉｏｎ ｏｆ ｅｕｋａｒｙｏｔｅｓ ａｎｄ ｐｒｏｋａｒｙｏｔｅｓ： Ａ ｇｅｎｅｒａｌ ａｐｐｒｏａｃｈ ｔｏ ｔｈｅ ｉｎｔｒｏｄｕｃｔｉｏｎ ｏｆ ｍａｃｏｍｏｌｅｃｕｌｅｓ ｉｎｔｏ ｃｅｌｌｓ． ＢｉｏＴｅｃｈｎｉｑｕｅｓ． ６：７４２−７５１．
Ｓｈｉｈｌｌｉｔｏ， Ｒ． １９９９． Ｍｅｔｈｏｄｓ ｏｆ ｇｅｎｅｔｉｃ ｔｒａｎｓｆｏｒｍａｔｉｏｎｓ： Ｅｌｅｃｔｒｏｐｏｒａｔｉｏｎ ａｎｄ ｐｏｌｙｅｔｈｙｌｅｎｅ ｇｌｙｃｏｌ ｔｒｅａｔｍｅｎｔ． Ｉｎ Ｍｏｌｅｃｕｌａｒ ｉｍｐｒｏｖｅｍｅｎｔ ｏｆ ｃｅｒｅａｌ ｃｒｏｐ． Ｉ． Ｖａｓｉｌ， ｅｄｉｔｏｒ． Ｋｌｕｗｅｒ， Ｄｏｒｄｒｅｃｈｔ， Ｔｈｅ Ｎｅｔｈｅｒｌａｎｄｓ． ９−２０．
Ｓｈｉｌｏ， Ｂ．Ｚ．， 及び Ｒ．Ａ． Ｗｅｉｎｂｅｒｇ． １９８１． ＤＮＡ ｓｅｑｕｅｎｃｅｓ ｈｏｍｏｌｏｇｏｕｓ ｔｏ ｖｅｒｔｅｂｒａｔｅ ｏｎｃｏｇｅｎｅｓ ａｒｅ ｃｏｎｓｅｒｖｅｄ ｉｎ Ｄｒｏｓｏｐｈｉｌａ ｍｅｌａｎｏｇａｓｔｅｒ． Ｐｒｏｃ Ｎａｔｌ Ａｃａｄ Ｓｃｉ ＵＳＡ． ７８：６７８９−９２．
Ｓｈｉｍｋｅｔｓ， Ｒ．Ａ．， Ｄ．Ｇ． Ｌｏｗｅ， Ｊ．Ｔ． Ｔａｉ， Ｐ． Ｓｅｈｌ，等 １９９９． Ｇｅｎｅ ｅｘｐｒｅｓｓｉｏｎ ａｎａｌｙｓｉｓｂｙ ｔｒａｎｓｃｒｉｐｔ ｐｒｏｆｉｌｉｎｇ ｃｏｕｐｌｅｄ ｔｏ ａ ｇｅｎｅ ｄａｔａｂａｓｅ ｑｕｅｒｙ． Ｎａｔ Ｂｉｏｔｅｃｈｎｏｌ． １７：７９８−８０３．
Ｓｈｏｐｅｓ， Ｂ． １９９２． Ａ ｇｅｎｅｔｉｃａｌｌｙ ｅｎｇｉｎｅｅｒｅｄ ｈｕｍａｎ ＩｇＧ ｍｕｔａｎｔ ｗｉｔｈ ｅｎｈａｎｃｅｄ ｃｙｔｏｌｙｔｉｃ ａｃｉｔｉｖｉｔｙ． Ｊ Ｉｍｍｕｎｏｌ． １４８：２９１８−２２
Ｓｉｍｏｎｓｅｎ， Ｃ．Ｃ．， 及び Ａ．Ｄ． Ｌｅｖｉｎｓｏｎ． １９８３． Ｉｓｏｌａｔｉｏｎ 及び ｅｘｐｒｅｓｓｉｏｎ ｏｆ ａｎ ａｌｔｅｒｅｄ ｍｏｕｓｅ ｄｉｈｙｄｒｏｆｏｌａｔｅ ｒｅｄｕｃｔａｓｅ ｃＤＮＡ． Ｐｒｏｃ． Ｎａｔｌ． Ａｃａｄ Ｓｃｉ． ＵＳＡ． ８０：２４９５−２４９９．
米国特許 ５，２７２，０５７号 Ｍｅｔｈｏｄ ｏｆ ｄｅｔｅｃｔｉｎｇ ａ ｐｒｅｄｉｓｐｏｓｉｔｉｏｎ ｔｏ ｃａｎｃｅｒ ｂｙ ｔｈｅ ｕｓｅ ｏｆ ｒｅｓｔｒｉｃｔｉｏｎ ｆｒａｇｍｅｎｔ ｌｅｎｇｔｈ ｐｏｌｙｍｏｒｐｈｉｓｍ ｏｆ ｔｈｅ ｇｅｎｅ ｆｏｒ ｈｕｍａｎ ｐｏｌｙ （ＡＤＰ−ｒｉｂｏｓｅ） ｐｏｌｙｍｅｒａｓｅ． １９９３．
Ｓｏｕｔｈｅｒｎ， Ｐ．Ｊ， 及び Ｐ． Ｂｅｒｇ． １９８２． Ｔｒａｎｓｆｏｒｍａｔｉｏｎ ｏｆ ｍａｍｍａｌｉａｎ ｃｅｌｌｓ ｔｏ ａｎｔｉｂｉｏｔｉｃ ｒｅｓｉｓｔａｎｃｅｄ ｗｉｔｈ ａ ｂａｃｔｅｒｉａｌ ｇｅｎｅ ｕｎｄｅｒ ｃｏｎｔｒｏｌ ｏｆ ｔｈｅ ＳＶ４０ ｅａｒｌｙ ｒｅｇｉｏｎ ｐｒｏｍｏｔｅｒ． Ｊ． Ｍｏｌｌ Ａｐｐｌ． Ｇｅｎ． １：３２７−３４１．
Ｓｒｅｅｋｒｉｓｈｎａ， Ｋ．， Ｒ．Ｈ． Ｐｏｔｅｎｚ， Ｊ．Ａ． Ｃｒｕｚｅ， Ｗ．Ｒ． ＭｃＣｏｍｂｉｅ， 等 １９８８． Ｈｉｇｈ ｌｅｖｅｌ ｅｘｐｒｅｓｓｉｏｎ ｏｆ ｈｅｔｅｒｏｌｏｇｏｕｓ ｐｒｏｔｅｉｎｓ ｉｎ ｍｅｔｈｙｌｏｔｒｏｐｈｉｃ ｙｅａｓｔ Ｐｉｃｈｉａ ｐａｓｔｏｒｉｓ． Ｊ Ｂａｓｉｃ Ｍｉｃｒｏｂｉｏｌ． ２８：２６５−７８．
Ｓｔｅｉｎ， Ｃ．Ａ．， 及び Ｊ．Ｓ． Ｃｏｈｅｎ． １９８８． Ｏｌｉｇｏｄｅｏｘｙｎｕｃｌｅｏｔｉｄｅｓ ａｓ ｉｎｈｉｂｉｔｏｒｓ ｏｆ ｇｅｎｅ ｅｘｐｒｅｓｓｉｏｎ： ａ ｒｅｖｉｅｗ． Ｃａｎｃｅｒ Ｒｅｓ． ４８：２６５９−６８．
Ｓｔｅｖｅｎｓｏｎ， Ｇ．Ｔ．， Ａ． Ｐｉｎｄａｒ， 及び Ｃ．Ｊ． Ｓｌａｄｅ． １９８９． Ａ ｃｈｉｍｅｒｉｃ ａｎｔｉｂｏｄｙ ｗｉｔｈ ｄｕａｌ Ｆｃ ｒｅｇｉｏｎｓ （ｂｉｓＦａｂＦｃ） ｐｒｅｐａｒｅｄ ｂｙ ｍａｎｉｐｕｌａｔｉｏｎｓ ａｔ ｔｈｅ ＩｇＧ ｈｉｎｇｅ． Ａｎｔｉｃａｎｃｅｒ Ｄｒｕｇ Ｄｅｓ． ３：２１９−３０．
Ｓｕｒｅｓｈ， Ｍ．Ｒ．， Ａ．Ｃ． Ｃｕｅｌｌｏ， 及び Ｃ． Ｍｉｌｓｔｅｉｎ． １９８６． Ｂｉｓｐｅｃｉｆｉｃ ｍｏｎｏｃｌｏｎａｌ ａｎｔｉｂｏｄｉｅｓ ｆｒｏｍ ｈｙｂｒｉｄ ｈｙｂｒｉｄｏｍａｓ． Ｍｅｔｈｏｄｓ Ｅｎｚｙｍｏｌ． １２１：２１０−２８．
Ｔａｎａｋａ Ｓ， Ｍｏｒｉ Ｍ， Ａｋｉｙｏｓｈｉ Ｔ， Ｔａｎａｋａ Ｙ， Ｍａｆｕｎｅ Ｋ， Ｗａｎｄｓ ＪＲ， Ｓｕｇｉｍａｃｈｉ Ｋ Ｊ． １９９８． Ａ ｎｏｖｅｌ ｖａｒｉａｎｔ ｏｆ ｈｕｍａｎ Ｇｒｂ７ ｉｓ ａｓｓｏｃｉａｔｅｄ ｗｉｔｈ ｉｎｖａｓｉｖｅ ｅｓｏｐｈａｇｅａｌ ｃａｒｃｉｎｏｍａ． Ｃｌｉｎ Ｉｎｖｅｓｔ １０２（４）：８２１−７．
Ｔｈｏｍａｓ， Ｋ．Ｒ．， 及び Ｍ．Ｒ． Ｃａｐｅｃｃｈｉ． １９８７． Ｓｉｔｅ−ｄｉｒｅｃｔｅｄ ｍｕｔａｇｅｎｅｓｉｓ ｂｙ ｇｅｎｅ ｔａｒｇｅｔｉｎｇ ｉｎ ｍｏｕｓｅ ｅｍｂｒｙｏ−ｄｅｒｉｖｅｄ ｓｔｅｍ ｃｅｌｌｓ． Ｃｅｌｌ． ５１：５０３−１２．
Ｔｈｏｍｐｓｏｎ， Ｊ．Ａ．， 及び ｅ． ａｌ． １９９５． Ｍａｉｚｅ ｔｒａｎｓｆｏｒｍａｔｉｏｎ ｕｔｉｌｉｚｉｎｇ ｓｉｌｉｃｏｎ ｃａｒｂｉｄｅ ｗｈｉｓｋｅｒｓ： Ａ ｒｅｖｉｅｗ． Ｅｕｐｈｙｔｉｃａ． ８５：７５−８０．
Ｔｉｌｂｕｒｎ， Ｊ．， Ｃ． Ｓｃａｚｚｏｃｃｈｉｏ， Ｇ．Ｇ． Ｔａｙｌｏｒ， Ｊ．Ｈ． Ｚａｂｉｃｋｙ−Ｚｉｓｓｍａｎ，等 １９８３． Ｔｒａｎｓｆｏｍａｔｉｏｎ ｂｙ ｉｎｔｅｇｒａｔｉｏｎ ｉｎ Ａｓｐｅｒｇｉｌｌｕｓ ｎｉｄｕｌａｎｓ． Ｇｅｎｅ． ２６：２０５−２１．
Ｔｏｕｒａｅｖ， Ａ．， 及び ｅ． ａｌ． １９９７． Ｐｌａｎｔ ｍａｌｅ ｇｅｒｍ ｌｉｎｅ ｔｒａｎｓｆｏｒｍａｔｉｏｎ． Ｐｌａｎｔ Ｊ． １２：９４９−９５６．
Ｔｒａｕｎｅｃｋｅｒ， Ａ．， Ｆ． Ｏｌｉｖｅｒｉ， 及び Ｋ． Ｋａｒｊａｌａｉｎｅｎ． １９９１． Ｍｙｅｌｏｍａ ｂａｓｅｄ ｅｘｐｒｅｓｓｉｏｎ ｓｙｓｔｅｍ ｆｏｒ ｐｒｏｄｕｃｔｉｏｎ ｏｆ ｌａｒｇｅ ｍａｍｍａｌｉａｎ ｐｒｏｔｅｉｎｓ． Ｔｈｅｎｄｓ Ｂｉｏｔｅｃｈｎｏｌ． ９：１０９−１３．
Ｔｒｉｃｋ， Ｈ．Ｎ．， 及び ｅ． ａｌ． １９９７． Ｒｅｃｅｎｔ ａｄｖａｎｃｅｓ ｉｎ ｓｏｙｂｅａｎ ｔｒａｎｓｆｏｒｍａｔｉｏｎ． Ｐｌａｎｔ Ｔｉｓｓｕｅ Ｃｕｌｔ． Ｂｉｏｔｅｃｈｎｏｌ． ３：９−２６．
Ｔｓｕｋａｍｏｔｏ， Ａ．Ｓ．， Ｒ． Ｇｒｏｓｓｃｈｅｄｌ， Ｒ．Ｃ． Ｇｕｚｍａｎ， Ｔ． Ｐａｒｓｌｏｗ，等 １９８８． Ｅｘｐｒｅｓｓｉｏｎ ｏｆ ｔｈｅ ｉｎｔ−１ ｇｅｎｅ ｉｎ ｔｒａｎｓｇｅｎｉｃ ｍｉｃｅ ｉｓ ａｓｓｏｃｉａｔｅｄ ｗｉｔｈ ｍａｍｍａｒｙ ｇｌａｎｄ ｈｙｐｅｒｐｌａｓｉａ ａｎｄ ａｄｅｎｏｃａｒｃｉｎｏｍａｓ ｉｎ ｍａｌｅ ａｎｄ ｆｅｍａｌｅ ｍｉｃｅ． Ｃｅｌｌ． ５５：６１９−２５．
Ｔｕｅｒｋ， Ｃ．， 及び Ｌ． Ｇｏｌｄ． １９９０． Ｓｙｓｔｅｍａｔｉｃ ｅｖｏｌｕｔｉｏｎ ｏｆ ｌｉｇａｎｄｓ ｂｙ ｅｘｐｏｎｅｎｔｉａｌ ｅｎｒｉｃｈｍｅｎｔ： ＲＮＡ ｌｉｇａｎｄｓ ｔｏ ｂａｃｔｅｒｉｏｐｈａｇｅ Ｔ４ ＤＮＡ ｐｏｌｙｍｅｒａｓｅ． Ｓｃｉｅｎｃｅ． ２４９：５０５−１０．
Ｔｕｒｎｅｒ， Ｄ．Ｌ．， Ｅ．Ｙ． Ｓｎｙｄｅｒ， 及び Ｃ．Ｌ． Ｃｅｐｋｏ． １９９０． Ｌｉｎｅａｇｅ−ｉｎｄｅｐｅｎｄｅｎｔ ｄｅｔｅｒｍｉｎａｔｉｏｎｈ ｏｆ ｃｅｌｌ ｔｙｐｅ ｉｎ ｔｈｅ ｅｍｂｒｙｏｎｉｃ ｍｏｕｓｅ ｒｅｔｉｎａ． Ｎｅｕｒｏｎ． ４：８３３−８４５．
Ｔｕｔｔ， Ａ．， Ｇ．Ｔ． Ｓｔｅｖｅｎｓｏｎ， 及び Ｍ．Ｊ． Ｇｌｅｎｎｉｅ． １９９１． Ｔｒｉｓｐｅｃｉｆｉｃ Ｆ（ａｂ’）３ ｄｅｒｉｖａｔｉｖｅｓ ｔｈａｔ ｕｓｅ ｃｏｏｐｅｒａｔｉｖｅ ｓｉｇｎａｌｉｎｇ ｖｉａ ｔｈｅ ＴＣＲ／ＣＤ３ ｃｏｍｐｌｅｘ ａｎｄ ＣＤ２ ｔｏ ａｃｔｉｖａｔｅ ａｎｄ ｒｅｄｉｒｅｃｔ ｒｅｓｔｉｎｇ ｃｙｔｏｔｏｘｉｃ Ｔ ｃｅｌｌｓ． Ｊ Ｉｍｍｕｎｏｌ． １４７：６０−９．
ｖａｎ ｄｅｒ Ｋｒｏｌ， Ａ．Ｒ．， Ｊ．Ｎ． Ｍｏｌ， 及び Ａ．Ｒ． Ｓｔｕｉｔｊｅ． １９８８ｂ． Ｍｏｄｕｌａｔｉｏｎ ｏｆ ｅｕｋａｒｙｏｔｉｃ ｇｅｎｅ ｅｘｐｒｅｓｓｉｏｎ ｂｙ ｃｏｍｐｌｅｍｅｎｔａｒｙ ＲＮＡ ｏｒ ＤＮＡ ｓｅｑｕｅｎｃｅｓ． Ｂｉｏｔｅｃｈｎｉｑｕｅｓ． ６：９５８−７６．
ｖａｎ ｄｅｒ Ｋｒｏｌ， Ａ．Ｒ．， Ｊ．Ｎ． Ｍｏｌ， 及び Ａ．Ｒ． Ｓｔｕｉｔｊｅ． １９８８ａ． Ｍｏｄｕｌａｔｉｏｎ ｏｆ ｅｕｋａｒｙｏｔｉｃ ｇｅｎｅ ｅｘｐｒｅｓｓｉｏｎ ｂｙ ｃｏｍｐｌｅｍｅｎｔａｒｙ ＲＮＡ ｏｒ ＤＮＡ ｓｅｑｕｅｎｃｅｓ． Ｂｉｏｔｅｃｈｎｉｑｕｅｓ． ６：９５８−７６．
Ｖｅｒｈｏｅｙｅｎ， Ｍ．， Ｃ． Ｍｉｌｓｔｅｉｎ， 及び Ｇ． Ｗｉｎｔｅｒ． １９８８． Ｒｅｓｈａｐｉｎｇ ｈｕｍａｎ ａｎｔｉｂｏｄｉｅｓ： ｇｒａｆｔｉｎｇ ａｎ ａｎｔｉｌｙｓｏｚｙｍｅ ａｃｔｉｖｉｔｙ． Ｓｃｉｅｎｃｅ． ２３９：１５３４−６．
Ｖｉｔｅｔｔａ， Ｅ．Ｓ．， Ｒ．Ｊ． Ｆｕｌｔｏｎ， Ｒ．Ｄ． Ｍａｙ， Ｍ． Ｔｉｌｌ， 等． １９８７． Ｒｅｄｅｓｉｇｎｉｎｇ ｎａｔｕｒｅ’ｓ ｐｏｉｓｏｎｓ ｔｏ ｃｒｅａｔｅ ａｎｔｉ−ｔｕｍｏｒ ｒｅａｇｅｎｔｓ． Ｓｃｉｅｎｃｅ． ２３８：１０９８−１０４．
米国特許 ４，８７３，１９１号 Ｇｅｎｅｔｉｃ ｔｒａｎｓｆｏｒｍａｔｉｏｎ ｏｆ ｚｙｇｏｔｅｓ． １９８９．
Ｗｅｌｌｓ， Ｊ．Ａ．， Ｍ． Ｖａｓｓｅｒ， 及び Ｄ．Ｂ． Ｐｏｗｅｒｓ． １９８５． Ｃａｓｓｅｔｔｅ ｍｕｔａｇｅｎｅｓｉｓ： ａｎ ｅｆｆｉｃｉｅｎｔ ｍｅｔｈｏｄ ｆｏｒ ｇｅｎｅｒａｔｉｏｎ ｏｆ ｍｕｌｔｉｐｌｅ ｍｕｔａｔｉｏｎｓ ａｔ ｄｅｆｉｎｅｄ ｓｉｔｅｓ． Ｇｅｎｅ． ３４：３１５−２３．
Ｗｈｉｔｔ， Ｍ．Ａ．， Ｌ． Ｂｕｏｎｏｃｏｒｅ， Ｊ．Ｋ． Ｒｏｓｅ， Ｖ． Ｃｉｃｃａｒｏｎｅ， 等． １９９０． ＴｒａｎｓｆｅｃｔＡＣＥ ｒｅａｇｅｎｔ ｐｒｏｍｏｔｅｓ ｔｒａｎｓｉｅｎｔ ｔｒａｎｓｆｅｃｔｉｏｎ ｆｒｅｑｕｅｎｃｉｅｓ ｇｒｅａｔｅｒ ｔｈａｎ ９０％． Ｆｏｃｕｓ．１３ ：８−１２．
Ｗｉｇｌｅｒ， Ｍ．， Ａ． Ｐｅｌｌｉｃｅｒ， Ｓ． Ｓｉｌｖｅｒｓｔｔｅｉｎ， 及び Ｒ． Ａｘｅｌ． １９７８． Ｂｉｏｃｈｅｍｉｃａｌ ｔｒａｎｓｆｅｒ ｏｆ ｓｉｎｇｌｅ−ｃｏｐｙ ｅｕｃａｒｙｏｔｉｃ ｇｅｎｅｓ ｕｓｉｎｇ ｔｏｔａｌ ｃｅｌｌｕｌａｒ ＤＮＡ ａｓ ｄｏｎｏｒ． Ｃｅｌｌ． １４：７２５．
Ｗｉｌｌｉａｍｓ， Ｄ．Ａ．， Ｉ．Ｒ． Ｌｅｍｉｓｃｈｋａ， Ｄ．Ｇ． Ｎａｔｈａｎ， 及び Ｒ．Ｃ． Ｍｕｌｌｉｇａｎ． １９８４． Ｉｎｔｒｏｄｕｃｔｉｏｎ ｏｆ ａ ｎｅｗ ｇｅｎｅｔｉｃ ｍａｔｅｒｉａｌ ｉｎｔｏ ｐｌｕｒｉｐｏｔｅｎｔ ｈａｅｍａｔｏｐｏｉｅｔｉｃ ｓｔｅｍ ｃｅｌｌｓ ｏｆ ｔｈｅ ｍｏｕｓｅ． Ｎａｔｕｒｅ． ３１０：４７６−４８０．
Ｗｉｌｍｕｔ， Ｉ．， Ａ．Ｅ． Ｓｃｈｎｉｅｋｅ， Ｊ． ＭｃＷｈｉｒ， Ａ．Ｊ． Ｋｉｎｄ， 等． １９９７． Ｖｉａｂｌｅ ｏｆｆｓｐｒｉｎｇ ｄｅｒｉｖｅｄ ｆｒｏｍ ｆｅｔａｌ ａｎｄ ａｄｕｌｔ ｍａｍｍａｌｉａｎ ｃｅｌｌｓ． Ｎａｔｕｒｅ． ３８５：８１０−３．
Ｗｏｌｆｆ， Ｅ．Ａ．， Ｇ．Ｊ． Ｓｃｈｒｅｉｂｅｒ， Ｗ．Ｌ． Ｃｏｓａｎｄ， 及び Ｈ．Ｖ． Ｒａｆｆ． １９９３． Ｍｏｎｏｃｌｏｎａｌ ａｎｔｉｂｏｄｙ ｈｏｍｏｄｉｍｅｒｓ： ｅｎｈａｎｃｅｄ ａｎｔｉｔｕｍｏｒ ａｃｔｉｖｉｔｙ ｉｎ ｎｕｄｅ ｍｉｃｅ． Ｃａｎｃｅｒ Ｒｅｓ． ５３：２５６０−５．
Ｗｏｎｇ， Ｇ．Ｔ．， Ｂ．Ｊ． Ｇａｖｉｎ，及びＡ．Ｐ．Ｍｃｍａｈｏｎ． １９９４． Ｄｉｆｆｅｒｅｎｔｉａｌ ｔｒａｎｓｆｏｒｍａｔｉｏｎ ｏｆ ｍａｍｍａｒｙ ｅｐｉｔｈｅｌｉａｌ ｃｅｌｌｓ ｂｙ Ｗｎｔ ｇｅｎｅｓ． Ｍｏｌ Ｃｅｌｌ Ｂｉｏｌ． １４：６２７８−８６．
Ｗｏｎｇ， Ｔ．Ｋ．， 及び Ｅ． Ｎｅｕｍａｎｎ． １９８２． Ｅｌｅｃｔｒｉｃ ｆｉｅｌｄ ｍｅｄｉａｔｅｄ ｇｅｎｅ ｔｒａｎｓｆｅｒ． Ｂｉｏｃｈｅｍｉｃａｌ ａｎｄ  Ｂｉｏｐｈｙｓｉｃａｌ Ｒｅｓｅａｒｃｈ Ｃｏｍｍｕｎｉｃａｔｉｏｎｓ． １０７：５８４−５８７．
Ｗｙｂｏｒｓｋｉ， Ｄ．Ｌ．， Ｌ．Ｃ． ＤｕＣｏｅｕｒ， 及び Ｊ．Ｍ． Ｓｈｏｒｔ． １９９６． Ｐａｒａｍｅｔｅｒｓ ａｆｆｅｃｔｉｎｇ ｔｈｅ ｕｓｅ ｏｆ ｔｈｅ ｌａｃ ｒｅｐｒｅｓｓｏｒ ｓｙｓｔｅｍ ｉｎ ｅｕｋａｒｙｏｔｉｃ ｃｅｌｌｓ ａｎｄ ｔｒａｎｓｇｅｎｉｃ ａｎｉｍａｌｓ． Ｅｎｖｉｒｏｎ Ｍｏｌ Ｍｕｔａｇｅｎ． ２８：４４７−５８．
Ｗｙｂｏｒｓｋｉ， Ｄ．Ｌ．， 及び Ｊ．Ｍ． Ｓｈｏｒｔ． １９９１． Ａｎａｌｙｓｉｓ ｏｆ ｉｎｄｕｃｅｒｓ ｏｆ ｔｈｅ Ｅ．ｃｏｌｉ ｌａｃ ｒｅｐｒｅｓｓｏｒ ｓｙｓｔｅｍ ｉｎ ｍａｍｍａｌｉａｎ ｃｅｌｌｓ ａｎｄ ｗｈｏｌｅ ａｎｉｍａｌｓ． Ｎｕｃｌｅｉｃ Ａｃｉｄｓ Ｒｅｓ． １９：４６４７−５３．
Ｙｅｌｔｏｎ， Ｍ．Ｍ．， Ｊ．Ｅ． Ｈａｍｅｒ，及びＷ．Ｅ． Ｔｉｍｂｅｒｌａｋｅ． １９８４． Ｔｒａｎｓｆｏｒｍａｔｉｏｎ ｏｆ Ａｓｐｅｒｇｉｌｌｕｓ ｎｉｄｕｌａｎｓ ｂｙ ｕｓｉｎｇ ａ ｔｒｐＣ ｐｌａｓｍｉｄ． Ｐｒｏｃ Ｎａｔｌ Ａｃａｄ Ｓｃｉ Ｕ Ｓ Ａ． ８１：１４７０−４．
Ｚｅｒｖｏｓ， Ａ．Ｓ．， Ｊ． Ｇｙｕｒｉｓ，及びＲ． Ｂｒｅｎｔ． １９９３． Ｍｘｉｌ， ａ ｐｒｏｔｅｉｎ ｔｈａｔ ｓｐｅｃｉｆｉｃａｌｌｙ ｉｎｔｅｒａｃｔｓ ｗｉｔｈ Ｍａｘ ｔｏ ｂｉｎｄ Ｍｙｃ−Ｍａｘ ｒｅｃｏｇｎｉｔｉｏｎ ｓｉｔｅｓ． Ｃｅｌｌ． ７２：２２３−３２．
Ｚｈｏｕ， Ｇ．， 及び ｅ． ａｌ． １９８３． Ｉｎｔｒｏｄｕｃｔｉｏｎ ｏｆ ｅｘｏｇｅｎｏｕｓ ＤＮＡ ｉｎｔｏ ｃｏｔｔｏｎ ｅｍｂｒｙｏｓ． Ｍｅｔｈｏｄｓ Ｅｎｚｙｒｎｏｌ． １０１：４３３−４８１．
Ｚｏｌｌｅｒ， Ｍ．Ｊ．， 及び Ｍ． Ｓｍｉｔｈ． １９８７． Ｏｌｉｇｏｎｕｃｌｅｏｔｉｄｅ−ｄｉｒｅｃｔｅｄ ｍｕｔａｇｅｎｅｓｉｓ： ａ ｓｉｍｐｌｅ ｍｅｔｈｏｄ ｕｓｉｎｇ ｔｗｏ ｏｌｉｇｏｎｕｃｌｅｏｔｉｄｅ ｐｒｉｍｅｒｓ ａｎｄ ａ ｓｉｎｇｌｅ−ｓｔｒａｎｄｅｄ ＤＮＡ ｔｅｍｐｌａｔｅ． Ｍｅｔｈｏｄｓ Ｅｎｚｙｍｏｌ． １５４：３２９−５０．
Ｚｏｎ， Ｇ． １９８８． Ｏｌｉｇｏｎｕｃｌｅｏｔｉｄｅ ａｎａｌｏｇｕｅｓ ａｓ ｐｏｔｅｎｔｉａｌ ｃｈｅｍｏｔｈｅｒａｐｅｕｔｉｃ ａｇｅｎｔｓ． Ｐｈａｒｍ Ｒｅｓ． ５：５３９−４９．
Ｚｕｃｋｅｒｍａｎｎ， Ｒ．Ｎ．， Ｅ．Ｊ． Ｍａｒｔｉｎ， Ｄ．Ｃ． Ｓｐｅｌｌｍｅｙｅｒ， Ｇ．Ｂ． Ｓｔａｕｂｅｒ， 等 １９９４． Ｄｉｓｃｏｖｅｒｙ ｏｆ ｎａｎｏｍｏｌａｒ ｌｉｇａｎｄｓ ｆｏｒ ７−ｔｒａｎｓｍｅｍｂｒａｎｅ Ｇ−ｐｒｏｔｅｉｎ−ｃｏｕｐｌｅｄ ｒｅｃｅｐｔｏｒｓ ｆｒｏｍ ａ ｄｉｖｅｒｓｅ Ｎ−（ｓｕｂｓｔｉｔｕｔｅｄ）ｇｌｙｃｉｎｅ ｐｅｐｔｏｉｄ ｌｉｂｒａｒｙ． Ｊ Ｍｅｄ Ｃｈｅｍ． ３７：２６７８−８５．
【図面の簡単な説明】
【図１】マウス及びヒトＳＴＲＡ６配列の疎水性分析
【図１】
2004519250.tif 000017
【国際公開パンフレット】
2004519250.tif 000018
2004519250.tif 000019
2004519250.tif 000020
2004519250.tif 000021
2004519250.tif 000022
2004519250.tif 000023
2004519250.tif 000024
2004519250.tif 000025
2004519250.tif 000026
2004519250.tif 000027
2004519250.tif 000028
2004519250.tif 000029
2004519250.tif 000030
2004519250.tif 000031
2004519250.tif 000032
2004519250.tif 000033
2004519250.tif 000034
2004519250.tif 000035
2004519250.tif 000036
2004519250.tif 000037
2004519250.tif 000038
2004519250.tif 000039
2004519250.tif 000040
2004519250.tif 000041
2004519250.tif 000042
2004519250.tif 000043
2004519250.tif 000044
2004519250.tif 000045
2004519250.tif 000046
2004519250.tif 000047
2004519250.tif 000048
2004519250.tif 000049
2004519250.tif 000050
2004519250.tif 000051
2004519250.tif 000052
2004519250.tif 000053
2004519250.tif 000054
2004519250.tif 000055
2004519250.tif 000056
2004519250.tif 000057
2004519250.tif 000058
2004519250.tif 000059
2004519250.tif 000060
2004519250.tif 000061
2004519250.tif 000062
2004519250.tif 000063
2004519250.tif 000064
2004519250.tif 000065
2004519250.tif 000066
2004519250.tif 000067
2004519250.tif 000068
2004519250.tif 000069
2004519250.tif 000070
2004519250.tif 000071
2004519250.tif 000072
2004519250.tif 000073
2004519250.tif 000074
2004519250.tif 000075
2004519250.tif 000076
2004519250.tif 000077
2004519250.tif 000078
2004519250.tif 000079
2004519250.tif 000080
2004519250.tif 000081
2004519250.tif 000082
2004519250.tif 000083
2004519250.tif 000084
2004519250.tif 000085
2004519250.tif 000086
2004519250.tif 000087
2004519250.tif 000088
2004519250.tif 000089
2004519250.tif 000090
2004519250.tif 000091
2004519250.tif 000092
2004519250.tif 000093
2004519250.tif 000094
2004519250.tif 000095
2004519250.tif 000096
2004519250.tif 000097
2004519250.tif 000098
2004519250.tif 000099
2004519250.tif 000100
2004519250.tif 000101
2004519250.tif 000102
2004519250.tif 000103
2004519250.tif 000104
2004519250.tif 000105
2004519250.tif 000106
2004519250.tif 000107
2004519250.tif 000108
2004519250.tif 000109
2004519250.tif 000110
2004519250.tif 000111
2004519250.tif 000112
2004519250.tif 000113
2004519250.tif 000114
2004519250.tif 000115
2004519250.tif 000116
2004519250.tif 000117
2004519250.tif 000118
2004519250.tif 000119
2004519250.tif 000120
2004519250.tif 000121
2004519250.tif 000122
2004519250.tif 000123
2004519250.tif 000124
【国際調査報告】
2004519250.tif 000125
2004519250.tif 000126
2004519250.tif 000127
2004519250.tif 000128
2004519250.tif 000129
2004519250.tif 000130